【事件の表示】
　特許第３１３７１８４号「表示装置」の請求項１ないし３に係る特許に対する特許異議の申立てについて、次のとおり決定する。
【結　論】
　訂正を認める。
　特許第３１３７１８４号の請求項１ないし３に係る特許を維持する。
【理　由】
１．手続きの経緯
　本件特許第３１３７１８４号（以下、「本件」という。）の請求項１乃至３に係る発明の特許は、昭和６３年８月１２日にした特願昭６３−２０２５９３の一部を新たな特許出願としたものであって、平成１２年１２月８日にその特許権の設定の登録がなされ、平成１３年８月１８日付け特許異議申立人藤田岩男から特許異議申立があり、平成１３年１１月１２日付け取消理由通知がなされ、その指定期間内である平成１４年１月２８日付け訂正請求とともに特許異議意見書が提出され、平成１４年３月１２日付けで特許異議申立人に対し訂正請求について意見を求めたが、回答はなされていないものである。
２．訂正の適否
（２−１）訂正の内容
（１）訂正事項ａ
　本件特許公報の特許請求の範囲の請求項１に係る記載の
「【請求項１】
　記録装置に対する機能選択を行うために用いる表示装置において、
　複数の上位機能を表示する第１の表示状態、及び、前記複数の上位機能のそれぞれに対応して設けられる下位機能の選択肢を表示する第２の表示状態を有する表示手段と、
　機能選択、または前記第１の表示状態において表示中の複数の上位機能の選択、または前記第２の表示状態において表示中の下位機能の選択肢の選択のために用いられる複数の操作キ−と、
　前記複数の操作キ−のうち、前記第２の表示状態において表示中の下位機能の選択肢を選択する操作キ−以外の操作キ−が操作された場合に、表示中の前記第２の表示状態の表示を閉じる表示制御手段と、
　前記第１の表示状態の表示中に、前記操作キ−の入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キ−のうちいずれかの操作キ−を用いて選択可能とする制御手段と
を有することを特徴とする表示装置。」を、
『【請求項１】
　記録装置に対する機能選択を行うために用いる表示装置において、
　複数の上位機能を表示する第１の表示状態、及び、前記複数の上位機能のそれぞれに対応して設けられる下位機能の選択肢を表示する第２の表示状態を有する表示手段と、
　機能選択、または前記第１の表示状態において表示中の複数の上位機能の選択、または前記第２の表示状態において表示中の下位機能の選択肢の選択のために用いられる複数の操作キ−と、
　前記複数の操作キ−のうち、前記第２の表示状態において表示中の下位機能の選択肢を選択する操作キ−以外の操作キ−が操作された場合に、表示中の前記第２の表示状態の表示を閉じると共に、非使用状態における消費電力の節約と非使用状態から記録動作へと迅速な移行を可能にするための予熱モ−ドに入ったときに、表示中の前記第２の表示状態の表示を閉じる表示制御手段と、
　前記第１の表示状態の表示中に、前記操作キ−の入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キ−のうちいずれかの操作キ−を用いて選択可能とする制御手段と
を有することを特徴とする表示装置。』と訂正するものである。
（２）訂正事項ｂ
　明細書の【０００７】（本件特許公報の第３欄３１〜５０行）の記載を、次のとおりに訂正するものである。
『【０００７】【課題を解決するための手段】
　上記の目的を達成するために、請求項１記載の表示装置は、記録装置に対する機能選択を行うために用いる表示装置において、複数の上位機能を表示する第１の表示状態、及び、前記複数の上位機能のそれぞれに対応して設けられる下位機能の選択肢を表示する第２の表示状態を有する表示手段と、機能選択、または前記第１の表示状態において表示中の複数の上位機能の選択、または前記第２の表示状態において表示中の下位機能の選択肢の選択のために用いられる複数の操作キ−と、前記複数の操作キ−のうち、前記第２の表示状態において表示中の下位機能の選択肢を選択する操作キ−以外の操作キ−が操作された場合に、表示中の前記第２の表示状態の表示を閉じると共に、非使用状態における消費電力の節約と非使用状態から記録動作へと迅速な移行を可能にするための予熱モ−ドに入ったときに、表示中の前記第２の表示状態の表示を閉じる表示制御手段と、前記第１の表示状態の表示中に、前記操作キ−の入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キ−のうちいずれかの操作キ−を用いて選択可能とする制御手段とを有することを特徴とする。』
（３）訂正事項ｃ
　明細書の【００１０】（本件特許公報の第４欄４６〜第５欄１０行）の記載を、次のとおりに訂正するものである。
『【００１０】【作用】
　本発明によれば、第１の表示状態の表示中に、操作キ−の入力により１つの機能が選択された場合に、表示中である第１の表示状態の一部に第２の表示状態を表示し、表示された下位機能を、複数の操作キ−のうちいずれかの操作キ−を用いて選択可能とするので、選択可能な機能が多くても、表示画面をスッキリさせることができる。
　また、複数の操作キ−のうち、第２の表示状態において表示中の下位機能の選択肢を選択する操作キ−以外の操作キ−が操作された場合には第２の表示状態の表示を閉じると共に、非使用状態における消費電力の節約と非使用状態から記録動作へと迅速な移行を可能にするための予熱モ−ドに入ったときに、表示中の前記第２の表示状態の表示を閉じるので、第２の表示状態の表示を閉じる際の操作の容易化を図ることができる。
　更に、「表示中である第１の表示状態の一部に第２の表示状態を表示することにより前記複数の上位機能のうち少なくとも１つを不表示状態」とする構成を有するため、表示画面の有効利用ができる。』
（４）訂正事項ｄ
　明細書の【０３７４】（本件特許公報の第９１欄４５〜第９２欄９行）の記載を、次のとおりに訂正するものである。
『【発明の効果】
　本発明によれば、第１の表示状態の表示中に、操作キ−の入力により１つの機能が選択された場合に、表示中である第１の表示状態の一部に第２の表示状態を表示し、表示された下位機能を、複数の操作キ−のうちいずれかの操作キ−を用いて選択可能とするので、選択可能な機能が多くても、表示画面をスッキリさせることができる。
　また、複数の操作キ−のうち、第２の表示状態において表示中の下位機能の選択肢を選択する操作キ−以外の操作キ−が操作された場合には第２の表示状態の表示を閉じると共に、非使用状態における消費電力の節約と非使用状態から記録動作へと迅速な移行を可能にするための予熱モードに入ったときに、表示中の前記第２の表示状態の表示を閉じるので、第２の表示状態の表示を閉じる際の操作の容易化を図ることができる。
　更に、「表示中である第１の表示状態の一部に第２の表示状態を表示することにより前記複数の上位機能のうち少なくとも１つを不表示状態」とする構成を有するため、表示画面の有効利用ができる。』
（５）訂正事項ｅ
　明細書の【０００９】（本件特許公報の第４欄４〜４４行）の記載を、次のとおりに訂正するものである。
『【０００９】請求項３記載の表示装置は、請求項１記載の表示装置において、前記第２の表示状態の領域を囲んだ枠線を表示することを特徴とする。　なお、請求項１における「複数の上位機能を表示する第１の表示状態」とは、例えば、図３３（ａ）に示すように、応用コピ−画面において、「CＦＦ」、「Ａ２／Ｂ３（ＬＤＣ）」、「右とじ」、「左とじ」という複数の上位機能を表示することである。
　また、請求項１における「前記複数の上位機能のそれぞれに対応して設けられる下位機能の選択肢を表示する第２の表示状態」とは、例えば、図３３（ａ）の応用コピ−画面に表示されている「CＦＦ」、「Ａ２／Ｂ３（ＬＤＣ）」、「右とじ」、「左とじ」という複数の上位機能の各々に対応して設けられる下位機能の選択肢が、それぞれ、図３３（ｂ）〜図３３（ｅ）に示すように表示されることである。
　また、請求項１における「機能選択、または前記第１の表示状態において表示中の複数の上位機能の選択、または前記第２の表示状態において表示中の下位機能の選択肢の選択のために用いられる複数の操作キ−」とは、例えば、図２５におけるカスケ−ドキ−３１９−１〜３１９−５のことである。　更に、請求項１における「前記複数の操作キ−のうち、前記第２の表示状態において表示中の下位機能の選択肢を選択する操作キ−以外の操作キ−が操作された場合に、表示中の前記第２の表示状態の表示を閉じる」については、例えば、本願明細書の【０２４９】段の「ポップアップクロ−ズは、ポップアップウインドウ上の「閉じる」（クロ−ズキ−）が選択され一定時間経過、例えば５００ｍｓｅｃ後、画面変更キ−やオ−トクリアキ−その他ポップアップウインドウ外のキ−（カスケ−ドキ−を含む）が操作されたとき、予熱モ−ドに入ったとき、割り込みモ−ドに入ったとき等に行われる。」という記載に対応するものである。
　また更に、請求項１における「前記第１の表示状態の表示中に、前記操作キ−の入力により前記上位機能が選択された場合に、表示中である前記第１の表示状態の一部に前記第２の表示状態を表示することにより前記複数の上位機能のうち少なくとも１つを不表示状態とし」とは、例えば、図３３（ａ）の応用コピ−画面において、上位機能としての「Ａ２／Ｂ３（ＬＤＣ）」が選択された場合には、その他の上位機能である「右とじ」や「左とじ」が不表示状態となることである。』
（６）訂正事項ｆ
　明細書の【００１３】（本件特許公報の第５欄４７〜第６欄１６行）の記載を、次のとおりに訂正するものである。
『【００１３】本発明が適用される複写機は、ベ−スマシン１に対して幾つかの付加装置が装備可能になったものであり、基本構成となるベ−スマシン１は、上面に原稿を載置するプラテンガラス２が配置され、その下方に光学系３、マ−キング系５の各装置が配置されている。他方、ベ−スマシン１には、上段トレイ６−１、中段トレイ６−２、下段トレイ６−３が取り付けられ、これら各給紙トレイは全て前面に引き出せるようになっており、操作性の向上と複写機の配置スペ−スの節約が図られると共に、ベ−スマシン１に対して出っ張らないスッキリとしたデザインの複写機が実現されている。また、給紙トレイ内の用紙を搬送するための用紙搬送系７には、インバ−タ９、１０およびデュ−プレックストレイ１１が配置されている。さらに、ベ−スマシン１上には、ＣＲＴディスプレイからなるユ−ザインタ−フェ−ス１２が取付けられると共に、プラテンガラス２の上にＤＡＤＦ（デュ−プレックスオ−トドキュメントフィ−ダ:自動両面原稿送り装置）１３が取り付けられる。また、ユ−ザインタ−フェ−ス１２は、スタンドタイプであり、その下側にカ−ド装置が取り付け可能となっている。』
（７）訂正事項ｇ
　明細書の【００１５】（本件特許公報の第６欄３６〜５０行）の記載を、次のとおりに訂正するものである。
　『【００１５】（１−２）システムの機能・特徴
（A）機能
　この複写機は、ユ−ザのニ−ズに対応した多種多彩な機能を備えつつ複写業務の入口から出口までを全自動化すると共に、上記ユ−ザインタ−フェ−ス１２においては、機能の選択、実行条件の選択およびその他のメニュ−等の表示をＣＲＴディスプレイで行い、誰もが簡単に操作できることを大きな特徴としている。』
（８）訂正事項ｈ
　明細書の【００３６】（本件特許公報の第９欄２８〜４３行）の、次のとおりに訂正するものである。
『【００３６】店の中には、複数台の複写機が配置されており、それぞれにＩＣカ−ド装置が取りつけられている。客はサ−ビス態様に応じたＩＣカ−ドを請求し、これを自分の希望する複写機にセットしてセルフサ−ビスでコピ−をとる。複写機に不慣れな客は、操作説明の表示機能をプログラムとして備えたＩＣカ−ドを請求し、これをセットすることでＵＩ１２に各種操作情報の表示を可能とし、コピ−作業を間違いなく実行することができる。ＤＡＤＦ１３の使用の可否や、多色記録の実行の可否等も貸与するＩＣカ−ドによって決定することができ、また使用機種の制限も可能となって料金にあった客の管理が可能になる。更にコピ−枚数や使用したコピ−用紙のサイズ等のコピ−作業の実態をＩＣカ−ドに書き込むことができるので、料金の請求が容易になり、常連客に対するコピ−料金の割り引き等の細かなサ−ビスも可能になる。』
（９）訂正事項ｉ
　明細書の【００４０】（本件特許公報の第１０欄２５〜２９行）の記載を、次のとおりに訂正するものである。
『【００４０】（Ｉ−３）システム構成
　図２は本発明が適用される複写機のサブシステムの構成を示す図、図３はＣＰＵによるハ−ド構成を示す図である。』
（１０）訂正事項ｊ
　明細書の【００４８】（本件特許公報の第１１欄２７〜３０行）の記載を、次のとおりに訂正するものである。
『【００４８】ＯＵＴＰＵＴサブシステム３８は、ソ−タ−やフィニッシャ−を制御し、コピ−をソ−ティングやスタッキング、ノンソ−ティングの各モ−ドにより出力したり、綴じ込み出力するサブシステムである。』
（１１）訂正事項ｋ
　明細書の【００５４】（本件特許公報の第１２欄２５〜４７行）の記載を、次のとおりに訂正するものである。
『【００５４】このため、ベ−スマシン１には、複写機の基本部分を制御するための基本記憶領域と、ＩＣカ−ドからの機能情報と共に取り込まれたプログラムを記憶する付加記憶領域が存在する。付加記憶領域には、ＤＡＤＦ１３の制御プログラム、ユ−ザインタ−フェ−ス１２の制御プログラム等の各種プログラムが格納されるようになっている。そして、ベ−スマシン１に所定の付加装置を取りつけた状態でＩＣカ−ドをＩＣカ−ド装置にセットすると、ユ−ザインタ−フェ−ス１２を通してコピ−作業に必要なプログラムが読み出され、付加記憶装置にロ−ドされるようになっている。このロ−ドされたプログラムは、基本記憶領域に書き込まれたプログラムと共働して、あるいはこのプログラムに対して優先的な地位をもってコピ−作業の制御を行う。ここで使用されるメモリは電池によってバックアップされたランダム・アクセス・メモリから構成される不揮発性メモリである。もちろん、ＩＣカ−ド、磁気カ−ド、フロッピ−ディスク等の他の記憶媒体も不揮発性メモリとして使用することができる。この複写機ではオペレ−タによる操作の負担を軽減するために、画像の濃度や倍率の設定等をプリセットすることができるようになっており、このプリセットされた値を不揮発性メモリに記憶するようになっている。』
（１２）訂正事項ｌ
　明細書の【００７１】（本件特許公報の第１５欄１６〜３１行）の記載を、次のとおりに訂正するものである。
『【００７１】本実施例の光学系３は、像を感材ベルト４の移動速度よりも速い速度で感材上に露光するＰＩＳ（プリセッション・イメ−ジング・システム）方式を採用すると共に、第２走査系Ｂを固定し、第１走査系Ａを独立して移動可能にする方式を採用している。すなわち、第１走査系Ａは、露光ランプ１０２および第１ミラ−１０３を有する第１キャリッジ１０１と、第２ミラ−１０６および第３ミラ−１０７を有する第２キャリッジ１０５から構成され、プラテンガラス２上に載置された原稿を走査する。一方、第２走査系Ｂは、第４ミラ−１１０および第５ミラ−１１１を有する第３キャリッジ１０９と、第６ミラ−１１３を有する第４キャリッジ１１２から構成されている。また、第３ミラ−１０７と第４ミラ−１１０の光軸上にはレンズ１０８が配置され、倍率に応じてレンズモ−タにより移動されるが、走査露光中は固定される。』
（１３）訂正事項ｍ
　明細書の【００７３】（本件特許公報の第１５欄５０〜第１６欄１３行）の記載を、次のとおりに訂正するものである。
『【００７３】また、伝達軸１１７に固定されたタイミングプ−リ１１７ａとこれに対向して配置される伝達軸１２３のタイミングプ−リ１２３ａ間には、タイミングベルト１１９ｃが張設され、伝達軸１２３のキャプスタンプ−リ１２３ｂとこれに対向して配置される従動ロ−ラ１２０ｃ間に第２のワイヤ−ケーブル１２１ｂが張設されている。該ワイヤ−ケーブル１２１ｂには、前記第４キャリッジ１１２が固定されると共に、ワイヤ−ケーブル１２１ｂは、第３キャリッジ１０９に設けられた減速プ−リ１２２ｂに巻回されており、キャリッジモ−タ１１４を図示矢印方向に回転させた場合には、第４キャリッジ１１２が速度Ｖ２で図示矢印方向に移動すると共に、第３キャリッジ１０９が速度Ｖ２／２で同方向に移動するようにしている。』
（１４）訂正事項ｎ
　明細書の【００７４】（本件特許公報の第１６欄１４〜３３行）の記載を、次のとおりに訂正するものである。
『【００７４】さらに、図７（ｂ）に示すように、伝達軸１１７には、タイミングプ−リ１１７ａの回転をタイミングプ−リ１１７ｂに伝達させるためのＰＩＳクラッチ１２５（電磁クラッチ）が設けられていて、該ＰＩＳクラッチ１２５の通電がオフになるとこれを係合させ、出力軸１１５の回転が伝達軸１１７、１２３に伝達される。また、ＰＩＳクラッチ１２５に通電されこれが解放すると伝達軸１１７、１２３には出力軸１１５の回転が伝達されないように構成されている。また、図７（ｃ）に示すように、タイミングプ−リ１１６ａの側面には、係合突起１２６ａが設けられ、ＬＤＣロックソレノイド１２７のオンにより係合片１２６ｂが係合突起１２６ａに係合して、伝達軸１１６を固定しすなわち第１走査系Aを固定し、ＬＤＣロックスイッチ１２９をオンさせるようにしている。さらに、タイミングプ−リ１２３ａの側面には、係合突起１３０ａが設けられ、ＰＩＳロックソレノイド１３１のオンにより係合片１３０ｂが係合突起１３０ａに係合して、伝達軸１２３を固定しすなわち第２走査系Bを固定しＰＩＳロックスイッチ１３２をオンさせるようにしている。』
（１５）訂正事項ｏ
　明細書の【００７６】（本件特許公報の第１７欄５〜２５行）の記載を、次のとおりに訂正するものである。
『【００７６】上記レンズ１０８は、図８（ａ）に示すように、プラテンガラス２の下方に配設されるレンズキャリッジ１３５に固定された支持軸１３６に摺動可能に取付けられている。レンズ１０８はワイヤ一（図示せず）によりレンズZモ−タ１３７に連結されており、該レンズZモ−タ１３７の回転によりレンズ１０８を支持軸１３６に沿ってZ方向（図で縦方向）に移動させて倍率を変化させる。また、レンズキャリッジ１３５は、ベ−ス側の支持軸１３９に摺動可能に取付けられると共に、ワイヤ一（図示せず）によりレンズＸモ−タ１４０に連結されており、レンズＸモ−タ１４０の回転によりレンズキャリッジ１３５を支持軸１３９に沿って、Ｘ方向（図で横方向）に移動させて倍率を変化させる。これらレンズモ−タ１３７、１４０は４相のステッピングモ−タである。レンズキャリッジ１３５が移動するとき、レンズキャリッジ１３５に設けられた小歯車１４２は、レンズカム１４３の雲型面に沿って回転し、これにより大歯車１４４が回転し、ワイヤ−ケ−ブル１４５を介して第２走査系の取付基台１４６を移動させる。従って、レンズＸモ−タ１４０の回転によりレンズ１０８と第２走査系Ｂの距離を所定の倍率に対して設定可能になる。』
（１６）訂正事項ｐ
　明細書の【００７９】（本件特許公報の第１７欄４４〜第１８欄７行）の記載を、次のとおりに訂正するものである。
『【００７９】キャリッジレジセンサ１５５は、第１ミラ−１０３のレジスト位置に対応するように配置され、第１走査系Aに取付けられたアクチュエ−タがキャリッジレジセンサ１５５を踏み外すと信号を出力する。この信号はオプティカルＣＰＵ４５に送られレジストレ−ションを行うための位置或いはタイミングを決定したり、第１走査系Ａのリタ−ン時におけるホ−ム位置Ｐを決定するようになっている。また、キャリッジの位置を検出するために第１ホ−ムセンサ１５６ａ、第２ホ−ムセンサ１５６ｂが設けられており、第１ホ−ムセンサ１５６ａは、レジスト位置と第１走査系Ａの停止位置との間の所定位置に配置され、第１走査系Aの位置を検出し信号を出力している。また、第２ホ−ムセンサ１５６ｂは第２走査系Bの位置を検出し信号を出力している。』
（１７）訂正事項ｑ
　明細書の【００８０】（本件特許公報の第１８欄８〜２８行）の記載を、次のとおりに訂正するものである。
『【００８０】ロ−タリエンコ−ダ１５７は、キャリッジモ−タ１１４の回転角に応じて９０°位相のずれたＡ相、Ｂ相のパルス信号を出力するタイプのものであり、例えば、２００パルス／回転で第１走査系のタイミングプ−リの軸ピッチが０.１５７１ｍｍ/パルスに設計されている。偏倍用ソレノイド１５９は、ＣＰＵ４５の制御により偏倍レンズ（図示せず）を垂直方向に移動させ、偏倍レンズの移動を偏倍スイッチ１６０のオンオフ動作で確認している。レンズホ−ムセンサ１６１、１６２は、レンズＸモ−タ１４０およびレンズＺモ−タ１３７のホ−ム位置を検出するセンサである。ＬＤＣロックソレノイド１２７は、ＣＰＵ４５の制御により第１走査系Ａを所定位置に固定するもので、ロックしたことをＬＤＣロックスイッチ１２９により確認している。ＰＩＳロックソレノイド１３１は、ＮＯＮ−ＰＩＳモ−ド時にＰＩＳクラッチ１２５が解放されたときに、第２走査系Ｂを固定するもので、ロックしたことをＰＩＳロックスイッチ１３２で確認している。ＰＩＳクラッチ１２５は、通電時にクラッチを解放させ非通電時にクラッチを係合させるタイプのもので、ＰＩＳモ−ド時の消費電力を低減させ、１.５ｋＶＡの実現に寄与している。』
（１８）訂正事項ｒ
　明細書の【００８７】（本件特許公報の第１９欄４８〜第２０欄１８行）の記載を、次のとおりに訂正するものである。
『【００８７】有機感材ベルト４はチャ−ジコロトロン（帯電器）２１１によって一様に帯電されるようになっており、図の時計方向に定速駆動されている。そして最初のパネルがレジ（露光箇所）２３１の一定時間前にきたときピッチ信号を出し、これを基準としてキャリッジスキャンと用紙フィ−ドのタイミングがとられる。チャ−ジコロトロン２１１によって帯電されたベルト表面は露光箇所２３１において露光される。露光箇所２３１には、ベ−スマシン１の上面に配置されたプラテンガラス２上に載置された原稿の光像が入射される。このために、露光ランプ１０２と、これによって照明された原稿面の反射光を伝達する複数のミラ−１０３,１０６,１０７,１１０，１１１，１１３および光学レンズ１０８とが配置されており、このうちミラ−１０３は原稿の読み取りのためにスキャンされる。またミラ−１１０、１１１、１１３は第２の走査光学系Ｂを構成し、これはＰＩＳと呼ばれるもので、プロセススピ−ドを上げるのには限界があるため、プロセススピ−ドを上げずにコピ−速度が上げられるように、ベルトの移動方向と反対方向に第２の走査光学系Ｂをスキャンして相対速度を上げ、最大６４枚／ｍｉｎ（ＣＰＭ）を達成するようにしている。』
（１９）訂正事項ｓ
　明細書の【００９２】（本件特許公報の第２１欄１６〜３０行）の記載を、次のとおりに訂正するものである。
『【００９２】図１２は感材ベルト４上のパネル分割の様子を示すものである。ベルト４はシ−ム部２５１があるので、ここに像がのらないようにしており、シ−ム部から一定距離lの位置にベルトホ−ル２５２が設けられ、例えば周長１１５８ｍｍの場合で１は７０ｍｍとしている。図の２５３、２５４は感材ベルト面をＮピッチ分割したときの先頭と最後のパネルで、図のＢはパネルの間隔、Ｃはパネル長、Ｄはパネルのピッチ長さであり、４ピッチ分割の場合は２８９.５ｍｍ、３ピッチ分割の場合は３８６ｍｍ、２ピッチ分割の場合は５７９ｍｍである。シ−ム部２５１は、パネル２５３のＬＥ（Ｌｅａｄ Eｄｇｅ）とパネル２５４のＴＥ（Tａｉｌ　 Eｄｇｅ）との中央にくるようにＡ＝Ｂ／２とする。
 なお、パネルのＬＥは用紙のＬＥと一致させる必要があるが、ＴＥは必ずしも一致せず、パネル適用の最大用紙ＴＥと一致する。』
（２０）訂正事項ｔ
　明細書の【００９６】（本件特許公報の第２２欄４〜１４行）の記載を、次のとおりに訂正するものである。
『【００９６】次にＩＭＭサブシステムの入出力信号、及び動作について説明する。
 ブラックトナ−ボトル２６１、カラ−トナ−ボトル２６２におけるトナ−の検出信号が入力されてトナ−残量が検出される。キャリッジレジセンサ１５５からはＩＭＭサブシステムからマ−キングサブシステムへ出すＰＧリクエスト信号、バイアスリクエスト信号、ＡＤＣリクエスト信号の基準となるオプチカルレジ信号が入力される。
 プラテン原稿サイズセンサＳ６ 〜Ｓ１０からは原稿サイズが入力され、これと用紙サイズとからＩＥＬ２１５による消し込み領域が決定される。』
（２１）訂正事項ｕ
　明細書の【００９８】（本件特許公報の第２２欄３２〜３５行）の記載を、次のとおりに訂正するものである。
　『【００９８】なお、ベルトホ−ルセンサ２１３で一定時間ホ−ルが検出できなかったり、ホ−ルの大きさが変わってしまったような場合にはこのことがＩＭＭサブシステム３４からシ−ケンスマネ−ジャに伝えられてマシンは停止される。』
（２２）訂正事項ｖ
　明細書の【０１００】（本件特許公報の第２３欄１〜１１行）の記載を、次のとおりに訂正するものである。
『【０１００】さらに、ＩＭＭサブシステム３４はマ−キングサブシステム３５とはホットラインによる通信を行っており、オブチカチカルレジ信号を基準にしてパッチ形成要求信号、バイアス要求信号、ＡＤＣ要求信号を送出する。マ−キングサブシステム３５はこれを受けてパッチジエネレ−タ２１２を駆動してパッチを形成すると共に、ＥＳＶセンサ２１４を駆動して静電電位を検出し、また現像装置２１６、２１７を駆動してトナ−画像を形成している。またプリトランスファコロトロン２１８、トランスファコロトロン２２０、デタックコロトロン２２１の駆動制御を行っている。』
（２３）訂正事項ｗ
　明細書の【０１０１】（本件特許公報の第２３欄１２〜１６行）の記載を、次のとおりに訂正するものである。
『【０１０１】ＩＭＭサブシステム３４からはピッチリセット信号１が送出されており、これを基準にしてキャリッジのスタ−トのタイミングをとるようにしている。またカラ−現像器ユニットが装着されているか否かの検知信号が入力され、現像装置のトナ−が黒色かカラ−かを検出している。』
（２４）訂正事項ｘ
　明細書の【０１０２】（本件特許公報の第２３欄１７〜２７行）の記載を、次のとおりに訂正するものである。
『【０１０２】ＣＨＭサブシステム３３へはＩＭＭサブシステム３４からレジゲ−トトリガ信号を送ってタッキングポイントで用紙と像の先端とが一致するように制御すると共に、レジゲ−トの開くタイミングを補正する必要がある場合は、その補正量を算出して送っている。
 またブレ−ド２２６で掻き落としたトナ−は回収トナ−ボトル２６８に回収され、ボトル内のトナ−量の検出信号がＩＭＭサブシステム３４に入力され、所定量を超えると警報するようにしている。
 またＩＭＭサブシステム３４はファンモ−タ２６３を駆動して異常な温度上昇を防止し、環境温度が許容温度範囲内にあって安定した画質のコピ−が得られるようにしている。』
（２５）訂正事項ｙ
　明細書の【０１０６】（本件特許公報の第２４欄３３〜４８行）の記載を、次のとおりに訂正するものである。
『【０１０６】用紙の両面にコピ−する両面モ−ドや同一面に複数回コピ−する合成モ−ドにより再度コピ−する場合には、デュ−プレックストレイ１１へスタックする搬送路に導かれる。両面モ−ドの場合には、搬送路から直接デュ−プレックストレイ１１へスタックされるが、合成モ−ドの場合には、一旦搬送路から合成モ−ド用インバ−タ１０へ搬送され、しかる後反転してデュ−プレックストレイ１１へ導かれる。なお、搬送路５０１からソ−タ−等への排紙出口５０２とデュ−プレックストレイ１１側との分岐点にはゲ−ト５０３が設けられ、デュ−プレックストレイ１１側において合成モ−ド用インバ−タ１０へ導く分岐点には搬送路を切り換えるためのゲ−ト５０５、５０６が設けられ、さらに、排紙出口５０２はゲート５０７が設けられトリロ−ルインバ−タ９で反転させることにより、コピ−された面を表側にして排出できるようにしている。』
（２６）訂正事項ｚ
　明細書の【０１０８】（本件特許公報の第２５欄１２〜３６行）の記載を、次のとおりに訂正するものである。
『【０１０８】図１５において、デュ−プレックストレイは、用紙枚数が５０枚程度、上記各トレイと同じ用紙サイズが収容可能なトレイであり、用紙の１つの面に複数回のコピ−を行ったり、２つの面に交互にコピ−を行う場合にコピ−済の用紙を一時的に収容するトレイである。デュ−プレックストレイ１１の入口側搬送路には、フィ−ドロ−ル５０９、ゲ−ト５０５が配置され、このゲ−ト５０５により合成モ一ドと両面モ−ドに応じた用紙搬送の切り換え制御を行っている。例えば両面モ一ドの場合には、上方から搬送されてきた用紙がゲ−ト５０５によりフィ−ドロ−ル５０９側に導かれ、合成モ−ドの場合には、上方から搬送されてきた用紙がゲ−ト５０５、５０６により一旦合成モ−ド用インバ−タ１０に導かれ、しかる後反転するとゲ−ト５０６によりフィ−ドロ−ル５１０、デュ−プレックストレイ１１側に導かれる。デュ−プレックストレイ１１に用紙を収納して所定のエッジ位置まで自由落下させるには、一般に１７°〜２０°程度のトレイ傾斜角が必要である。しかし、この複写機では、装置のコンパクト化を図りデュ−プレックストレイ１１を狭いスペ−スの中に収納したため、最大で８°の傾斜角しかとれない。そこで、デュ−プレックストレイ１１には、図１７に示すようにサイドガイド５６１とエンドガイド５６２が設けられている。これらサイドガイドとエンドガイドの制御では、用紙サイズが決定されるとその用紙サイズに対応する位置で停止させる。』
（２７）訂正事項ａａ
　明細書の【０１１４】（本件特許公報の第２７欄２５〜２８行）の記載を、次のとおりに訂正するものである。
『【０１１４】次に図２０をも参照しつつ上記構成からなるＤＡＤＦ１３の作用について説明する。（イ）はプラテンモ−ドであり、プラテンガラス２上に原稿６０１を載置して露光するモ−ドである。』
（２８）訂正事項ａｂ
　明細書の【０１１６】（本件特許公報の第２８欄３〜２３行）の記載を、次のとおりに訂正するものである。
『【０１１６】（ハ）はデュ−プレックスモ−ドであり、原稿の片面を露光する工程は上記（ロ）の(1)〜(3)（当審注：当該数字は丸数字である。）の工程と同様であるが、片面露光が終了するとベルト駆動ロ−ラ６１９が逆転し、かつ、第３の駆動ロ−ラ６１２は上方に移動して従動ロ一ラ６１３と離れると共に、停止ゲ−ト６１５は下降して水平搬送路６１１を遮断する。従って、原稿は反転用搬送路６１６に搬送され、さらに第４の駆動ロ−ラ６１７および第２の駆動ロ−ラ６０７により、円弧状搬送路６０９を通り、停止ゲ−ト６１５に押し当てられる（（4)〜(5)（当審注：当該数字は丸数字である。））。次いで、第３の駆動ロ−ラ６１２が下方に移動して従動ロ一ラ６１３と接触すると共に、停止ゲ−ト６１５は上昇して水平搬送路６１１を開き、第３の駆動ロ−ラ６１２、ベルト駆動ロ−ラ６１９および第５の駆動ロ−ラ６２２が回転し、原稿の裏面が下になってプラテンガラス２上の所定位置に送られ露光される。両面の露光が終了すると再びベルト駆動ロ−ラ６１９が逆転し、再度反転用搬送路６１６に搬送され以下同様にしてプラテンガラス２上を通って第５の駆動ロ−ラ６２２により排出される（(7)（当審注：当該数字は丸数字である。）〜１０）。従って排出された原稿は、コピ−される第１の面が下側になって最初に原稿トレイ６０２に積層した順番で積層されることになる。』
（２９）訂正事項ａｃ
　明細書の【０１２４】（本件特許公報の第３０欄４５〜第３１欄２２行）の記載を、次のとおりに訂正するものである。
『【０１２４】さらに、この複写機のユ−ザインタ−フェ−スでは、ディスプレイ２８０本体の下側と横にキ−ボ−ド２８１、２８２を配置するが、特にキ−ボ−ド２８２は、横へ出っ張ることになると同時にユ−ザ側からさらに遠くなる位置にある。一般にコピ−枚数を設定してスタ−トキ−を操作するだけのユ−ザは凡そ８０%に及ぶとみられており、このような使用頻度の高いキ−が操作位置から遠くなることは好ましくない。そこで、キ−ボ−ド２８２をディスプレイ２８０の表示面よりさらに中央へ向けることによって、キ−を近くして操作性をよくし、また、外形上の出っ張りをなくすことができる。この角度は、例えば３０°±５° 程度が望ましい値である。このようにすると、コンパクトな装置では、オペレ−タが装置の中央部にいて、移動することなく原稿セット、ユ−ザインタ−フェ−スの操作を行うことができる。また、サポ−ト２８６を使用することによって、トップカバ−２８７での取り付け専有面積をディスプレイ２８０本体のサイズより小さくし且つその位置もより隅に設定でき、ＡＤＦとの干渉をなくすと共に図２４（ｅ）の側面図から明らかなようにユ−ザインタ−フェ−スの下方の原稿送りスペ−スとその視界を確保することができる。さらに、サポ−ト２８６の中は、ユ−ザインタ−フェ−スの制御基板、ＩＣ装置の配置スペ−スとして利用できるが、ユ−ザインタ−フェ−スの制御基板はベ−ス２８４の中を利用してもよい。なお、図２４（ｄ）はサポ−ト２８６の前面を化粧パネル２８８で覆い、その下方にカ−ド装置２４、電源スイッチＳＷを取り付けた状態を示している。』
（３０）訂正事項ａｄ
　明細書の【０１２５】（本件特許公報の第３１欄２３〜３９行）の記載を、次のとおりに訂正するものである。
『【０１２５】同図（ｆ）はサポ−トの下端部の取り付け状態を示す図、同図（ｇ）はトップカバ−におけるユ−ザインタ−フェ−ス取り付け構造の例を示す図である。この複写機のユ−ザインタ−フェ−スは、本体１のトップカバ−２８７上に出っ張るため、搬送時の損傷を受けやすくなる。このような問題をなくすためには、ユ−ザインタ−フェ−スの取り付けが簡単な構造を採用すると、別梱包で搬入して据え付け時に組み立てることができる。このような要求にあった取り付け構造の１例を示したのが同図（ｆ）、（ｇ）である。この取り付け方法は、トップカバ−２８７に取り付けフレ−ム２８９を設け、この取り付けフレ−ム２８９にサポ−ト２８６を嵌め込むものである。この場合のサポ−ト２８６の固定は、同図（ｇ）に示すように取り付けフレ−ム２８９の前方にロケットピン２９０を設け、サポ−ト２８６を滑り込ませてロケットピン２９０にサポ−ト２８６の孔を嵌合させ、後方をねじ２９１止めしている。』
（３１）訂正事項ａｅ
　明細書の【０１４５】（本件特許公報の第３７欄４３〜第３８欄２１行）の記載を、次のとおりに訂正するものである。
『【０１４５】「ジョブコントロ−ラ」
　キ−管理部３７４は、ステ−トテ−ブル３７１を参照して論理キ−が今受付可能な状態か否かをチェックするものであり、受け付け可であればその後７５０ｍｓｅｃ経過するまで他のキ−情報が入力されないことを条件としてキ−情報を確定しキ−コントロ−ル部３７５に送る。キ−コントロ−ル部３７５は、キ−の受付処理を行ってコピ−モ−ドテ−ブル３７８の更新、モ−ドチェックやコピ−実行コマンドの発行を行い、マシン状態を把握して表示管理部３７７に表示制御情報を渡すことによって表示制御を行うものである。コピ−モ−ドテ−ブル３７８には、基本コピ−、応用コピ−、専門コピ−の各コピ−設定情報がセットされる。表示管理部３７７は、キ−管理部３７４又はキ−コントロ−ル部３７５による処理結果を基にインタ−フェ−スコマンドをビデオコントロ−ラに発行し、インタ−フェ−スル−チン（表示制御部３６９）を起動させる。ステ−ト管理部３７２は、キ−受付状態やジャムやフェイルの発生、インタ−ロックが開いている等のマシンの状態情報からステ−トの変化を判断してキ−受付のためのステ−トテ−ブル３７１を更新する。そして、これらのステ−ト情報によってキ−の受付条件がチェックされる。ジョブコントロ−ル部３７６は、スタ−トキ−の操作後、マシンの動作情報を受けてマシン制御のためのコマンドを発行して原稿１枚に対するコピ−動作を実行するための管理を行うものである。コマンドコントロ−ル部３７３は、本体から送信されてきたステ−トコマンドよりマシンの状態をステ−ト管理部３７２及びジョブコントロ−ル部３７６に通知すると共に、ジョブ実行中はジョブコントロ−ル部３７６からその実行のためのコマンドを受けて本体に送信する。』
（３２）訂正事項ａｆ
　明細書の【０１５３】（本件特許公報の第４０欄第９行〜第２５行）の記載を、次のとおりに訂正するものである。
『【０１５３】　マシンステ−トは、図３０（ｃ）に示すように本体からマシンの状態をもらったときに覚えておく情報であり、本体が初期状態（INITIARIZE）、コピ−サイクルに入った所謂動作状態（PROGRESS）、コピ−サイクルが終わって止まろうとしている状態（SOFTDOWN　COIN）、ジャムやベルト切断等の異常停止状態（SOFTDOWN　PAUSE）、ジャム後に自動的に排紙する状態（PURGE）、マシンの停止状態（STAND−BY）、スタ−ト指令でパ−ジを実行する状態（PURGE STAND−BY）、マシンがジャムで停止した状態（JAM）かの情報がある。従って、マシン動作との関係は、スタンバイからスタ−トキ−が操作されると、ブログレスになり、ソフトダウンコインを経て通常に動作終了すると再びスタンバイになる。しかし途中でジャムが発生すると、ソフトダウンポ−ズになり、停止するとジャムになる。そして、用紙を排出する必要があればパ−ジスタンバイになり、用紙を排出するとパ−ジになって再度コピ−を続行するとブログレスに移行する。』
（３３）訂正事項ａｇ
　明細書の【０１９３】（本件特許公報の第４９欄２３〜３１行）の記載を、次のとおりに訂正するものである。
『【０１９３】全自動画面は、図３７（ｂ）に示すような画面で、パワ−オンされたときや予熱モ−ドで予熱キ−３０６が操作されたとき或いはオ−ルクリアキ−３１６が操作されたときに表示され、各選択モ−ド画面のカスケ−ドがすべてデフォルトに設定されている状態の画面である。この画面では、その指示のとおりプラテン上に原稿をセットし、テンキ−によりコピ−枚数を設定してスタ−トキ−３１８を押すと、原稿と同じサイズの用紙が選択されて設定枚数のコピ−が実行される。』
（３４）訂正事項ａｈ
　明細書の【０２１８】（本件特許公報の第５５欄２２〜４３行）の記載を、次のとおりに訂正するものである。
『【０２１８】Ｖ−ＲＡＭ３４０のアドレスは、図４２に示すようにＵ／I用ＣＰＵ４６とＣＲＴコントロ−ラ３３５がそれぞれ独自に管理し、Ｖ−ＲＡＭ３４０へのビデオデ−タの書き込みはＵ／I用ＣＰＵ４６で行い、ＣＲＴディスプレイ３０１への表示はＣＲＴコントロ−ラ３３５で行う。例えばＣＲＴコントロ−ラ３３５からＶ−ＲＡＭ３４０のアドレスを見ると図４３に示すようになり、「０」番地、「１」番地、…にそれぞれキャラクタジェネレ−タのコ−ド及び属性が書き込まれている。従ってＣＲＴコントロ−ラ３３５は、図４４に示す回路により表示タイミングに同期して対応する番地のデ−タ「Ｄ０→Ｄ７」（L側）、「Ｄ０→Ｄ４」（Ｈ側）を読み出すと共に、ラスタアドレス「ＲＡ」を生成してキャラクタジェネレ−タをアクセスすることによって各タイルのスキャンラインのデ−タ「Ｄ０→Ｄ７」を並／直変換回路３５５に出力する。例えば「富」の漢字のドットパタ−ンは、図４５のように表すことができるが、先に述べたように漢字は２タイルで構成しているので、スキャンアドレス「Ａ０→Ａ３」に対応してまず左側半分をタイルとする出力「Ｄ０→Ｄ７」、続いて右側半分をタイルとする出力「Ｄ０→Ｄ７」がキャラクタジエネレ−タ３４２の出力となる。』
（３５）訂正事項ａｉ
　明細書の【０２２７】（本件特許公報の第５７欄４１〜第５８欄２行）の記載を、次のとおりに訂正するものである。
『【０２２７】これらの画面の表示状態において、オペレ−タによってカスケ−ドキ−が操作され物理キ−テーブル３６１が更新されると、キ−変化検出部３６２でそれを検知し、キ−変換部３６３で論理キ−に変換する。カスケ−ドキ−は、画面によって論理キ−への変換が異なるので、表示制御デ−タ３６７の画面情報より変換テ−ブル３６４の参照位置を制御し論理キ−への変換が行われる。例えば、図２５においてカスケ−ドキ−３１９−３が操作された場合、画面が基本コピ−画面であれば両面コピ−カスケ−ドの論理キ−に変換されるが、応用コピ−画面であればカラ−カスケ−ドの論理キ−に変換される。』
（３６）訂正事項ａｊ
　明細書の【０２２８】（本件特許公報の第５８欄第３行〜第１９行）の記載を、次のとおりに訂正するものである。
『【０２２８】キ−管理部３７４では、ステ−トテーブル３７１より今受け付けられる状態か否かを判断し、この場合には選択モ−ド画面でのカスケ−ドキ−という条件で受付許可し、このキ−をキ−コントロ−ル部３７５さらにはここからステ−ト管理部３７２に送る。キ−コントロ−ル部３７５では、このキ−からコピ−モ−ドテ−ブル３７８を更新すると共に表示管理部３７７にカスケ−ドの表示情報を渡し、表示管理部３７７でインタ−フェ−スコマンドを生成して表示制御部３６９に発行する。表示制御部３６９は、このインタ−フェ−スコマンドを受けて表示制御デ−タ３６７のカスケ−ド設定情報を更新する。以後、この内容はダイアログ編集部３６６により画面に反映されることは、先に説明した通りである。このようにして各選択モ−ド画面の切り換えを行い、各カスケ−ドが設定されると、その設定状態がディスプレイに表示されると共に、ジョブコントロ−ラのコピ−モ−ドテ−ブル３７８、ステ−トテーブル３７１が更新されてゆく。』
（３７）訂正事項ａｋ
　明細書の【０２２９】（本件特許公報の第５８欄２０〜２８行）の記載を、次のとおりに訂正するものである。
『【０２２９】そして、スタ−トキ−が操作されると、キ−コントロ−ル部３７５は、コピ−モ−ドテ−ブル３７８のチェックを行いコピ−実行コマンドを発行する。このコピ−実行コマンドの発行は、送信バッファ３８０にセットすることにより行われ、モニタ−によりシリアルの通信ラインを介してメインＣＰＵに送信される。モ−ド設定が矛盾している場合には、表示管理部３７７から表示制御のインタ−フェ−スコマンドを生成、発行してメッセ−ジを制御する。』
（３８）訂正事項ａｌ
　明細書の【０２４９】（本件特許公報の第６１欄３６〜４６行）の記載を、次のとおりに訂正するものである。
『【０２４９】ポップアップクロ−ズは、ポップアップウインドウ上の「閉じる」（クロ−ズキ−）が選択され一定時間経過、例えば５００ｍｓｅｃ後、画面変更キ−やオ−トクリアキ−その他ポップアップウインドウ外のキ−（カスケ−ドキ−を含む）が操作されたとき、予熱モ−ドに入ったとき、割り込みモ−ドに入ったとき等に行われる。従って、一旦画面が変更されてまた元の画面に戻ったときもそれ以前のポップアップは閉じている。なお、クロ−ズキ−が操作されてポップアップがクロ−ズするときは、一旦カスケ−ドでポップアップを閉じることを表示し、他のキ−の入力は受け付けない。』
（３９）訂正事項ａｍ
　明細書の【０２６３】（本件特許公報の第６５欄１６〜２4行）の記載を、次のとおりに訂正するものである。
『【０２６３】そこで、この複写機では、ダイアログデ−タ３７０と表示制御デ−タ３６７により少ない画面デ−タ量でコンフィギュレ−ション設定の可能なデ−タ構造を採用し、コンフィギュレ−ション情報を表示制御デ−タ３６７に設定することによって各画面のカスケ−ド名及び選択肢を制御すると共に、変換テ−ブル３６４も切り換えることによってキ−変換部３６３での論理キ−への変換を制御している。そのコンフイギュレ−ション設定処理の流れを示したのが図５１である。』
（４０）訂正事項ａｎ
　明細書の【０２６９】（本件特許公報の第６６欄３９〜４７行）の記載を、次のとおりに訂正するものである。
『【０２６９】全自動モ−ドでは、先に示した選択モ−ド画面からも明らかなようにトレイは自動選択、倍率は等倍、コピ−濃度は自動、両面機能は片面のモ−ドが設定される。従って全自動画面でのキ−の受付は、ダイレクトキ−と画面変更キ−のみが可能となる。このようなキ−の受付管理は、先に説明したようにステ−トテ−ブル３７１に従ってキ−管理部３７４が行い、キ−コントロ−ル部３７５が図３０（ｄ）に示すようなコピ−モ−ドテ−ブル３７８を生成してコピ−モ−ドの管理を行っている。』
（４１）訂正事項ａｏ
　明細書の【０２８７】（本件特許公報の第７０欄３６〜第７１欄１２行）の記載を、次のとおりに訂正するものである。
『【０２８７】以下、Ｐ０モ−ドの際の操作を、図５５のフロ−チャ−トおよび図５６の画面表示の例を参照して説明する。
　先ず、所定の操作、例えば適当なファンクションキ−を押しながら電源を投入すると、ダイアグモ−ドに入る。そのときの表示画面は図５６（ａ）のようであり、ダイアグモ−ドであることの表示と文字Ｐが表示される。このときマシンは何の動作も行わず、その状態は変化しない。この状態でテンキ−から０を入力するとＰ０モ−ドに入り、画面表示は図５６（ｂ）のようにＰ０モ−ドに入ったことを表示する。この画面において、初期化のためのリモ−ト値、即ち上述したコ−ド番号に相当する番号とその解説が表示されている。１は、以下の２〜９に示されている全ての項目の初期化を行うリモ−ト値であることを示し、以下同様に２はＰ６−マ−キング、つまりＰ６で設定したマ−キングの初期化を行うリモ−ト値、３はＤＡＤＦの初期化を行うリモ−ト値、４はＣＨＭの初期化を行うリモ−ト値、５はＩＭＭの初期化を行うリモ−ト値、６はＰ６のシステムで設定した値の初期化を行うリモ−ト値、７はユ−ザインタ−フェ−スの初期化を行うリモ−ト値、８はＰ３の初期化を行うリモ−ト値、９はＰ８の初期化を行うリモ−ト値、であることを示している。前にも述べたように、従来では、例えば全ての初期化を行うにはコ−ド表から該当するリモ−ト値を捜し出して入力していたのであるが、本複写機ではこのようにリモ−ト値とその解説が表示されるので、サ−ビスマンはいちいちコ−ド表を捜す必要はなく、操作性のよいものである。』
（４２）訂正事項ａｐ
　明細書の【０２９０】（本件特許公報の第７１欄４３〜第７２欄５行）の記載を、次のとおりに訂正するものである。
『【０２９０】全てを初期化した場合はこれで終了であるが、例えば７のＰ６−ＵＩの初期化を行い、次に４のＰ６−ＣＨＭの初期化を行おうとするときには、上述した手順中図５６（ｃ）で７を入力して初期化を行い、終了したらストップキ−を押して直前の画面に復帰させ、更にクリアキ−を押してＰ０モ−ドの初期画面に復帰させて図５６（ｂ）の画面に戻し、この状態で４を入力して初期化を行う。また、どの画面の状態においてもＰキ−（プログラムキ−）を押すことによって図５６（ａ）のダイアグモ−ドの初期画面に戻ることができる。つまり、ストップキ−、クリアキ−およびＰキ−は入力誤りの際に所望の画面に復帰するための操作に用いられるのである。』
（４３）訂正事項ａｑ
　明細書の【０３００】（本件特許公報の第７４欄７〜１７行）の記載を、次のとおりに訂正するものである。
『【０３００】図５９（ｃ）の状態、即ち単一の部品の出力チェックを行った状態でストップキ−を押すと、ストップキ−は直前に入力したコ−ドＮｏ.の出力のみをＯＦＦとする機能を有するので、この場合は図５９（ｂ）のコ−ドNｏ.だけが表示された画面に戻る（実線８０１の画面遷移）。そして、図５９（ｂ）の状態でクリアキ−を押すと、クリアキ−は直前のデ−タを消去する機能を有しているから、実線８０２に従って、図５９（ａ）のＰ２モ−ドの初期画面に戻る。なお、どの画面においてもＰキ−が押されるとダイアグモ−ドの初期画面である図５６（ａ）に戻る。』
（４４）訂正事項ａｒ
　明細書の【０３０１】（本件特許公報の第７４欄１８〜２７行）の記載を、次のとおりに訂正するものである。
『【０３０１】以上は単一部品の出力チェックについての説明であるが、図５９（ｃ）に示されているように、一つのコ−ドＮｏ.について出力ＯＮとするとカ−ソルは次の行に移動し、次のコ−ドＮｏ.の入力を待機する状態に入るので、例えば、逆転モ−タ１のチェックの後、引き続いてメインモ−タ１のチェックを行う場合には、図５９（ｃ）の状態でそのままメインモ−タ１のコ−ドＮｏ.である801を入力し、スタ−トキ−を押せば画面は図５９（ｄ）のようになる。なお、これは図５８の波線803に従う画面遷移である。』
（４５）訂正事項ａｓ
　明細書の【０３０８】（本件特許公報の第７５欄４０〜４７行）の記載を、次のとおりに訂正するものである。
『【０３０８】以上のように、ストップキ−を使用することにより、複数の部品の出力チェックを行っている場合、その中のある部品について出力をＯＦＦさせることができる。これに対して、図５９（ｅ）の状態で全ての部品の出力をＯＦＦする場合、出力チェックを取り消す場合、もしくはダイアグモ−ドを変更する場合にはＰキ−を操作することによりどの画面の状態からでもダイアグモ−ドの初期画面に戻ることができる。』
（４６）訂正事項ａｔ
　明細書の【０３１１】（本件特許公報の第７６欄１３〜２１行）の記載を、次のとおりに訂正するものである。
『【０３１１】ダイアグモ−ドの初期画面（図５６（ａ））で３を入力してＰ３モ−ドに入り、そこで１を入力するとＨＦＳＩの画面が表示され、スタ−トキ−を押すと図６２（ａ）に示す画面となる。この画面において、１〜１３の番号は図６１のＮｏ.に対応している。例えば、図６２（ａ）から上段トレイのフイ−ド数は１２３４枚であることが分かる。なお、ＨＦＳＩの種類は１３しかないので図６２（ａ）の１４以下は空欄になされている。』
（４７）訂正事項ａｕ
　明細書の【０３１７】（本件特許公報の第７７欄１０〜３０行）の記載を、次のとおりに訂正するものである。
『【０３１７】図６４にP５モ−ドの表示画面の例を示す。まず、適当なファンクションキ−を押しながら電源ＯＮすると、ダイアグモ−ドに入り（図５６（ａ））、この状態でテンキ−５を押すと、Ｐ５システムチェックに入り、画面表示は図６４（ａ）に示すようにＰ５モ−ドに入ったことを表示する。そして、例えばパッチジェネレ−タリモ−ト（ＰＧＲＥＭ）セットアップ用コ−ドである１０を入力すると、表示画面は図６４（ｂ）のようにチェックモ−ド表示となり、この状態でスタ−トキ−を押すと、パッチジェネレ−タリモ−トセットアップが自動的に実行される。この時の表示画面は図６４（ｃ）のようにコ−ドナンバ−１０、パッチ領域の電圧を示すＶＰＧＡ、及びモニタ−するリモ−ト値が表示される。そして、ストップキ−を押すと、図６４（ｂ）の表示画面に戻り、この状態でＰキ−を押すと、自己診断モ−ドの初期画面に戻る。また、図６４（ｂ）の表示画面にある状態で、クリアキ−を押すと、図６４（ａ）の表示画面の状態になり、他のチェックコ−ドが入力可能になる。こうして、各チェックモ−ドに応じたコ−ドナンバ−を入力することにより、ダイアグモ−ドにおける各モ−ドを走らせることができる。』
（４８）訂正事項ａｖ
　明細書の【０３２４】（本件特許公報の第７８欄４６〜第７９欄２行）の記載を、次のとおりに訂正するものである。
『【０３２４】なお、図６６（ｂ）の状態でクリアキ−を押せば入力されたコ−ドＮｏ.をクリアして図６６（ａ）のＰ６モ−ドの初期画面に戻り、図６６（ｃ）の状態、および図６６（ｅ）の状態でストップキ−を押せば図６６（ｂ）の画面に復帰し、また、どの画面の状態においてもＰキ−を押すことによりダイアグモ−ドの初期画面（図５６（ａ））に戻ることができる。』
（４９）訂正事項ａｗ
　明細書の【０３２８】（本件特許公報の第７９欄１９〜第８０欄１行）の記載を、次のとおりに訂正するものである。
『【０３２８】先ず、所定のキ−操作により図５６（ａ）のダイアグモ−ドの初期画面を呼び出し、テンキ−で８を入力すると図６９（ａ）に示すＰ８モ−ドの初期画面が表示される。この状態で、いま、ソ−タの１ビンに収納する枚数を設定するためにコ−ドNo.３１をテンキ−で入力すると、画面は図６９（ｂ）に示すように変わり、スタ−トキ−が押されると、図６９（ｃ）に示すように入力されたコ−ドNo,３１を先頭に１０コ−ド分のコ−ドNo.と、そのコ−ドNo.に該当するモ−ドの現在の設定値（CURRENT）および初期値（INITIAL）が表示される。コ−ドNo.３４~４０は使用されていないのでＮＧ（No Good）という表示がなされている。このときスタ−トキ−ボ−ドが押されたので、始めてマシンは動作し、コ−ドNo.３１のカレント値である５０をＮＶＭから読み出す。ここでコ−ドNo.３１のモ−ドのカレント値を５０から２５に変更しようとしてテンキ−で２５を入力すると、画面は図６９（ｄ）に示すように、コ−ドNo.３１の行の表示が白黒反転され、カレント値が２５に変わる。この状態でスタ−トキ−が押されると画面は図６９（ｅ）に示すように通常の表示状態に戻ると共にＮＶＭには２５が書き込まれる。この場合、カ−ソルがコ−ドNo.３１の箇所にあるのでテンキ−で所望のカレント値を入力すれば足りるが、もし図６９（ｃ）の状態でコ−ドNo.３４のモ−ドの設定を変更しようとする場合には、カ−ソルをカスケ−ドキ−によりコ−ドNo.３４の箇所に移動させて上述した操作を行わなければならない。なお、図６９（ｂ）の状態でクリアキ−を押せば入力されたコ−ドNo.をクリアして図６９（ａ）のＰ８モ−ドの初期画面に戻り、図６９（ｃ）の状態、および図６９（ｅ）の状態でストップキ−を押せば図６９（ｂ）の画面に復帰し、また、どの画面の状態においてもＰキ一を押すことによりダイアグモ−ドの初期画面（図５６（ａ））に戻ることができる。』
（５０）訂正事項ａｘ
　明細書の【０３３０】（本件特許公報の第８０欄６〜２０行）の記載を、次のとおりに訂正するものである。
『【０３３０】本複写機のようにＡＰＳ（自動用紙選択）およびＡＴＳ（自動トレイ選択）機能を有する複写機において、ＡＴＳモ−ドに設定されていれば、コピ−の最中に現在使用されているトレイに用紙がなくなった場合には各トレイの用紙サイズを検索し、同一サイズの用紙が入っているトレイがあれば、自動的にトレイを切り換えてコピ−動作が続行されるようになされている。しかし、その一方、トレイによっては色紙、ＯＨＰ用紙等の特殊用紙が入れられるものもあり、その場合に用紙サイズが同じだからといってＡＴＳ機能により特殊用紙が入ったトレイが選択されると、色紙、ＯＨＰ用紙等の特別な用紙にコピ−されてしまうという不都合が生じることになる。そこで、本複写機のダイアグモ−ドのＰ８ではＡＰＳ／ＡＴＳ機能の有無の設定を行えるようにしたのである。』
（５１）訂正事項ａｙ
　明細書の【０３３６】（本件特許公報の第８１欄４１〜４５行）の記載を、次のとおりに訂正するものである。
『【０３３６】以上述べてきたように、本複写機のダイアグモ−ドのＰ８において、所定のトレイをＡＰＳ、ＡＴＳモ−ドの対象から外すことができるようにしたので、特殊用紙を使用する場合に不都合が生じることを防止できるものである。』
（５２）訂正事項ａｚ
　明細書の【０３６９】（本件特許公報の第９０欄１３〜２８行）の記載を、次のとおりに訂正するものである。
『【０３６９】ステップＳ３５の処理が終了するとステップＳ３６でカスケ−ドの表示位置を移動させる処理を行う。つまり、カスケ−ドの表示位置をベ−スモ−ドで設定された通りの位置に移動させるのである。この処理は次のように行われる。キ−コントロ−ル部３７５がコピ−モ−ドテ−ブル３７８の内容を把握し、表示管理部３７７に表示制御情報（インタ−フェ−スコマンド）を渡すと、表示制御部３６９は当該インタ−フェ−スコマンドを解析し、表示制御デ−タ３６７を更新する。するとダイアログ編集部３６６は表示制御デ−タ３６７の画面番号、表示変数等のデ−タに基づいて、画面の基本フレ−ム、表示デ−タをダイアログデ−タ３７０から読み出し、更に変数デ−タについては表示制御デ−タ３６７の表示変数情報に従って表示デ−タを決定して画面を編集し、Ｖ−ＲＡＭ３６５に表示する画面を書き込む。』
（５３）訂正事項ｂａ
　明細書の【図面の簡単な説明】の【図２９】（本件特許公報の第９３欄第１９〜２０行）の記載を、次のとおりに訂正するものである。
『【図２９】インタ−フェ−スコマンドの構成例を示す図である。』
（５４）訂正事項ｂｂ
　明細書の【符号の説明】（本件特許公報の第９８欄第２０行〜第３０行）の記載を、次のとおりに訂正するものである。
『【符号の説明】
１…ベ−スマシン、２…プラテンガラス、３…光学系３、４…感材ベルト、５…マ−キング系、６…トレイ、７…用紙搬送系、９、１０…インバ−タ、１１…デユ−プレックストレイ、１２…ユ−ザインタ−フェ−ス、１３…自動両面原稿送り装置（ＤＡＤＦ）、１５…リサイクルドキュメントハンドラ−（ＲＤＨ）、１６…マルチシ−トインサ−タ（ＭＳＩ）、１７…大容量トレイ（ＨＣＦ）、１９…ソ−タ、２０…シンプルキャッチトレイ、２１…オフセットキャッチトレイ、２２…フィニッシャ、２３…フォ−ルダ。』
（２−２）訂正の目的の適否、新規事項の有無及び拡張・変更の存否
（１）訂正事項ａ
　訂正事項ａは、請求項１の「前記複数の操作キ−のうち、前記第２の表示状態において表示中の下位機能の選択肢を選択する操作キ−以外の操作キ−が操作された場合に、表示中の前記第２の表示状態の表示を閉じる」の次に、「と共に、非使用状態における消費電力の節約と非使用状態から記録動作へと迅速な移行を可能にするための予熱モ−ドに入ったときに、表示中の前記第２の表示状態の表示を閉じる表示制御手段」を挿入するように規定するものであるところ、訂正事項ａの「と共に、非使用状態における消費電力の節約と非使用状態から記録動作へと迅速な移行を可能にするための予熱モ−ドに入ったときに、表示中の前記第２の表示状態の表示を閉じる表示制御手段」は、明細書の【０２４９】の「ポップアップクロ−ズは、ポップアップウインドウ上の「閉じる」（クロ−ズキ−）が選択され一定時間経過、例えば５００ｍｓｅｃ後、画面変更キ−やオ−トクリアキ−その他ポップアップウインドウ外のキ−（カスケ−ドキ−を含む）が操作されたとき、予熱モ−ドに入ったとき、割り込みモ−ドに入ったとき等に行われる。」という記載、及び、明細書の【０２０７】の「予熱キ−３０６は、非使用状態における消費電力の節約と非使用状態からコピ−動作への迅速な移行を可能にするために予熱モ−ドを設定するものであり、」という記載に基いて、当該表示制御手段が、前記複数の操作キ−のうち、前記第２の表示状態において表示中の下位機能の選択肢を選択する操作キ−以外の操作キ−が操作された場合に、表示中の前記第２の表示状態の表示を閉じる機能を備えていることに加えて、非使用状態における消費電力の節約と非使用状態から記録動作へと迅速な移行を可能にするための予熱モ−ドに入ったときに、表示中の前記第２の表示状態の表示を閉じる機能を備えている態様に技術的に限定し、具体化するものである。
　そうすると、訂正事項ａは、特許請求の範囲の減縮を目的とし、願書に添付した明細書又は図面に記載した事項の範囲内においてした訂正であり、実質上特許請求の範囲を拡張し又は変更するものではない。
（２）訂正事項ｂ
　上記訂正事項ｂについては、特許請求の範囲の訂正（請求項１）に合わせて発明の詳細な説明の欄の【０００７】の記載を整合したものであるから、この訂正事項ｂは、明りょうでない記載の釈明を目的とし、願書に添付した明細書又は図面に記載した事項の範囲内においてした訂正であり、実質上特許請求の範囲を拡張し又は変更するものではない。
（３）訂正事項ｃ,ｄ
　上記訂正事項ｃ,ｄについては、特許請求の範囲の訂正（請求項１）に伴って発明の詳細な説明中の【００１０】の【作用】及び【０３７４】の【発明の効果】の欄を整合したものであるから、この訂正事項ｃ,ｄは、明りょうでない記載の釈明を目的とし、願書に添付した明細書又は図面に記載した事項の範囲内においてした訂正であり、実質上特許請求の範囲を拡張し又は変更するものではない。
（４）訂正事項ｅ〜訂正事項ａｚ
　上記訂正事項ｅ〜訂正事項ａｚについては、発明の詳細な説明中の明白な誤記を訂正したものであるから、この訂正事項ｅ〜訂正事項ａｚは、誤記の訂正を目的とし、願書に添付した明細書又は図面に記載した事項の範囲内においてした訂正であり、実質上特許請求の範囲を拡張し又は変更するものではない。
（５）訂正事項ｂａ
　上記訂正事項ｂａについては、図面の簡単な説明中の【図２９】の説明を明細書中の【０１４７】の記載と整合させたものであるから、この訂正事項ｂａは、誤記の訂正を目的とし、願書に添付した明細書又は図面に記載した事項の範囲内においてした訂正であり、実質上特許請求の範囲を拡張し又は変更するものではない。
（６）訂正事項ｂｂ
　上記訂事項ｂｂについては、図面の簡単な説明中の【符号の説明】の明白な誤記を訂正したものであるから、この訂正事項ｂｂは、誤記の訂正を目的とし、願書に添付した明細書又は図面に記載した事項の範囲内においてした訂正であり、実質上特許請求の範囲を拡張し又は変更するものではない。
（７）小括
　以上のとおりであって、訂正事項ａ乃至ｂｂは、特許請求の範囲の減縮、誤記の訂正、明りょうでない記載の釈明の釈明を目的とし、願書に添付した明細書又は図面に記載した事項の範囲内においてした訂正であり、実質上特許請求の範囲を拡張し又は変更するものではないから、本件の訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項に適合するので、当該訂正を認める。
３．特許異議の申立てについて
３−１．特許異議の申立ての概要
理由１
　本件特許の出願は、次のア．乃至ウ．のとおり、明細書の記載において不備があり、特許法第３６条第３項及び第４項第２号に規定する要件を満たしていない出願である。したがって、本件特許発明についての特許は、拒絶の査定をしなければならない特許出願に対してされたものである。
　ア．請求項１に係る発明の「前記第１の表示状態の表示中に、前記操作キ−の入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キ−のうちいずれかの操作キ−を用いて選択可能とする制御手段」における、第２の表示状態を表示する第１の表示状態の「一部」とは、どの部分であるのか不明である。
　イ．ア．の結果として複数の上位機能のうち少なくとも１つを不表示状態とするのであるところ、「不表示状態」とはどのような態様であるのか不明である。
　ウ．請求項３に係る発明の「前記第２の表示状態の領域を囲んだ枠線を表示することを特徴とする請求項１記載の表示装置。」における、第２の表示状態を囲んだ「枠線」とは、何を指すのか、不明である。
　（なお、当審において、「本件特許の明細書の段落【０１４７】における「図２９」についての説示と同書第１２４／１２９頁第９行の「図２９」についての説示は整合しない。」旨も併せて記載不備として通知された。）
理由２
　本件の請求項１乃至３に係る発明は、その出願前に当業者が刊行物（特開昭５６−１１６１１３号公報、甲第１号証）に記載された発明に基いて容易に発明をすることができたものである。したがって、本件発明の特許は特許法第２９条第２項の規定に違反してされたものである。
３−２．本件特許の請求項１乃至３に係る発明
ア．本件特許の請求項１に係る発明は、符号Ａ乃至Ｄ、Ｅ１乃至Ｅ３、及びＦを挿入して分説すると、次のとおりである。
Ａ　記録装置に対する機能選択を行うために用いる表示装置において、
Ｂ　複数の上位機能を表示する第１の表示状態、及び、前記複数の上位機能のそれぞれに対応して設けられる下位機能の選択肢を表示する第２の表示状態を有する表示手段と、
Ｃ　機能選択、または前記第１の表示状態において表示中の複数の上位機能の選択、または前記第２の表示状態において表示中の下位機能の選択肢の選択のために用いられる複数の操作キ−と、
Ｄ　前記複数の操作キ−のうち、前記第２の表示状態において表示中の下位機能の選択肢を選択する操作キ−以外の操作キ−が操作された場合に、表示中の前記第２の表示状態の表示を閉じると共に、非使用状態における消費電力の節約と非使用状態から記録動作へと迅速な移行を可能にするための予熱モ−ドに入ったときに、表示中の前記第２の表示状態の表示を閉じる表示制御手段と、
Ｅ1　前記第１の表示状態の表示中に、前記操作キ−の入力により前記上位機能が選択された場合に、
Ｅ2　表示中である前記第１の表示状態の一部に前記第２の表示状態を表示することにより前記複数の上位機能のうち少なくとも１つを不表示状態とし、
Ｅ3　前記表示された下位機能を、前記複数の操作キ−のうちいずれかの操作キ−を用いて選択可能とする制御手段と
Ｆ　を有することを特徴とする表示装置。
　
イ．本件特許の請求項２に係る発明は、次のとおりである。
　オペレ−タへのメッセ−ジを表示するメッセ−ジ領域を有することを特徴とする請求項１記載の表示装置。
ウ．本件特許の請求項３に係る発明は、次のとおりである。
　前記第２の表示状態の領域を囲んだ枠線を表示することを特徴とする請求項１記載の表示装置。
３−３．刊行物に記載された発明
(刊行物）
　特開昭５６−１１６１１３号公報（甲第１号証）
（刊行物に記載された発明）
ａ:「第１４図、第１５図、第１６図及び第１７図はゼロックス９４００複写機の制御のためにＵＩ装置によって用いられる４つのフレ−ムを示すものである。」（第８頁左下欄１０行〜１３行）、
ｂ:「第１４図は「ウオ−キングボタン」フレ−ムを示す。このフレ−ムは、装置がアイドル状態である時にディスプレイされるものであり、「タッチ始動」と表示した単一のボタン１５０から成る。」（第８頁左下欄１３〜１７行）、
ｃ:「第１５図は基本ユ−ザフレ−ムを示すものである。フレ−ムの頂部１５１を横切る黒いバ−は「準備完了」なる語をディスプレイし、本装置が使用準備完了していることを使用者に知らせる。例えば、複写機が、フュ−ザが作動温度に到達するのを待っているというような場合には、上記のメッセ−ジは「準備未了」と表示される。簡単なインストラクション１５２が上記フレ−ムの上部に現われる。このインストラクションは変化して即時要求条件を表示するようになっている。」（第８頁右下欄１１行〜２０行）、
ｄ:「普通の複写機に対する例外的な点として、援助と表示したボタン１５８、影像縮小と表示したボタン１５９、及び可変濃度と表示したボタン１６０がある。これらボタンにより、基本フレ−ムに代わって新しいフレ−ムが構成される。」（第９頁左上欄１６〜２０行）、
ｅ:「更に興味ある点は、影像縮小ボタン１５９及び可変濃度ボタン１６０である。すなわち、これらボタンにより、第１６図及び第１７図に示すようなオペレ−ショナルフレ−ムが取上げられる。第１６図について説明すると、影像縮小ボタン１５９にタッチすると、このフレ−ムが現われ、使用者は所要の縮小率を選択できる。縮小ハ−ドウエアの現在のセッティングが、スケ−ル１６１上に、原画の縮小百分率として常時示される。使用者は、２つのボタン１６２、１６３のいずれかにタッチすることによって縮小率を制御する。」（第９頁右上欄７〜１８行）、
ｆ:「使用者の満足する縮小調節が得られたら、使用者は、復帰ボタン１６４にタッチすることによって基本フレ−ム（第１５図）へ復帰するか、又は可変濃度ボタン１６５にタッチすることによって可変濃度調節を直接行なうことができる。」（第９行目左下欄２〜６行）、
ｇ:「第１７図について説明すると、濃度調節の動作は上述の縮小調節の動作と同様である。」（第９頁左下欄１２〜１３行）、及び
ｈ:「使用者の満足する濃度調節が得られたら、使用者は、復帰ボタン１７２にタッチすることによって基本フレ−ムへ直接に復帰するか、又は影像縮小ボタン１７３にタッチすることによって縮小フレ−ムへ直接に行くことができる。」（第９頁右下欄２〜６行）と記載されている。
　これらの記載によれば、刊行物１には、
「複写機の制御のためにＵＩ装置によって用いられる４つのフレ−ムとして、装置がアイドル状態である時にディスプレイされるものであり、『タッチ始動』と表示した単一のボタン１５０から成るウオ−キングボタンフレ−ム（１４図）、
　フレ−ムの頂部１５１を横切る黒いバ−は『準備完了』なる語をディスプレイし、本装置が使用準備完了していることを使用者に知らせ、複写機が、フュ−ザが作動温度に到達するのを待っているというような場合には、上記のメッセ−ジは『準備未了』と表示され、簡単なインストラクション１５２が上記フレ−ムの上部に現われ、このインストラクションは変化して即時要求条件を表示するようになっている基本ユ−ザフレ−ム（１５図）、
　更に、基本ユ−ザフレ−ムには、援助と表示したボタン１５８、影像縮小と表示したボタン１５９、及び可変濃度と表示したボタン１６０があり、これらボタンにより、基本フレ−ムに代わって新しいフレ−ムが構成され、影像縮小ボタン１５９及び可変濃度ボタン１６０により、影像縮小ボタン１５９にタッチすると、オペレ−ショナルフレ−ムが現われ、使用者は所要の縮小率を選択でき、縮小ハ−ドウエアの現在のセッティングが、スケ−ル１６１上に、原画の縮小百分率として常時示され、使用者は、２つのボタン１６２、１６３のいずれかにタッチすることによって縮小率を制御し、使用者の満足する縮小調節が得られたら、使用者は、復帰ボタン１６４にタッチすることによって基本フレ−ム（第１５図）へ復帰するか、又は可変濃度ボタン１６５にタッチすることによって可変濃度調節を直接行なうことができるオペレ−ショナルフレ−ム（第１６図及び第１７図）、
　濃度調節の動作は上述の縮小調節の動作と同様であり（第１７図）、及び
　可変濃度フレ−ムにおいては、使用者の満足する濃度調節が得られたら、使用者は、復帰ボタン１７２にタッチすることによって基本フレ−ムへ直接に復帰するか、又は影像縮小ボタン１７３にタッチすることによって縮小フレ−ムへ直接に行くことができる（第１７図）、ように構成された複写機の表示装置。」
が記載されている。
３−４．対比・判断
理由１について
ア．　第２の表示状態を表示する第１の表示状態の「一部」について
　図３２は基本コピ−画面とそのポップアップ画面の例を示し（【０１７１】参照）、基本コピ−画面は、図３２（ａ）に示すように、「用紙トレイ」、「縮小／拡大」、「両面コピ−」、「コピ−濃度」、「ソ−タ−」のカスケ−ドからなる（【０１７４】参照）。「縮小／拡大」において、カスケ−ドキ−の操作により固定／任意が選択されると、具体的な設定対象となる内容が図３２（ｂ）に示すポップアップ画面により表示され、５０.７%、〜２００%において７段階設定からなる固定倍率を選択することができると共に、１ %ずつ連続的に変化する任意倍率を選択設定することができる（【０１７６】参照）。この場合において、図３２（ａ）の「基本コピ−画面」が第１の表示状態に相当し、一方、図３２（ｂ）の「ポップアップ画面」が第２の表示状態に相当するものである。同様に、応用コピー画面とポップアップ画面の例を示す図３３においては、図３３（ａ）の「応用コピ−画面」が第１の表示状態に相当し、一方、図３３（ｃ）の「ポップアップ画面」が第２の表示状態に相当するものである。そして、ポップアップ表示とは、画面の表示が納まらない場合に、選択されたモ−ドを現在表示中の画面の延長としてクロ−ズアップして展開表示するもので、表示中の画面上の一部を特定モ−ドのクロ−ズアップされたウインドウで上書きするものである（【０２４７】参照）。してみると、図３２（ｂ）や図３３（ｃ）の「ポップアップ画面」は、基本コピ−画面や応用コピ−画面の選択領域C（基本コピ−画面や応用コピ−画面よりも小さい領域）において上書きされたものであり、このとき、「ポップアップ画面」以外の基本コピ−画面や応用コピ−画面は上書きされていない画面であるから、そのまま残存していることが認められる。そうすると、「ポップアップ画面」（第２の表示状態）が基本コピ−画面や応用コピ−画面（第１の表示状態）の全体のうちの限られた部分（この部分が当該「一部」に当たる。）に表示されていることが、本件の明細書の発明の詳細な説明及び図面に明確に記載されていることは明らかである。
イ．「不表示状態」について
　図３２によれば、「不表示状態」とは、図３２（ｂ）に示す「ポップアップ画面」が表示されたときに、この「ポップアップ画面」が図３２（ａ）に示す基本コピ−画面の複数の上位機能のうちの少なくとも１つを不表示にすることを認めることができる。ア．において説示したように、「ポップアップ画面」は基本コピ−画面上に上書きされたものであるから、「ポップアップ画面」の表示領域に対応した基本コピ−画面が不表示になることは明らかである。このとき、図３２（ａ）において、「固定／任意」という機能が複数の上位機能の一つであることは明らかであり、これを選択することにより、図３２（ｂ）に示す「ポップアップ画面」が表示されるのであるから、少なくとも「固定／任意」という上位機能の１つに対応する部分が上書きされて不表示になっていることが認められる。
　同様に、図３２（ｂ）に示す「ポップアップ画面」の右方向に延びる広がりから見て、図３２（ａ）の基本コピ−画面の他の上位機能、例えば「コピ−濃度」における「こく／うすく」という機能も不表示になっていることを認めることができる。このように、複数の上位機能のうち少なくとも１つを不表示状態とする点は、本件の明細書の発明の詳細な説明及び図面に明確に記載されていることは明らかである。
ウ．「枠線」について
　図３２（ｂ）や図３３（ｃ）の「ポップアップ画面」からも明らかなように、ポップアップ画面（第２の表示状態に相当）を囲む線が枠線であることを認めることができる。
（なお、本件の明細書の段落【０１４７】における「図２９」についての説示と同書第１２４／１２９頁第９行の「図２９」についての説示は整合するように訂正された。
　以上ア．乃至ウ．のとおりであるから、特許異議申立人の「一部」、「不表示状態」及び「枠線」が不明である旨の主張は、理由がない。
理由２について
（１）本件の請求項１に係る発明について
　本件の請求項１に係る発明と刊行物の発明とを比較する。
ア．刊行物の発明の複写機の機能選択を行うために用いる表示装置（第１４図〜第１７図）は本件の請求項１に係る発明の構成Ａ、Ｆに対応する。
イ．刊行物の発明の基本ユ−ザフレ−ムには影像縮小、可変濃度等の上位機能が表示され（第１５図）、影像縮小、可変濃度に対応する下位機能の選択肢としてボタン１６２,１６３等が表示されているので（第１６図、第１７図）、基本ユ−ザフレ−ムは、本件の請求項１に係る発明の構成Ｂの第１の表示状態を示し、オペレ−ショナルフレ−ムは、本件の請求項１に係る発明の構成Ｂの第２の表示状態に対応する。
ウ．刊行物の発明の各種ボタン１５９,１６０,１６２,１６３,１６７〜１７１（第１５図〜第１７図）は、所望の上位機能の選択、下位機能の選択肢の選択のために用いられるものであって、所望の上位機能の選択、下位機能の選択肢の選択と一対一で対応付けられている。対するに、本件の請求項１に係る発明の構成Ｃである複数の操作キ−とは、「機能選択、または前記第１の表示状態において表示中の複数の上位機能の選択、または前記第２の表示状態において表示中の下位機能の選択肢の選択のために用いられる複数の操作キ−」であって、当該操作キーについては「例えば、図２５におけるカスケ−ドキ−３１９−１〜３１９−５のことである。」（本件明細書の第４欄第２２〜第２４行）と記載されていて、他の機能を有するキ−を示唆する記載は存在しないことからみると、操作ボタンないし操作キ−は、選択の種類と一対一で対応付けられた単一選択機能のみを有するものではなく、表示状態の変更に伴って選択の種類も変更されるマルチ選択機能を有するものであると解されるものである。
　そうとすると、刊行物の発明の前記各種ボタンと本件の請求項１に係る発明の構成Ｃの複数の操作キ−とは、単一選択機能を有するか、マルチ選択機能を有するかの点を除いて対応する。
エ．刊行物の発明において、下位機能の選択肢を選択するボタン１６２,１６３又はボタン１６７〜１７１以外のボタン１６４,１６５又はボタン１７２,１７３にタッチすると、表示中のフレ−ムが閉じられる（第１６図、第１７図）ので、このような表示を閉じる制御は、本件の請求項１に係る発明の構成要件Ｄにおける「前記複数の操作キ−のうち、前記第２の表示状態において表示中の下位機能の選択肢を選択する操作キ−以外の操作キ−が操作された場合に、表示中の前記第２の表示状態の表示を閉じると共に、非使用状態における消費電力の節約と非使用状態から記録動作へと迅速な移行を可能にするための予熱モ−ドに入ったときに、表示中の前記第２の表示状態の表示を閉じる表示制御手段と、」のうちの「前記複数の操作キ−のうち、前記第２の表示状態において表示中の下位機能の選択肢を選択する操作キ−以外の操作キ−が操作された場合に、表示中の前記第２の表示状態の表示を閉じる表示制御手段と」に対応する。
オ．刊行物の発明において、例えばボタン１６０にタッチすることは上位機能である可変濃度を選択することであり（第１５図）、この選択は本件の請求項１に係る発明の構成Ｅ１に対応する。
　刊行物の発明の第１の表示状態にある第１５図と、第１５図に表示されているボタン１６０にタッチしたときに第２の表示状態を表示する第１７図とを比較すると、第１７図には第１５図に表示されている「準備完了」のメッセ−ジ、影像縮小ボタン及び援助ボタンがそのまま表示として残され、可変濃度ボタンは不表示とされ、その他の部分に可変濃度に関する選択肢が表示されるから、第１７図では、第１の表示状態の一部（前記メッセ−ジ、影像縮小ボタン、援助ボタン以外の部分）に第２の表示状態を表示することにより、上位機能のうち可変濃度ボタンを不表示としているので、このような表示機能は本件の請求項１に係る発明の構成Ｅ２の表示機能に対応する。
　また、刊行物の発明の下位機能の選択肢を表示する第１７図においては、表示された下位機能（可変濃度）をボタン１６７〜１７１を用いて選択可能としており、このような制御は本件の請求項１に係る発明の構成Ｅ３に対応する。
　以上のア．乃至オ．によれば、刊行物の発明は本件の請求項１に係る発明の構成Ａ、Ｂ、Ｅ１〜Ｅ３、Ｆを備える点において一致し、構成Ｃ、Ｄについて以下の相違点を有している。
（相違点１）
　刊行物の発明は単一選択機能を有する各種ボタンを備えるものであるのに対し、本件の請求項１に係る発明は構成Ｃとしてマルチ選択機能を有する複数の操作キーを備えるものである点で相違する。
（相違点２）
　刊行物の発明は、下位機能の選択肢を選択するボタン１６２,１６３又はボタン１６７〜１７１以外のボタン１６４,１６５又はボタン１７２,１７３にタッチすると、表示中のフレ−ムが閉じる制御として、本件請求項１に係る発明の構成要件Ｄにおける「前記複数の操作キ−のうち、前記第２の表示状態において表示中の下位機能の選択肢を選択する操作キ−以外の操作キ−が操作された場合に、表示中の前記第２の表示状態の表示を閉じると共に、非使用状態における消費電力の節約と非使用状態から記録動作へと迅速な移行を可能にするための予熱モ−ドに入ったときに、表示中の前記第２の表示状態の表示を閉じる表示制御手段と、」のうちの「前記複数の操作キ−のうち、前記第２の表示状態において表示中の下位機能の選択肢を選択する操作キ−以外の操作キ−が操作された場合に、表示中の前記第２の表示状態の表示を閉じると共に、非使用状態における消費電力の節約と非使用状態から記録動作へと迅速な移行を可能にするための予熱モ−ドに入ったときに、表示中の前記第２の表示状態の表示を閉じる表示制御手段と、」を備えているものではない点で相違する。
　これらの相違点について検討すると、相違点１については、操作キ−にマルチ選択機能を付与することは、本件の請求項１に係る発明の分野（複写機の表示装置）において周知の技術であり、いわゆる当業者であれば、刊行物に記載の表示装置の各種操作ボタンをマルチ選択機能を有するものに変更することに想到困難性はないが、相違点２については、刊行物の発明はまったく具備していないから、当業者が想到する基因となる事項を認めることはできない。
　そして、本件の請求項１に係る発明は、『第１の表示状態の表示中に、操作キ−の入力により１つの機能が選択された場合に、表示中である第１の表示状態の一部に第２の表示状態を表示し、表示された下位機能を、複数の操作キ−のうちいずれかの操作キ−を用いて選択可能とするので、選択可能な機能が多くても、表示画面をスッキリさせることができる。また、複数の操作キ−のうち、第２の表示状態において表示中の下位機能の選択肢を選択する操作キ−以外の操作キ−が操作された場合には第２の表示状態の表示を閉じると共に、非使用状態における消費電力の節約と非使用状態から記録動作へと迅速な移行を可能にするための予熱モードに入ったときに、表示中の前記第２の表示状態の表示を閉じるので、第２の表示状態の表示を閉じる際の操作の容易化を図ることができる。更に、「表示中である第１の表示状態の一部に第２の表示状態を表示することにより前記複数の上位機能のうち少なくとも１つを不表示状態」とする構成を有するため、表示画面の有効利用ができる。』（段落【０３７４】）という刊行物の発明が奏し得ない効果を奏するものである。
　以上のとおりであるから、本件の請求項１に係る発明は、刊行物１の発明に基いて当業者が容易に発明をすることができたものではない。
（２）本件の請求項２に係る発明について
　本件の請求項２に係る発明は、「オペレ−タへのメッセ−ジを表示するメッセ−ジ領域を有する」構成を請求項１記載の表示装置に付加したものであるところ、特許異議申立人が主張するように、刊行物の発明において表示フレ−ム（第１５図〜第１７図）、「準備完了」なる語や簡単なインストラクション１５２がディスプレイされる上部領域は、オペレ−タへのメッセ−ジを表示するメッセ−ジ領域であり、本件請求項２に係る発明のメッセージ領域と一致するものであるから、当業者が、当該付加事項のみについて想到することには困難性は認められないが、（１）に説示するように、請求項１に係る発明が当業者が容易に発明をすることができたものではないので、本件請求項１に係る発明を、さらに技術的に限定した請求項２に係る発明は当業者が容易に発明をすることができたものではない。
（３）本件の請求項３に係る発明について
　本件の請求項３に係る発明は、「前記第２の表示状態の領域を囲んだ枠線を表示する」構成を請求項１記載の表示装置に付加したものであるところ、特許異議申立人が主張するように、刊行物の発明においても、第２の表示状態を示す領域を枠線で囲んでおり（第１６図、第１７図）、更に本件特許の審査の過程で周知例として引用された各種特許公報によれば、表示装置においていわゆるポップアップ表示を行うこと、ポップアップされた表示領域を枠線で囲むことは明らかに周知であるから（「各種特許公報」：特開昭６２−１５６７２１号公報の第２図の「Ｋ１」、第３頁左上欄第６行乃至第７行の「枠領域Ｋ１」及び第３頁右上欄第７行の「ポップアップメニュ−を表示」、特開昭６２−２８１０７６号公報の第２図の「２８」と第３図の「２８」及び第３頁左上欄下から第４行乃至第３行の「ポップアップメニュ−２８」と第３頁左下欄第１０行乃至第１１行の「２８は表示されたポップアップメニュ−」、特開平１−２６１６６７号公報の第２５図の符号４４６「表示窓」及び第９頁左下欄下から第５行の「表示窓」参照。）、当業者が、当該付加事項のみについて想到することには困難性は認められないが、（１）に説示するように、請求項１に係る発明が当業者が容易に発明をすることができたものではないので、本件請求項１に係る発明を、さらに技術的に限定した請求項３に係る発明は当業者が容易に発明をすることができたものではない。
（４）小括
　以上のとおり、本件の請求項１、２及び３に係る発明は、その発明の属する技術の分野における通常の知識を有する者がその出願前国内において頒布された刊行物に記載された発明に基いて容易に発明をすることができたものではないから、本件の請求項１乃至３に係る発明の特許は、特許法第２９条第２項の規定に違反したものではない。
４．むすび
　以上のとおりであるから、本件の訂正請求については、これを認め、本件の特許異議申立については、特許異議申立人の理由及び証拠によっては、本件の請求項１乃至３に係る発明についての特許を取り消すことはできず、また、他に本件の請求項１乃至３に係る発明についての特許を取り消すべき理由を発見しない。
　したがって、本件の請求項１乃至３に係る発明についての特許は拒絶の査定をしなければならない特許出願に対してされたものと認めない。
　よって、結論のとおり決定する。
【異議決定日】
平成１４年９月２６日（２００２．９．２６）
【訂正の要旨】
訂正の要旨
（１）　訂正事項ａ
　本件特許公報の特許請求の範囲請求項１に係る記載
「　　【請求項１】
　記録装置に対する機能選択を行うために用いる表示装置において、
　複数の上位機能を表示する第１の表示状態、及び、前記複数の上位機能のそれぞれに対応して設けられる下位機能の選択肢を表示する第２の表示状態を有する表示手段と、
　機能選択、または前記第１の表示状態において表示中の複数の上位機能の選択、または前記第２の表示状態において表示中の下位機能の選択肢の選択のために用いられる複数の操作キーと、
　前記複数の操作キーのうち、前記第２の表示状態において表示中の下位機能の選択肢を選択する操作キー以外の操作キーが操作された場合に、表示中の前記第２の表示状態の表示を閉じる表示制御手段と、
　前記第１の表示状態の表示中に、前記操作キーの入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キーのうちいずれかの操作キーを用いて選択可能とする制御手段と
を有することを特徴とする表示装置。」を以下のように訂正する。
　　　記
『　　【請求項１】
　記録装置に対する機能選択を行うために用いる表示装置において、
　複数の上位機能を表示する第１の表示状態、及び、前記複数の上位機能のそれぞれに対応して設けられる下位機能の選択肢を表示する第２の表示状態を有する表示手段と、
　機能選択、または前記第１の表示状態において表示中の複数の上位機能の選択、または前記第２の表示状態において表示中の下位機能の選択肢の選択のために用いられる複数の操作キーと、
　前記複数の操作キーのうち、前記第２の表示状態において表示中の下位機能の選択肢を選択する操作キー以外の操作キーが操作された場合に、表示中の前記第２の表示状態の表示を閉じる
と共に、非使用状態における消費電力の節約と非使用状態から記録動作へと迅速な移行を可能にするための予熱モードに入ったときに、表示中の前記第２の表示状態の表示を閉じる
　前記第１の表示状態の表示中に、前記操作キーの入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キーのうちいずれかの操作キーを用いて選択可能とする制御手段と
を有することを特徴とする表示装置。』
（２）　訂正事項ｂ
　明細書の【０００７】の記載を以下のように訂正する。
　　　記
『　　　【０００７】
　【課題を解決するための手段】
　上記の目的を達成するために、請求項１記載の表示装置は、記録装置に対する機能選択を行うために用いる表示装置において、複数の上位機能を表示する第１の表示状態、及び、前記複数の上位機能のそれぞれに対応して設けられる下位機能の選択肢を表示する第２の表示状態を有する表示手段と、機能選択、または前記第１の表示状態において表示中の複数の上位機能の選択、または前記第２の表示状態において表示中の下位機能の選択肢の選択のために用いられる複数の操作キーと、前記複数の操作キーのうち、前記第２の表示状態において表示中の下位機能の選択肢を選択する操作キー以外の操作キーが操作された場合に、表示中の前記第２の表示状態の表示を閉じる
と共に、非使用状態における消費電力の節約と非使用状態から記録動作へと迅速な移行を可能にするための予熱モードに入ったときに、表示中の前記第２の表示状態の表示を閉じる
（３）　訂正事項ｃ
　明細書の【００１０】の記載を以下のように訂正する。
　　　記
『　　　【００１０】
　【作用】
　本発明によれば、第１の表示状態の表示中に、操作キーの入力により１つの機能が選択された場合に、表示中である第１の表示状態の一部に第２の表示状態を表示し、表示された下位機能を、複数の操作キーのうちいずれかの操作キーを用いて選択可能とするので、選択可能な機能が多くても、表示画面をスッキリさせることができる。
　また、複数の操作キーのうち、第２の表示状態において表示中の下位機能の選択肢を選択する操作キー以外の操作キーが操作された場合には第２の表示状態の表示を閉じる
と共に、非使用状態における消費電力の節約と非使用状態から記録動作へと迅速な移行を可能にするための予熱モードに入ったときに、表示中の前記第２の表示状態の表示を閉じる
　更に、「表示中である第１の表示状態の一部に第２の表示状態を表示することにより前記複数の上位機能のうち少なくとも１つを不表示状態」とする構成を有するため、表示画面の有効利用ができる。』
（４）　訂正事項ｄ
　明細書の【０３７４】の記載を以下のように訂正する。
　　　記
『　　　【０３７４】
　【発明の効果】
　本発明によれば、第１の表示状態の表示中に、操作キーの入力により１つの機能が選択された場合に、表示中である第１の表示状態の一部に第２の表示状態を表示し、表示された下位機能を、複数の操作キーのうちいずれかの操作キーを用いて選択可能とするので、選択可能な機能が多くても、表示画面をスッキリさせることができる。
　また、複数の操作キーのうち、第２の表示状態において表示中の下位機能の選択肢を選択する操作キー以外の操作キーが操作された場合には第２の表示状態の表示を閉じる
と共に、非使用状態における消費電力の節約と非使用状態から記録動作へと迅速な移行を可能にするための予熱モードに入ったときに、表示中の前記第２の表示状態の表示を閉じる
　更に、「表示中である第１の表示状態の一部に第２の表示状態を表示することにより前記複数の上位機能のうち少なくとも１つを不表示状態」とする構成を有するため、表示画面の有効利用ができる。』
（５）　訂正事項ｅ
　明細書の【０００９】の記載を以下のように訂正する。
　　　記
『　　　【０００９】
　請求項３記載の表示装置は、請求項１記載の表示装置において、前記第２の表示状態の領域を囲んだ枠線を表示することを特徴とする。
　なお、請求項１における「複数の上位機能を表示する第１の表示状態」とは、例えば、図３３（ａ）に示すように、応用コピー画面において、「ＣＦＦ」、「Ａ２／Ｂ３（ＬＤＣ）」、「右とじ」、「左とじ」という複数の上位機能を表示することである。
　また、請求項１における「前記複数の上位機能のそれぞれに対応して設けられる下位機能の選択肢を表示する第２の表示状態」とは、例えば、図３３（ａ）の応用コピー画面に表示されている「ＣＦＦ」、「Ａ２／Ｂ３
（ＬＤＣ）
　また、請求項１における「機能選択、または前記第１の表示状態において表示中の複数の上位機能の選択、または前記第２の表示状態において表示中の下位機能の選択肢の選択のために用いられる複数の操作キー」とは、例えば、図２５におけるカスケードキー３１９−１〜３１９−５のことである。
　更に、請求項１における「前記複数の操作キーのうち、前記第２の表示状態において表示中の下位機能の選択肢を選択する操作キー以外の操作キーが操作された場合に、表示中の前記第２の表示状態の表示を閉じる」については、例えば、本願明細書の【０２４９】段の「
ポ
　また更に、請求項１における「前記第１の表示状態の表示中に、前記操作キーの入力により前記上位機能が選択された場合に、表示中である前記第１の表示状態の一部に前記第２の表示状態を表示することにより前記複数の上位機能のうち少なくとも１つを不表示状態とし」とは、例えば、図３３（ａ）の応用コピー画面において、上位機能としての「Ａ２／Ｂ３（ＬＤＣ）」が選択された場合には、その他の上位機能である「右とじ」や「左とじ」が不表示状態となることである。』
（６）　訂正事項ｆ
　明細書の【００１３】の記載を以下のように訂正する。
　　　記
『　　　【００１３】
　本発明が適用される複写機は、ベースマシン１に対して幾つかの付加装置が装備可能になったものであり、基本構成となるベースマシン１は、上面に原稿を載置するプラテンガラス２が配置され、その下方に光学系３、マーキング系５の各装置が配置されている。他方、ベースマシン１には、上段トレイ６−１、中段トレイ６−２、下段トレイ６−３が取り付けられ、これら各給紙トレイは全て前面に引き出せるようになっており、操作性の向上と複写機の配置スペースの節約が図られると共に、ベースマシン１に対して出っ張らないスッキリとしたデザインの複写機が実現されている。また、給紙トレイ内の用紙を搬送するための用紙搬送系７には、インバータ９、１０およびデュープレックストレイ１１が配置されている。さらに、ベースマシン１上には、ＣＲＴディスプレイからなるユーザインター
フェース
（７）　訂正事項ｇ
　明細書の【００１５】の記載を以下のように訂正する。
　　　記
『　　　【００１５】
（Ｉ−２）システムの機能・特徴
（Ａ）機能
　この複写機は、ユーザのニーズに対応した多種多彩な機能を備えつつ複写業務の入口から出口までを全自動化すると共に、上記ユーザインター
フェース
（８）　訂正事項ｈ
　明細書の【００３６】の記載を以下のように訂正する。
　　　記
『　　　【００３６】
　店の中には、複数台の複写機が配置されており、それぞれにＩＣカード装
置が
（９）　訂正事項ｉ
　明細書の【００４０】の記載を以下のように訂正する。
　　　記
『　　　【００４０】
（Ｉ−３）
システム構成
　図２は本発明が適用される複写機のサブシステムの構成を示す図、図３はＣＰＵによるハード構成を示す図である。』
（１０）　訂正事項ｊ
　明細書の【００４８】の記載を以下のように訂正する。
　　　記
『　　　【００４８】
　ＯＵＴＰＵＴサブシステム
３８
（１１）　訂正事項ｋ
　明細書の【００５４】の記載を以下のように訂正する。
　　　記
『　　　【００５４】
　このため、ベースマシン１には、複写機の基本部分を制御するための基本記憶領域と、ＩＣカードからの機能情報と共に取り込まれたプログラムを記憶する付加記憶領域が存在する。付加記憶領域には、ＤＡＤＦ１３の制御プログラム、ユーザインターフェース１２の制御プログラム等の各種プログラムが格納されるようになっている。そして、ベースマシン１に所定の付加装置を取りつけた状態でＩＣカードをＩＣカード装
置に
（１２）　訂正事項ｌ
　明細書の【００７１】の記載を以下のように訂正する。
　　　記
『　　　【００７１】
　本実施例の
光学系
（１３）　訂正事項ｍ
　明細書の【００７３】の記載を以下のように訂正する。
　　　記
『　　　【００７３】
　また、伝達軸１１７に固定されたタイミングプーリ
１１７ａ
（１４）　訂正事項ｎ
　明細書の【００７４】の記載を以下のように訂正する。
　　　記
『　　　【００７４】
　さらに、図７（ｂ）に示すように、伝達軸１１７には、タイミングプーリ１１７ａの回転をタイミングプーリ１１７ｂに伝達させるためのＰＩＳクラッチ１２５（電磁クラッチ）が設けられていて、該ＰＩＳクラッチ１２５の通電がオフになるとこれを係合させ、
出力軸
出力軸
（１５）　訂正事項ｏ
　明細書の【００７６】の記載を以下のように訂正する。
　　　記
『　　　【００７６】
　上記レンズ１０８は、図８（ａ）に示すように、プラテンガラス２の下方に配設されるレンズキャリッジ１３５に固定された支持軸１３６に摺動可能に取付けられている。レンズ１０８はワイヤー（図示せず）により
レンズＺモータ
レンズＺモータ
レンズＸモータ
レンズＸモータ
レンズＸモータ
（１６）　訂正事項ｐ
　明細書の【００７９】の記載を以下のように訂正する。
　　　記
『　　　【００７９】
　キャリッジレジセンサ１５５は、第１ミラー
１０３
系Ｂ
（１７）　訂正事項ｑ
　明細書の【００８０】の記載を以下のように訂正する。
　　　記
『　　　【００８０】
　ロータリエンコーダ１５７は、キャリッジモータ１１４の回転角に応じて９０°位相のずれたＡ相、Ｂ相のパルス信号を出力するタイプのものであり、例えば、２００パルス／回転で第１走査系のタイミングプーリの軸ピッチが０．１５７１ｍｍ／パルスに設計されている。偏倍用ソレノイド１５９は、ＣＰＵ４５の制御により偏倍レンズ（図示せず）を垂直方向に移動させ、偏倍レンズの移動を偏倍スイッチ
１６０
（１８）　訂正事項ｒ
　明細書の【００８７】の記載を以下のように訂正する。
　　　記
『　　　【００８７】
　有機感材ベルト４はチャージコロトロン（帯電器）２１１によって一様に帯電されるようになっており、図の時計方向に定速駆動されている。そして最初のパネルがレジ（露光箇所）２３１の一定時間前にきたときピッチ信号を出し、これを基準としてキャリッジスキャンと用紙フィードのタイミングがとられる。チャージコロトロン２１１によって帯電されたベルト表面は露光箇所２３１において露光される。露光箇所２３１には、ベースマシン１の上面に配置されたプラテンガラス２上に載置された原稿の光像が入射される。このために、露光ランプ１０２と、これによって照明された原稿面の反射光を伝達する複数のミラー
１０３，１０６，１０７，１１０，１１１，１１３
１０３
系Ｂ
系Ｂ
（１９）　訂正事項ｓ
　明細書の【００９２】の記載を以下のように訂正する。
　　　記
『　　　【００９２】
　図１２は感材ベルト４上のパネル分割の様子を示すものである。
　ベルト４はシーム部２５１があるので、ここに像がのらないようにしており、シーム部から一定距離ｌの位置にベルトホール２５２が設けられ、例えば周長１１５８ｍｍの場合でｌは７０ｍｍとしている。図の２５３、２５４は感材ベルト面をＮピッチ分割したときの先頭と最後のパネルで、図のＢはパネルの間隔、Ｃはパネル長、Ｄはパネルのピッチ長さであり、４ピッチ分割の場合は２８９．５ｍｍ、３ピッチ分割の場合は３８６ｍｍ、２ピッチ分割の場合は５７９ｍｍである。
シーム部
　なお、パネルのＬＥは用紙のＬＥと一致させる必要があるが、ＴＥは必ずしも一致せず、パネル適用の最大用紙ＴＥと一致する。』
（２０）　訂正事項ｔ
　明細書の【００９６】の記載を以下のように訂正する。
　　　記
『　　　【００９６】
　次にＩＭＭサブシステムの入出力信号、及び動作について説明する。
　ブラックトナーボトル２６１、カラートナーボトル２６２におけるトナーの検出信号が入力されてトナー残量が検出される。
　
キャリッジレジセンサ
　プラテン原稿サイズセンサＳ６〜Ｓ１０からは原稿サイズが入力され、これと用紙サイズとからＩＥＬ２１５による消し込み領域が決定される。』
（２１）　訂正事項ｕ
　明細書の【００９８】の記載を以下のように訂正する。
『　　　【００９８】
　なお、ベルトホールセンサ２１３で一定時間ホールが検出できなかったり、ホールの大きさが変わってしまったような場合にはこのことが
ＩＭＭサブシステム３４
（２２）　訂正事項ｖ
　明細書の【０１００】の記載を以下のように訂正する。
　　　記
『　　　【０１００】
　さらに、
ＩＭＭサブシステム３４
現像装置
（２３）　訂正事項ｗ
　明細書の【０１０１】の記載を以下のように訂正する。
　　　記
『　　　【０１０１】
　
ＩＭＭサブシステム３４
　またカラー現像器ユニットが装着されているか否かの検知信号が入力され、
現像装置
（２４）　訂正事項ｘ
　明細書の【０１０２】の記載を以下のように訂正する。
　　　記
『　　　【０１０２】
　ＣＨＭサブシステム３３へは
ＩＭＭサブシステム３４
　またブレード２２６で掻き落としたトナーは回収トナーボトル２６８に回収され、ボトル内のトナー量の検出信号が
ＩＭＭサブシステム３４
　また
ＩＭＭサブシステム３４
（２５）　訂正事項ｙ
　明細書の【０１０６】の記載を以下のように訂正する。
　　　記
『　　　【０１０６】
　用紙の両面にコピーする両面モードや同一面に複数回コピーする合成モードにより再度コピーする場合には、デュープレックストレイ１１へスタックする搬送路に導かれる。両面モードの場合には、搬送路から直接デュープレックストレイ１１へスタックされるが、合成モードの場合には、一旦搬送路から合成モード用インバータ１０へ搬送され、しかる後反転してデュープレックストレイ１１
へ
（２６）　訂正事項ｚ
　明細書の【０１０８】の記載を以下のように訂正する。
　　　記
『　　　【０１０８】
　図１５において、デュープレックストレイは、用紙枚数が５０枚程度、上記各トレイと同じ用紙サイズが収容可能なトレイであり、用紙の１つの面に複数回のコピーを行ったり、２つの面に交互にコピーを行う場合にコピー済の用紙を一時的に収容するトレイである。デュープレックストレイ１１の入口側搬送路には、フィードロール
５０９
（２７）　訂正事項ａａ
　明細書の【０１１４】の記載を以下のように訂正する。
　　　記
『　　　【０１１４】
　次に図２０をも参照しつつ上記構成からなるＤＡＤＦ１３の作用について説明する。（イ）はプラテンモードであり、
プラテンガラス
（２８）　訂正事項ａｂ
　明細書の【０１１６】の記載を以下のように訂正する。
　　　記
『　　　【０１１６】
　（ハ）はデュープレックスモードであり、原稿の片面を露光する工程は上記（ロ）の▲１▼〜▲３▼の工程と同様であるが、片面露光が終了するとベルト駆動ローラ６１９が逆転し、かつ、第３の駆動ローラ６１２は上方に移動して従動ローラ６１３と離れると共に、停止ゲート６１５は下降して水平搬送路６１１を遮断する。従って、原稿は反転用搬送路６１６に搬送され、さらに第４の駆動ローラ６１７および第２の駆動ローラ６０７により、円弧状搬送路６０９を通り、停止ゲート６１５に押し当てられる（▲４▼〜▲５▼）。次いで、第３の駆動ローラ６１２が下方に移動して従動ローラ６１３と接触すると共に、停止ゲート６１５は上昇して水平搬送路６１１を開き、第３の駆動ローラ６１２、ベルト駆動ローラ６１９および第５の駆動ローラ６２２が回転し、原稿の裏面が下になって
プラテンガラス
プラテンガラス
（２９）　訂正事項ａｃ
　明細書の【０１２４】の記載を以下のように訂正する。
　　　記
『　　　【０１２４】
　さらに、この複写機のユーザインターフェースでは、ディスプレイ２８０本体の下側と横にキーボード２８１、２８２を配置するが、特にキーボード２８２は、横へ出っ張ることになると同時にユーザ側からさらに遠くなる位置にある。一般にコピー枚数を設定してスタートキーを操作するだけのユーザは凡そ８０％に及ぶとみられており、このような使用頻度の高い
キー
（３０）　訂正事項ａｄ
　明細書の【０１２５】の記載を以下のように訂正する。
　　　記
『　　　【０１２５】
　同図（ｆ）はサポートの下端部の取り付け状態を示す図、同図（ｇ）はトップカバーにおけるユーザインターフェース取り付け構造の例を示す図である。この複写機のユーザインターフェースは、本体１の
トップカバー
トップカバー
（３１）　訂正事項ａｅ
　明細書の【０１４５】の記載を以下のように訂正する。
　　　記
『　　　【０１４５】
「ジョブコントローラ」
　キー管理部３７４は、ステートテーブル３７１を参照して論理キーが今受付可能な状態か否かをチェックするものであり、受け付け可であればその後７５０ｍｓｅｃ経過するまで他のキー情報が入力されないことを条件としてキー情報を確定しキーコントロール部３７５に送る。キーコントロール部３７５は、キーの受付処理を行って
コピーモードテーブル
コピーモードテーブル
（３２）　訂正事項ａｆ
　明細書の【０１５３】の記載を以下のように訂正する。
　　　記
『　　　【０１５３】
　マシンステートは、図３０（ｃ）に示すように本体からマシンの状態をもらったときに覚えておく情報であり、本体が初期状態（ＩＮＩＴＩＡＲＩＺＥ）、コピーサイクルに入った所謂動作状態（ＰＲＯＧＲＥＳＳ）、コピーサイクルが終わって止まろうとしている状態（ＳＯＦＴＤＯＷＮ　ＣＯＩＮ）、ジャムやベルト切断等の異常停止状態（ＳＯＦＴＤＯＷＮ　ＰＡＵＳＥ）、ジャム後に自動的に排紙する状態（ＰＵＲＧＥ）、マシンの停止状態（ＳＴＡＮＤ−ＢＹ）、スタート指令でパージを実行する状態（ＰＵＲＧＥ　ＳＴＡＮＤ−ＢＹ）、マシンがジャムで停止した状態（ＪＡＭ）かの情報がある。従って、マシン動作との関係は、スタンバイからスタートキーが操作されると、プログレスになり、ソフトダウンコインを経て通常に動作終了すると再びスタンバイになる。しかし途中でジャムが発生すると、ソフトダウンポーズになり、停止するとジャムになる。そして、用紙を排出する必要があればパージスタンバイになり、用紙を排出す
ると
（３３）　訂正事項ａｇ
　明細書の【０１９３】の記載を以下のように訂正する。
　　　記
『　　　【０１９３】
　全自動画面は、図３７（ｂ）に示すような画面で、パワーオンされたときや予熱モードで予熱キー３０６が操作されたとき或いはオールクリアキー３１６が操作されたときに表示され
、
（３４）　訂正事項ａｈ
　明細書の【０２１８】の記載を以下のように訂正する。
　　　記
『　　　【０２１８】
　Ｖ−ＲＡＭ３４０のアドレスは、図４２に示すようにＵ／Ｉ用ＣＰＵ４６とＣＲＴコントローラ３３５がそれぞれ独自に管理し、Ｖ−ＲＡＭ３４０へのビデオデータの書き込みはＵ／Ｉ用ＣＰＵ４６で行い、ＣＲＴディスプレイ３０１への表示はＣＲＴコントローラ３３５で行う。例えばＣＲＴコントローラ３３５からＶ−ＲＡＭ３４０のアドレスを見ると図４３に示すようになり、「０」番地、「１」番地、…にそれぞれキャラクタジェネレータのコード及び属性が書き込まれている。従ってＣＲＴコントローラ３３５は、図４４に示す回路により表示タイミングに同期して対応する番地のデータ「Ｄ０→Ｄ７」（Ｌ側）、「Ｄ０→Ｄ４」（Ｈ側）を読み出すと共に、ラスタアドレス「ＲＡ」を生成してキャラクタジェネレータをアクセスすることによって各タイルのスキャンラインのデータ「Ｄ０→Ｄ７」を並／直変換回路３５５に出力する。例えば「富」の漢字のドットパターンは、図４５のように表すことができるが、先に述べたように漢字は２タイルで構成しているので、スキャンアドレス「Ａ０→Ａ３」に対応してまず左側半分をタイルとする出力「Ｄ０→Ｄ７」、続いて右側半分をタイルとする出力「Ｄ０→Ｄ７」がキャラクタジェネレータ
３４２
（３５）　訂正事項ａｉ
　明細書の【０２２７】の記載を以下のように訂正する。
　　　記
『　　　【０２２７】
　これらの画面の表示状態において、オペレータによってカスケードキーが操作され物理キーテーブル３６１が更新されると、キー変化検出部
３６２
３１９ー３
（３６）　訂正事項ａｊ
　明細書の【０２２８】の記載を以下のように訂正する。
　　　記
『　　　【０２２８】
　キー管理部３７４では、ステートテーブル３７１より今受け付けられる状態か否かを判断し、この場合には選択モード画面でのカスケードキーという条件で受付許可し、このキーをキーコントロール部３７５さらにはここからステート管理部３７２に送る。キーコントロール部３７５では、このキーから
コピーモードテーブル
コピーモードテーブル
（３７）　訂正事項ａｋ
　明細書の【０２２９】の記載を以下のように訂正する。
　　　記
『　　　【０２２９】
　そして、スタートキーが操作されると、キーコントロール部３７５は、
コピーモードテーブル
の
（３８）　訂正事項ａｌ
　明細書の【０２４９】の記載を以下のように訂正する。
　　　記
『　　　【０２４９】
　
ポ
（３９）　訂正事項ａｍ
　明細書の【０２６３】の記載を以下のように訂正する。
　　　記
『　　　【０２６３】
　そこで、この複写機では、ダイアログデータ３７０と表示制御データ３６７により少ない画面データ
量
（４０）　訂正事項ａｎ
　明細書の【０２６９】の記載を以下のように訂正する。
　　　記
『　　　【０２６９】
　全自動モードでは、先に示した選択モード画面からも明らかなようにトレイは自動選択、倍率は等倍、コピー濃度は自動、両面機能は片面のモードが設定される。従って全自動画面でのキーの受付は、ダイレクトキーと画面変更キーのみが可能となる。このようなキーの受付管理は、先に説明したようにステートテーブル３７１に従ってキー管理部３７４が行い、キーコントロール部３７５が図３０（ｄ）に示すような
コピーモードテーブル
（４１）　訂正事項ａｏ
　明細書の【０２８７】の記載を以下のように訂正する。
　　　記
『　　　【０２８７】
　以下、Ｐ０モードの際の操作を、図５５のフローチャートおよび図５６の画面表示の例を参照して説明する。
　先ず、所定の操作、例えば適当なファンクションキーを押しながら電源を投入すると、
ダイアグモード
ダイアグモード
（４２）　訂正事項ａｐ
　明細書の【０２９０】の記載を以下のように訂正する。
　　　記
『　　　【０２９０】
　全てを初期化した場合はこれで終了であるが、例えば７のＰ６−ＵＩの初期化を行い、次に４のＰ６−ＣＨＭの初期化を行おうとするときには、上述した手順中図５６（ｃ）で７を入力して初期化を行い、終了したらストップキーを押して直前の画面に復帰させ、更に
クリアキー
（４３）　訂正事項ａｑ
　明細書の【０３００】の記載を以下のように訂正する。
　　　記
『　　　【０３００】
　図５９（ｃ）の状態、即ち単一の部品の出力チェックを行った状態でストップキーを押すと、ストップキーは直前に入力したコードＮｏ．の出力のみをＯＦＦとする機能を有するので、この場合は図５９（ｂ）のコードＮｏ．だけが表示された画面に戻る（実線８０１の画面遷移）。そして、図５９（ｂ）の状態でクリアキーを押すと、クリアキーは直前のデータを消去する機能を有しているから、実線８０２に従って、図５９（ａ）のＰ２モードの初期画面に戻る。なお、どの画面においてもＰキーが押されると
ダイアグモード
（４４）　訂正事項ａｒ
　明細書の【０３０１】の記載を以下のように訂正する。
　　　記
『　　　【０３０１】
　以上は単一部品の出力チェックについての説明であるが、図５９（ｃ）
に
（４５）　訂正事項ａｓ
　明細書の【０３０８】の記載を以下のように訂正する。
　　　記
『　　　【０３０８】
　以上のように、ストップキーを使用することにより、複数の部品の出力チェックを行っている場合、その中のある部品について出力をＯＦＦさせることができる。これに対して、図５９（ｅ）の状態で全ての部品の出力をＯＦＦする場合、出力チェックを取り消す場合、もしくは
ダイアグモード
ダイアグモード
（４６）　訂正事項ａｔ
　明細書の【０３１１】の記載を以下のように訂正する。
　　　記
『　　　【０３１１】
　
ダイアグモード
（４７）　訂正事項ａｕ
　明細書の【０３１７】の記載を以下のように訂正する。
　　　記
『　　　【０３１７】
　図６４にＰ５モードの表示画面の例を示す。
　まず、適当なファンクションキーを押しながら電源ＯＮすると、
ダイアグモード
ダイアグモード
（４８）　訂正事項ａｖ
　明細書の【０３２４】の記載を以下のように訂正する。
　　　記
『　　　【０３２４】
　なお、図６６（ｂ）の状態でクリアキーを押せば入力されたコードＮｏ．をクリアして図６６（ａ）のＰ６モードの初期画面に戻り、図６６（ｃ）の状態、および図６６（ｅ）の状態でストップキーを押せば図６６（ｂ）の画面に復帰し、また、どの画面の状態においてもＰキーを押すことにより
ダイアグモード
（４９）　訂正事項ａｗ
　明細書の【０３２８】の記載を以下のように訂正する。
　　　記
『　　　【０３２８】
　先ず、所定のキー操作により図５６（ａ）のダイアグモードの初期画面を呼び出し、テンキーで８を入力すると図６９（ａ）に示すＰ８モードの初期画面が表示される。この状態で、いま、ソータの１ビンに収納する枚数を設定するためにコードＮｏ．３１をテンキーで入力すると、画面は図６９（ｂ）に示すように変わり、スタートキーが押されると、図６９（ｃ）に示すように入力されたコードＮｏ．３１を先頭に１０コード分のコードＮｏ．と、そのコードＮｏ．に該当するモードの現在の設定値（ＣＵＲＲＥＮＴ）および初期値（ＩＮＩＴＩＡＬ）が表示される。コードＮｏ．３４〜４０は使用されていないのでＮＧ（Ｎｏ　Ｇｏｏｄ）という表示がなされている。このときスタートキーボードが押されたので、始めてマシンは動作し、コードＮｏ．３１のカレント値である５０をＮＶＭから読み出す。ここでコードＮｏ．３１のモードのカレント値を５０から２５に変更しようとしてテンキーで２５を入力すると、画面は図６９（ｄ）に示すように、コードＮｏ．３１の行の表示が白黒反転され、カレント値が２５に変わる。この状態でスタートキーが押されると画面は図６９（ｅ）に示すように通常の表示状態に戻ると共にＮＶＭには２５が書き込まれる。この場合、カーソルがコードＮｏ．３１の箇所にあるのでテンキーで所望のカレント値を入力すれば足りるが、もし図６９（ｃ）の状態でコードＮｏ．３４のモードの設定を変更しようとする場合には、カーソルをカスケードキーによりコードＮｏ．３４の箇所に移動させて上述した操作を行わなければならない。なお、図６９（ｂ）の状態でクリアキーを押せば入力されたコードＮｏ．をクリアして図６９（ａ）のＰ８モードの初期画面に戻り、図６９（ｃ）の状態、および図６９（ｅ）の状態でストップキーを押せば図６９（ｂ）の画面に復帰し、また、どの画面の状態においてもＰキーを押すことにより
ダイアグモード
（５０）　訂正事項ａｘ
　明細書の【０３３０】の記載を以下のように訂正する。
　　　記
『　　　【０３３０】
　本複写機のようにＡＰＳ（自動用紙選択）およびＡＴＳ（自動トレイ選択）機能を有する複写機において、ＡＴＳモードに設定されていれば、コピーの最中に現在使用されているトレイに用紙がなくなった場合には各トレイの用紙サイズを検索し、同一サイズの用紙が入っているトレイがあれば、自動的にトレイを切り換えてコピー動作が続行されるようになされている。しかし、その一方、トレイによっては色紙、ＯＨＰ用紙等の特殊用紙が入れられるものもあり、その場合に用紙サイズが同じだからといってＡＴＳ機能により特殊用紙が入ったトレイが選択されると、色紙、ＯＨＰ用紙等の特別な用紙にコピーされてしまうという不都合が生じることになる。
　そこで、本複写機の
ダイアグモード
（５１）　訂正事項ａｙ
　明細書の【０３３６】の記載を以下のように訂正する。
　　　記
『　　　【０３３６】
　以上述べてきたように、本複写機の
ダイアグモード
（５２）　訂正事項ａｚ
　明細書の【０３６９】の記載を以下のように訂正する。
　　　記
『　　　【０３６９】
　ステップＳ３５の処理が終了するとステップＳ３６でカスケードの表示位置を移動させる処理を行う。つまり、カスケードの表示位置をベースモードで設定された通りの位置に移動させるのである。この処理は次のように行われる。キーコントロール部３７５がコピーモードテーブル３７８の内容を把握し、表示管理部３７７に表示制御情報（インターフェースコマンド）を渡すと、表示制御部３６９は当該インターフェースコマンドを解析し、
表示制御データ
表示制御データ
ダイアログデータ
表示制御データ
（５３）　訂正事項ｂａ
　明細書の【図面の簡単な説明】の【図２９】の記載を以下のように訂正する。
　　　記
『【図２９】
インターフェースコマンドの構成例
（５４）　訂正事項ｂｂ
　明細書の【符号の説明】の記載を以下のように訂正する。
　　　記
『　【符号の説明】
　１…ベースマシン、２…プラテンガラス、３…光学系３、４…感材ベルト、５…マーキング系、６…トレイ、７…用紙搬送系、９、１０…インバータ、１１…デュープレックストレイ、１２…ユーザインター
フェース
（５４）【発明の名称】
表示装置
（５７）【特許請求の範囲】
　【請求項１】
　記録装置に対する機能選択を行うために用いる表示装置において、
　複数の上位機能を表示する第１の表示状態、及び、前記複数の上位機能のそれぞれに対応して設けられる下位機能の選択肢を表示する第２の表示状態を有する表示手段と、
　機能選択、または前記第１の表示状態において表示中の複数の上位機能の選択、または前記第２の表示状態において表示中の下位機能の選択肢の選択のために用いられる複数の操作キーと、
　前記複数の操作キーのうち、前記第２の表示状態において表示中の下位機能の選択肢を選択する操作キー以外の操作キーが操作された場合に、表示中の前記第２の表示状態の表示を閉じると共に、非使用状態における消費電力の節約と非使用状態から記録動作へと迅速な移行を可能にするための予熱モードに入ったときに、表示中の前記第２の表示状態の表示を閉じる表示制御手段と、
　前記第１の表示状態の表示中に、前記操作キーの入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キーのうちいずれかの操作キーを用いて選択可能とする制御手段と
を有することを特徴とする表示装置。
　【請求項２】
　オペレータへのメッセージを表示するメッセージ領域を有することを特徴とする請求項１記載の表示装置。
　【請求項３】
　前記第２の表示状態の領域を囲んだ枠線を表示することを特徴とする請求項１記載の表示装置。
【発明の詳細な説明】
　【０００１】
　【発明の属する技術分野】
　本発明は、記録装置に対する機能選択を行うために機能の選択肢を表示する表示装置に関する。
　【０００２】
　【従来の技術】
　近年では、例えば記録装置等においては多機能化が図られており、従って選択可能な機能が増えてきている。
　【０００３】
　このような場合の対策として、例えば、特開昭６２−７３３２７号公報には、メニューバーを表示しておき、そのメニューバーの中の項目が選択された場合には、当該選択された項目に関するメニューをポップアップ表示することが開示されており、また特開昭５６−１１６１１３号公報には、１つの機能の選択肢が選択された場合には、当該選択された選択肢の下位概念の選択肢を表示するようにすることが開示されている。
　【０００４】
　【発明が解決しようとする課題】
　しかしながら、上記の特開昭６２−７３３２７号公報においては、ポップアップメニューは、メニューバーとは離れた位置に表示されるので、見難く、表示画面がスッキリしないという問題がある。
　【０００５】
　また、特開昭５６−１１６１１３号公報においては、複数の選択肢を含む表示がなされている状態において、１つの選択肢を選択した場合に、表示状態の全てを下位の選択肢の表示状態に切り換えるので、ポップアップかどうか認識し難いという問題がある。
　【０００６】
　そこで、本発明は、表示画面をスッキリさせることができる表示装置を提供することを目的とするものである。
　【０００７】
　【課題を解決するための手段】
　上記の目的を達成するために、請求項１記載の表示装置は、記録装置に対する機能選択を行うために用いる表示装置において、複数の上位機能を表示する第１の表示状態、及び、前記複数の上位機能のそれぞれに対応して設けられる下位機能の選択肢を表示する第２の表示状態を有する表示手段と、機能選択、または前記第１の表示状態において表示中の複数の上位機能の選択、または前記第２の表示状態において表示中の下位機能の選択肢の選択のために用いられる複数の操作キーと、前記複数の操作キーのうち、前記第２の表示状態において表示中の下位機能の選択肢を選択する操作キー以外の操作キーが操作された場合に、表示中の前記第２の表示状態の表示を閉じると共に、非使用状態における消費電力の節約と非使用状態から記録動作へと迅速な移行を可能にするための予熱モードに入ったときに、表示中の前記第２の表示状態の表示を閉じる表示制御手段と、前記第１の表示状態の表示中に、前記操作キーの入力により前記上位機能が選択された場合に、表示中である前記第１の表示状態の一部に前記第２の表示状態を表示することにより前記複数の上位機能のうち少なくとも１つを不表示状態とし、前記表示された下位機能を、前記複数の操作キーのうちいずれかの操作キーを用いて選択可能とする制御手段とを有することを特徴とする。
　【０００８】
　請求項２記載の表示装置は、請求項１記載の表示装置において、オペレータへのメッセージを表示するメッセージ領域を有することを特徴とする。
　【０００９】
　請求項３記載の表示装置は、請求項１記載の表示装置において、前記第２の表示状態の領域を囲んだ枠線を表示することを特徴とする。
　なお、請求項１における「複数の上位機能を表示する第１の表示状態」とは、例えば、図３３（ａ）に示すように、応用コピー画面において、「ＣＦＦ」、「Ａ２／Ｂ３（ＬＤＣ）」、「右とじ」、「左とじ」という複数の上位機能を表示することである。
　また、請求項１における「前記複数の上位機能のそれぞれに対応して設けられる下位機能の選択肢を表示する第２の表示状態」とは、例えば、図３３（ａ）の応用コピー画面に表示されている「ＣＦＦ」、「Ａ２／Ｂ３（ＬＤＣ）」、「右とじ」、「左とじ」という複数の上位機能の各々に対応して設けられる下位機能の選択肢が、それぞれ、図３３（ｂ）〜図３３（ｅ）に示すように表示されることである。
　また、請求項１における「機能選択、または前記第１の表示状態において表示中の複数の上位機能の選択、または前記第２の表示状態において表示中の下位機能の選択肢の選択のために用いられる複数の操作キー」とは、例えば、図２５におけるカスケードキー３１９−１〜３１９−５のことである。
　更に、請求項１における「前記複数の操作キーのうち、前記第２の表示状態において表示中の下位機能の選択肢を選択する操作キー以外の操作キーが操作された場合に、表示中の前記第２の表示状態の表示を閉じる」については、例えば、本願明細書の【０２４９】段の「ポップアップクローズは、ポップアップウインドウ上の「閉じる」（クローズキー）が選択され一定時間経過、例えば５００ｍｓｅｃ後、画面変更キーやオートクリアキーその他ポップアップウインドウ外のキー（カスケードキーを含む）が操作されたとき、予熱モードに入ったとき、割り込みモードに入ったとき等に行われる。」という記載に対応するものである。
　また更に、請求項１における「前記第１の表示状態の表示中に、前記操作キーの入力により前記上位機能が選択された場合に、表示中である前記第１の表示状態の一部に前記第２の表示状態を表示することにより前記複数の上位機能のうち少なくとも１つを不表示状態とし」とは、例えば、図３３（ａ）の応用コピー画面において、上位機能としての「Ａ２／Ｂ３（ＬＤＣ）」が選択された場合には、その他の上位機能である「右とじ」や「左とじ」が不表示状態となることである。
　【００１０】
　【作用】
　本発明によれば、第１の表示状態の表示中に、操作キーの入力により１つの機能が選択された場合に、表示中である第１の表示状態の一部に第２の表示状態を表示し、表示された下位機能を、複数の操作キーのうちいずれかの操作キーを用いて選択可能とするので、選択可能な機能が多くても、表示画面をスッキリさせることができる。
　また、複数の操作キーのうち、第２の表示状態において表示中の下位機能の選択肢を選択する操作キー以外の操作キーが操作された場合には第２の表示状態の表示を閉じると共に、非使用状態における消費電力の節約と非使用状態から記録動作へと迅速な移行を可能にするための予熱モードに入ったときに、表示中の前記第２の表示状態の表示を閉じるので、第２の表示状態の表示を閉じる際の操作の容易化を図ることができる。
　更に、「表示中である第１の表示状態の一部に第２の表示状態を表示することにより前記複数の上位機能のうち少なくとも１つを不表示状態」とする構成を有するため、表示画面の有効利用ができる。
　【００１１】
　【発明の実施の形態】
目次
　以下の実施例では、本発明に係る表示装置を複写機に適用した場合について説明する。説明に先立って、本実施例の説明についての目次を示す。以下の説明において、（Ｉ）〜（ＩＩ）は本発明が適用される複写機の全体構成の概要を説明する項であって、その構成の中で本発明の実施例を説明する項が（ＩＩＩ）である。
　【００１２】
（Ｉ）装置の概要
　（Ｉ−１）装置構成
　（Ｉ−２）システムの機能・特徴
　（Ｉ−３）システム構成
　（Ｉ−４）シリアル通信方式
　（Ｉ−５）ステート分割
（ＩＩ）具体的な各部の構成
　（ＩＩ−１）光学系
　（ＩＩ−２）ベルト廻り
　（ＩＩ−３）用紙搬送系
　（ＩＩ−４）原稿自動送り装置
　（ＩＩ−５）ソータ
（ＩＩＩ）ユーザインターフェース（Ｕ／Ｉ）
　（ＩＩＩ−１）ユーザインターフェースの特徴
　（ＩＩＩ−２）制御システムの構成
　（ＩＩＩ−３）表示画面の構成
　（ＩＩＩ−４）キー／ＬＥＤボード及びディスプレイ表示回路
　（ＩＩＩ−５）ユーザインターフェースにおける各種処理
　（ＩＩＩ−６）ダイアグモード表示方式
　（ＩＩＩ−７）ジャム画面表示
　（ＩＩＩ−８）ベースモード決定方式
（Ｉ）装置の概要
（Ｉ−１）装置構成
　図１は本発明が適用される複写機の全体構成の１例を示す図である。
　【００１３】
　本発明が適用される複写機は、ベースマシン１に対して幾つかの付加装置が装備可能になったものであり、基本構成となるベースマシン１は、上面に原稿を載置するプラテンガラス２が配置され、その下方に光学系３、マーキング系５の各装置が配置されている。他方、ベースマシン１には、上段トレイ６−１、中段トレイ６−２、下段トレイ６−３が取り付けられ、これら各給紙トレイは全て前面に引き出せるようになっており、操作性の向上と複写機の配置スペースの節約が図られると共に、ベースマシン１に対して出っ張らないスッキリとしたデザインの複写機が実現されている。また、給紙トレイ内の用紙を搬送するための用紙搬送系７には、インバータ９、１０およびデュープレックストレイ１１が配置されている。さらに、ベースマシン１上には、ＣＲＴディスプレイからなるユーザインターフェース１２が取付けられると共に、プラテンガラス２の上にＤＡＤＦ（デュープレックスオートドキュメントフィーダ：自動両面原稿送り装置）１３が取り付けられる。また、ユーザインターフェース１２は、スタンドタイプであり、その下側にカード装置が取り付け可能となっている。
　【００１４】
　次に、ベースマシン１の付加装置を挙げる。ＤＡＤＦ１３の代わりにＲＤＨ（リサイクルドキュメントハンドラー：原稿を元のフィード状態に戻し原稿送りを自動的に繰り返す装置）１５或いは通常のＡＤＦ（オートドキュメントフィーダ：自動原稿送り装置）、エディタパッド（座標入力装置）付プラテン、プラテンカバーのいずれかを取付けることも可能である。また、用紙搬送系７の供給側には、ＭＳＩ（マルチシートインサータ：手差しトレイ）１６およびＨＣＦ（ハイキャパシティフィーダ：大容量トレイ）１７を取付けることが可能であり、用紙搬送系７の排出側には、１台ないし複数台のソータ１９が配設可能である。なお、ＤＡＤＦ１３を配置した場合には、シンプルキャッチトレイ２０或いはソータ１９が取付可能であり、また、ＲＤＨ１５を取付けた場合には、コピーされた１組１組を交互に重ねてゆくオフセットキャッチトレイ２１、コピーされた１組１組をステープルでとめるフィニッシャ２２が取付可能であり、さらに、紙折機能を有するフォールダ２３が取付可能である。
　【００１５】
（Ｉ−２）システムの機能・特徴
（Ａ）機能
　この複写機は、ユーザのニーズに対応した多種多彩な機能を備えつつ複写業務の入口から出口までを全自動化すると共に、上記ユーザインターフェース１２においては、機能の選択、実行条件の選択およびその他のメニュー等の表示をＣＲＴディスプレイで行い、誰もが簡単に操作できることを大きな特徴としている。
　【００１６】
　その主要な機能として、ＣＲＴディスプレイ上で表示画面を切換えることにより、基本コピー、応用コピーおよび専門コピーの各モードに類別して、それぞれのモードで機能選択や実行条件の設定等のメニューを表示すると共に、キー入力により画面のカスケードを移動させて機能を選択指定したり、実行条件データを入力可能にしている。
　【００１７】
　本発明が適用される複写機の機能としては、主要機能、自動機能、付加機能、表示機能、ダイアグ機能等がある。
　【００１８】
　主要機能では、用紙サイズがＡ６〜Ａ２、Ｂ６〜Ｂ３までの定形は勿論、定形外で使用でき、先に説明したように３段の内蔵トレイを有している。また、７段階の固定倍率と１％刻みの任意倍率調整及び９９％〜１０１％の間で０．１５％刻みの微調整ができる。さらに、固定７段階及び写真モードでの濃度選択機能、両面機能、１ｍｍ〜１６ｍｍの範囲での左右単独とじ代設定機能、ビリング機能等がある。
　【００１９】
　自動機能では、自動的に原稿サイズに合わせて行う用紙選択、用紙指定状態で行う倍率選択、濃度コントロール、パワーオン後のフューザレディで行うスタート、コピーが終了して一定時間後に行うクリアとパワーセーブ等の機能がある。
　【００２０】
　付加機能では、合成コピー、割り込み、予熱モード、設定枚数のクリア、オートモードへのオールクリア、機能を説明するインフォメーション、ＩＣカードを使用するためのＰキー、設定枚数を制限するマキシマムロック原稿戻しやＤＡＤＦを使用するフルジョブリカバリー、ジャム部以外の用紙を排紙するパージ、ふちけしなしの全面コピー、原稿の部分コピーや部分削除を行うエディタ、１個ずつジョブを呼び出し処理するジョブプログラム、白紙をコピーの間に１枚ずつ挿入する合紙、ブックものに利用する中消し／枠消し等がある。
　【００２１】
　表示機能では、ＣＲＴディスプレイ等を用い、ジャム表示、用紙残量表示、トナー残量表示、回収トナー満杯表示、フューザが温まるまでの待ち時間表示、機能選択矛盾やマシンの状態に関する情報をオペレータに提供するメッセージ表示等の機能がある。
　【００２２】
　また、ダイアグ機能として、ＮＶＲＡＭの初期化、入力チェック、出力チェック、ジャム回数や用紙フィード枚数等のヒストリファイル、マーキングや感材ベルトまわりのプロセスコードに用いる初期値の合わせ込み、レジゲートオンタイミングの調整、コンフィギュレーションの設定等の機能がある。
　【００２３】
　さらには、オプションとして、先に説明したようなＭＳＩ、ＨＣＦ、セカンドデベのカラー（赤、青、緑、茶）、エディター等が適宜装備可能になっている。
　【００２４】
（Ｂ）特徴
　上記機能を備える複写機のシステム全体として下記の特徴を有している。
　【００２５】
（イ）省電力化の達成
　１．５ｋＶＡでハイスピード、高性能の複写機を実現している。そのため、各動作モードにおける１．５ｋＶＡ実現のためのコントロール方式を決定し、また、目標値を設定するための機能別電力配分を決定している。また、エネルギー伝達経路の確定のためのエネルギー系統表の作成、エネルギー系統による管理、検証を行うようにしている。
　【００２６】
（ロ）低コスト化
　高額部品を内製化し技術改善および標準化を図ると共に、画材ライフのハード側からの改善、トナー消費の低減により画材費の低減化を図っている。
　【００２７】
（ハ）信頼性の向上
　部品故障の低減及び長寿命化を図り、各パラメータのイン／アウト条件を明確化し、設計不具合を低減化し、１００ｋＣＶノーメンテナンスの実現を図っている。
　【００２８】
（ニ）高画質の達成
　本装置においてはトナー粒子にフェライトからなるマイクロキャリアを使用して精細にし、また反発磁界により現像する方式を採用している。また感光体としては有機感材を何層にも塗って形成した高感度汎色有機感材ベルトを採用し、さらにセットポイントを駆使したピクトリアルモードにより中間調を表現できるようにしている。これらのことによりジェネレーション・コピーの改善、黒点低減化を図り、従来にない高画質を達成している。
　【００２９】
（ホ）操作性の改善
　原稿をセットしコピー枚数を入力するだけでスタートキーの操作により所定のモードでコピーを実行する全自動モードを有すると共に、基本コピー、応用コピー、専門コピーに分割した画面によるコピーモードの設定を含め、多様なモード設定をユーザの要求に応じて選択できるようにしている。これらのユーザインターフェースは、ＣＲＴディスプレイとその周囲に画面と対応して配置した少数のキー及びＬＥＤにより行い、見易い表示メニューと簡単な操作でモード設定を可能にしている。また、不揮発性メモリやＩＣカードにコピーモードやその実行条件等を予め記憶しておくことにより、所定の操作の自動化を可能にしている。
　【００３０】
（Ｃ）差別化の例
　本発明が適用される複写機では、ＩＣカードに格納されたプログラムにより複写機の機能を左右することができる。従って、ＩＣカードに格納されるプログラムをカード単位で変化させることで、複写機の使用に対する差別化が可能になる。これについて、分かり易い例を幾つか挙げて説明する。
　【００３１】
　第１の例として、雑居ビルに複数の会社が共同使用する複写機が備えられていたり、一つの会社内や工場内であっても異なった部門間で共同使用する複写機が備えられている場合を説明する。後者の共同使用は、予算管理上で必要となるものであり、従来ではコピーライザ等の機器を用いて各部門の使用管理を行っていた。
　【００３２】
　この複写機は、図１で示したベースマシン１にＩＣカード装置、ＤＡＤＦ１３、ソータ１９、ユーザインターフェース１２、供給トレイ（６−１〜６−３）、およびデュープレックストレイ１１を備えた比較的高度なシステム構成の複写機であるとする。共同使用者の中には、ＤＡＤＦ１３やソータ１９を必要とする人あるいは部門もあれば、なんら付加装置を必要としない人または部門もある。
　【００３３】
　これら使用態様の異なる複数の人または部門が複写機の費用負担を各自のコピーボリュームからだけで決定しようとすれば、低ボリュームのコピーしかとらない人または部門は、各種付加装置が装備された複写機の導入に反対してしまい、複写機を高度に使用しようとする人または部門との間の調整が困難となってしまう。
　【００３４】
　このような場合には、各人または各部門の使用態様に応じたＩＣカードを用意しておき、高度な機能を望む人あるいは部門ほど基本的な費用を多く負担すると共に、多くの機能を活用することができるようにしておけばよい。例えば最も高度なＩＣカードの所有者は、そのＩＣカードをＩＣカード装置にセットした状態で複写機を動作させることにより、ＤＡＤＦ１３、ソータ１９、供給トレイ（６−１〜６−３）およびデュープレックストレイ１１を自在に使用することができ、事務効率も向上させることができる。これに対してコピー用紙のソーティングを必要としない人は、ソーティングについてのプログラムを欠くＩＣカードをセットして、キャッチトレイ２０のみを使用することで経費を節減することができる。
　【００３５】
　第２の例として、コピー業者がＩＣカードでセルフコピーサービス店を営む場合を説明する。
　【００３６】
　店の中には、複数台の複写機が配置されており、それぞれにＩＣカード装置が取りつけられている。客はサービス態様に応じたＩＣカードを請求し、これを自分の希望する複写機にセットしてセルフサービスでコピーをとる。複写機に不慣れな客は、操作説明の表示機能をプログラムとして備えたＩＣカードを請求し、これをセットすることでＵＩ１２に各種操作情報の表示を可能とし、コピー作業を間違いなく実行することができる。ＤＡＤＦ１３の使用の可否や、多色記録の実行の可否等も貸与するＩＣカードによって決定することができ、また使用機種の制限も可能となって料金にあった客の管理が可能になる。更にコピー枚数や使用したコピー用紙のサイズ等のコピー作業の実態をＩＣカードに書き込むことができるので、料金の請求が容易になり、常連客に対するコピー料金の割り引き等の細かなサービスも可能になる。
　【００３７】
　第３の例として、特定ユーザ向けのプログラムを格納したＩＣカードを用いたサービスについて説明する。例えば特許事務所では写真製版により縮小された特許公報類を検討するときに原寸と同一のコピーをとる必要から２００％という比較的大きな拡大率でコピーをとる仕事がある。また官庁に提出する図面を作成する際に、その要請に応えるために元の図面を小刻みに縮小あるいは拡大する作業が行われる。また、市役所あるいは区役所等の住民票のコピーを行う部門では、請求の対象外となる人に関する記載箇所や個人のプライバシを保護するために秘密にすべき箇所の画情報を削除するようにして謄本や抄本を作成する。
　【００３８】
　このように使用者（ユーザ）によっては、複写機を特殊な使用態様で利用する要求がある。このような要求にすべて満足するように複写機の機能を設定すると、コンソールパネルが複雑となり、また複写機内部のＲＯＭが大型化してしまう。そこで特定ユーザ別にＩＣカードを用意し、これをセットさせることでそのユーザに最も適する機能を持った複写機を実現することができる。
　【００３９】
　例えば特許事務所の例では、専用のＩＣカードを購入することで、固定倍率として通常の数種類の縮倍率の他に２００％の縮倍率を簡単に選択できるようになる。また微調整を必要とする範囲で例えば１％刻みで縮倍率を設定することができるようになる。更に住民票の発行部門では、テンキー等のキーを操作することによって液晶表示部等のディスプレイに住民票の種類や削除すべき欄や項目を指示することができるようになり、この後スタートボタンを押すことでオリジナルの所望の範囲のみがコピーされたり、必要な部分のみが編集されて記録されるようになる。
　【００４０】
（Ｉ−３）システム構成
　図２は本発明が適用される複写機のサブシステムの構成を示す図、図３はＣＰＵによるハード構成を示す図である。
　【００４１】
　本発明が適用される複写機のシステムは、図２に示すようにメイン基板３１上のＳＱＭＧＲサブシステム３２、ＣＨＭサブシステム３３、ＩＭＭサブシステム３４、マーキングサブシステム３５からなる４つのサブシステムと、その周りのＵ／Ｉサブシステム３６、ＩＮＰＵＴサブシステム３７、ＯＵＴＰＵＴサブシステム３８、ＯＰＴサブシステム３９、ＩＥＬサブシステム４０からなる５つのサブシステムとによる９つのサブシステムで構成している。そして、ＳＱＭＧＲサブシステム３２に対して、ＣＨＭサブシステム３３及びＩＭＭサブシステム３４は、ＳＱＭＧＲサブシステム３２と共に図３に示すメインＣＰＵ４１下にあるソフトウエアで実行されているので、通信が不要なサブシステム間インターフェース（実線表示）で接続されている。しかし、その他のサブシステムは、メインＣＰＵ４１とは別個のＣＰＵ下のソフトウエアで実行されているので、シリアル通信インターフェース（点線表示）で接続されている。次にこれらのサブシステムを簡単に説明する。
　【００４２】
　ＳＱＭＧＲサブシステム３２は、Ｕ／Ｉサブシステム３６からコピーモードの設定情報を受信し、効率よくコピー作業が実施できるように各サブシステム間の同期をとりながら、各サブシステムに作業指示を発行すると共に、各サブシステムの状態を常時監視し、異常発生時には速やかな状況判断処理を行うシーケンスマネージャーである。
　【００４３】
　ＣＨＭサブシステム３３は、用紙収納トレイやデュープレックストレイ、手差しトレイの制御、コピー用紙のフィード制御、コピー用紙のパージ動作の制御を行うサブシステムである。
　【００４４】
　ＩＭＭサブシステム３４は、感材ベルト上のパネル分割、感材ベルトの走行／停止の制御、メインモータの制御その他感材ベルト周りの制御を行うサブシステムである。
　【００４５】
　マーキングサブシステム３５は、コロトロンや露光ランプ、現像機、感材ベルトの電位、トナー濃度の制御を行うサブシステムである。
　【００４６】
　Ｕ／Ｉサブシステム３６は、ユーザインターフェースの全ての制御、マシンの状態表示、コピーモード決定等のジョブ管理、ジョブリカバリーを行うサブシステムである。
　【００４７】
　ＩＮＰＵＴサブシステム３７は、原稿の自動送り（ＤＡＤＦ）や原稿の半自動送り（ＳＡＤＦ）、大型サイズ（Ａ２）の原稿送り（ＬＤＣ）、コンピュータフォーム原稿の送り（ＣＦＦ）、原稿の２枚自動送り（２−ＵＰ）の制御、原稿の繰り返し自動送り（ＲＤＨ）の制御、原稿サイズの検知を行うサブシステムである。
　【００４８】
　ＯＵＴＰＵＴサブシステム３８は、ソーターやフィニッシャーを制御し、コピーをソーティングやスタッキング、ノンソーティングの各モードにより出力したり、綴じ込み出力するサブシステムである。
　【００４９】
　ＯＰＴサブシステム３９は、原稿露光時のスキャン、レンズ移動、シャッター、ＰＩＳ／ＮＯＮ−ＰＩＳの制御を行い、また、ＬＤＣモード時のキャリッジ移動を行うサブシステムである。
　【００５０】
　ＩＥＬサブシステム４０は、感材ベルト上の不要像の消し込み、像に対する先端・後端の消し込み、編集モードに応じた像の消し込みを行うサブシステムである。
　【００５１】
　上記システムは、図３に示す７個のＣＰＵを核として構成され、ベースマシン１とこれを取り巻く付加装置等の組み合わせに柔軟に対応することを可能にしている。ここで、メインＣＰＵ４１は、ベースマシン１のメイン基板上にあってＳＱＭＧＲサブシステム３２、ＣＨＭサブシステム３３、ＩＭＭサブシステム３４のソフトを含み、シリアルバス５３を介して各ＣＰＵ４２〜４７と接続される。これらのＣＰＵ４２〜４７は、図２に示すシリアル通信インターフェースで接続された各サブシステムと１対１で対応している。シリアル通信は、１００ｍｓｅｃを１通信サイクルとして所定のタイミングに従ってメインＣＰＵ４１と他の各ＣＰＵ４２〜４７との間で行われる。そのため、機構的に厳密なタイミングが要求され、シリアル通信のタイミングに合わせることができない信号については、それぞれのＣＰＵに割り込みポート（ＩＮＴ端子信号）が設けられシリアルバス５３とは別のホットラインにより割り込み処理される。すなわち、例えば６４ｃｐｍ（Ａ４ＬＥＦ）、３０９ｍｍ／ｓｅｃのプロセススピードでコピー動作をさせ、レジゲートのコントロール精度等を±１ｍｍに設定すると、上記の如き１００ｍｓｅｃの通信サイクルでは処理できないジョブが発生する。このようなジョブの実行を保証するためにホットラインが必要となる。
　【００５２】
　従って、この複写機では、各種の付加装置を取りつけることができるのに対応して、ソフトウェアについてもこれら各付加装置に対応したシステム構成を採用することができるようになっている。
　【００５３】
　このような構成を採用した理由の１つは、（Ｉ）これらの付加装置すべての動作制御プログラムを仮にベースマシン１に用意させるとすれば、このために必要とするメモリの容量が膨大になってしまうことによる。また、（ＩＩ）将来新しい付加装置を開発したり、現在の付加装置の改良を行った場合に、ベースマシン１内のＲＯＭ（リード・オンリ・メモリ）の交換や増設を行うことなく、これらの付加装置を活用することができるようにするためである。
　【００５４】
　このため、ベースマシン１には、複写機の基本部分を制御するための基本記憶領域と、ＩＣカードからの機能情報と共に取り込まれたプログラムを記憶する付加記憶領域が存在する。付加記憶領域には、ＤＡＤＦ１３の制御プログラム、ユーザインターフェース１２の制御プログラム等の各種プログラムが格納されるようになっている。そして、ベースマシン１に所定の付加装置を取りつけた状態でＩＣカードをＩＣカード装置にセットすると、ユーザインターフェース１２を通してコピー作業に必要なプログラムが読み出され、付加記憶装置にロードされるようになっている。このロードされたプログラムは、基本記憶領域に書き込まれたプログラムと共働して、あるいはこのプログラムに対して優先的な地位をもってコピー作業の制御を行う。ここで使用されるメモリは電池によってバックアップされたランダム・アクセス・メモリから構成される不揮発性メモリである。もちろん、ＩＣカード、磁気カード、フロッピーディスク等の他の記憶媒体も不揮発性メモリとして使用することができる。この複写機ではオペレータによる操作の負担を軽減するために、画像の濃度や倍率の設定等をプリセットすることかできるようになっており、このプリセットされた値を不揮発性メモリに記憶するようになっている。
　【００５５】
（Ｉ−４）シリアル通信方式
　図４はシリアル通信の転送データ構成と伝送タイミングを示す図、図５は１通信サイクルにおける相互の通信間隔を示すタイムチャートである。
　【００５６】
　メインＣＰＵ４１と各ＣＰＵ（４２〜４７）との間で行われるシリアル通信では、それぞれ図４（ａ）に示すようなデータ量が割り当てられる。同図（ａ）において、例えばユーザインターフェースの場合にはメインＣＰＵ４１からの送信データＴＸが７バイト、受信データＲＸが１５バイトであり、そして、次のスレーブすなわちオプティカルＣＰＵ４５に対する送信タイミングｔｉ（同図（ｃ））が２６ｍｓｅｃであることを示している。この例によると、総通信量は８６バイトとなり、９６００ＢＰＳの通信速度では約１００ｍｓｅｃの周期となる。そして、データ長は、同図（ｂ）に示すようにヘッダー、コマンド、そしてデータから構成している。同図（ａ）による最大データ長による送受信を対象とすると、全体の通信サイクルは、図５に示すようになる。ここでは、９６００ＢＰＳの通信速度から、１バイトの送信に要する時間を１．２ｍｓｅｃとし、スレーブが受信終了してから送信を開始するまでの時間を１ｍｓｅｃとし、その結果、１００ｍｓｅｃを１通信サイクルとしている。
　【００５７】
（Ｉ−５）ステート分割
　図６はメインシステムのステート分割を示す図である。
　【００５８】
　ステート分割はパワーＯＮからコピー動作、及びコピー動作終了後の状態をいくつかに分割してそれぞれのステートで行うジョブを決めておき、各ステートでのジョブを全て終了しなければ次のステートに移行しないようにしてコントロールの能率と正確さを期するようにするためのもので、各ステートに対応してフラグを決めておき、各サブシステムはこのフラグを参照することによりメインシステムがどのステートにいるか分かり、自分が何をすべきか判断する。また各サブシステムもステート分割されていてそれぞれ各ステートに対応して同様にフラグを決めており、メインシステムはこのフラグを参照して各サブシステムのステートを把握し管理している。
　【００５９】
　先ず、パワーオンするとプロセッサーイニシャライズの状態になり、ダイアグモードかユーザーモード（コピーモード）かが判断される。ダイアグモードはサービスマンが修理用等に使用するモードで、ＮＶＲＡＭに設定された条件に基づいて種々の試験を行う。
　【００６０】
　ユーザーモードにおけるイニシャライズ状態においてはＮＶＲＡＭの内容により初期設定を行う。例えば、キャリッジをホームの位置、レンズを倍率１００％の位置にセットしたり、また各サブシステムにイニシャライズの指令を行う。イニシャライズが終了するとスタンバイに遷移する。
　【００６１】
　スタンバイは全てのサブシステムが初期設定を終了し、スタートボタンが押されるまでのステートであり、全自動画面で「おまちください」の表示を行う。そしてコルツランプを点灯して所定時間フューザー空回転を行い、フューザーが所定のコントロール温度に達するとＵ／Ｉがメッセージで「コピーできます」を表示する。このスタンバイ状態は、パワーＯＮ１回目では数１０秒程度の時間である。
　【００６２】
　セットアップはスタートボタンが押されて起動がかけられたコピーの前準備状態であり、メインモータ、ソーターモータが駆動され、感材ベルトのＶＤＤＰ等の定数の合わせ込みを行う。またＡＤＦモータがＯＮし、１枚目の原稿送り出しがスタートし、１枚目の原稿がレジゲートに到達して原稿サイズが検知されてＡＰＭＳモードではトレイ、倍率の決定がなされ、ＡＤＦ原稿がプラテンに敷き込まれる。そして、ＡＤＦ２枚目の原稿がレジゲートまで送り出され、サイクルアップに遷移する。
　【００６３】
　サイクルアップはベルトを幾つかのピッチに分割してパネル管理を行い、最初のパネルがゲットパークポイントへくるまでのステートである。即ち、コピーモードに応じてピッチを決定し、オプチカル・サブシステムに倍率を知らせてレンズ移動を行わせる。そして、ＣＨＭサブシステム、ＩＭＭサブシステムにコピーモードを通知し、倍率セットが認識されると、倍率と用紙サイズによりスキャン長が決定されてオプチカル・サブシステムに知らせる。そして、マーキング・サブシステムにコピーモードを通知し、マーキング・サブシステムの立ち上げが終了すると、ＩＭＭサブシステムでピッチによって決まるパネルＬ／Ｅをチエックし、最初のコピーパネルが見つかり、ゲットパークポイントに到達するとゲットパークレディとなってサイクルに入る。
　【００６４】
　サイクルはコピー動作中の状態で、ＡＤＣ（Ａｕｔｏｍａｔｉｃ　Ｄｅｎｓｉｔｙ　Ｃｏｎｔｒｏｌ）、ＡＥ（Ａｕｔｏｍａｔｉｃ　Ｅｘｐｏｓｕｒｅ）、ＤＤＰコントロール等を行いながらコピー動作を繰り返し行う。そしてＲ／Ｌ＝カウント枚数になると原稿交換を行い、これを所定原稿枚数だけ行うとコインシデンス信号が出てサイクルダウンに入る。
　【００６５】
　サイクルダウンは、キャリッジスキャン、用紙フィード等を終了し、コピー動作の後始末を行うステートであり各コロトロン、現像機等をＯＦＦし、最後に使用したパネルの次のパネルがストップパーク位置に停止するようにパネル管理して特定のパネルだけが使用されて疲労を生じないようにする。
　【００６６】
　このサイクルダウンからは通常スタンバイに戻るが、プラテンモードでコピーしていた場合に再度スタートキーを押すリスタートの場合にはセットアップに戻る。またセットアップ、サイクルアップからでもジャム発生等のサイクルダウン要因が発生するとサイクルダウンに遷移する。
　【００６７】
　パージはジャムが発生した場合のステートで原因ジャム用紙を取り除くと他の用紙は自動的に排出される。通常、ジャムが発生するとどのようなステートからでもサイクルダウン→スタンバイ→パージと遷移する。そしてパージエンドによりスタンバイまたはセットアップに遷移するが、再度ジャムが発生するとサイクルダウンへ遷移する。
　【００６８】
　ベルトダウンはタッキングポイントよりトレイ側でジャムが発生したような場合に生じ、ベルトクラッチを切ることによりベルト駆動が停止される状態で、ベルトより先の用紙は排出することができる。
　【００６９】
　ハードダウンはインターロックが開けられて危険な状態になったり、マシーンクロックフェイルが発生して制御不能になったような状態で、２４Ｖ電源供給が遮断される。
　そして、これらベルトダウン、ハードダウン要因が除去されるとスタンバイに遷移する。
　【００７０】
（ＩＩ）具体的な各部の構成
（ＩＩ−１）光学系
　図７（ａ）は光学系の概略側面図、図７（ｂ）は平面図、（ｃ）は（ｂ）のＸ−Ｘ方向側面図である。
　【００７１】
　本実施例の光学系３は、像を感材ベルト４の移動速度よりも速い速度で感材上に露光するＰＩＳ（プリセッション・イメージング・システム）方式を採用すると共に、第２走査系Ｂを固定し、第１走査系Ａを独立して移動可能にする方式を採用している。すなわち、第１走査系Ａは、露光ランプ１０２および第１ミラー１０３を有する第１キャリッジ１０１と、第２ミラー１０６および第３ミラー１０７を有する第２キャリッジ１０５から構成され、プラテンガラス２上に載置された原稿を走査する。一方、第２走査系Ｂは、第４ミラー１１０および第５ミラー１１１を有する第３キャリッジ１０９と、第６ミラー１１３を有する第４キャリッジ１１２から構成されている。また、第３ミラー１０７と第４ミラー１１０の光軸上にはレンズ１０８が配置され、倍率に応じてレンズモータにより移動されるが、走査露光中は固定される。
　【００７２】
　これら第１走査系Ａおよび第２走査系Ｂは、直流サーボモータであるキャリッジモータ１１４により駆動される。キャリッジモータ１１４の出力軸１１５の両側に伝達軸１１６、１１７が配設され、出力軸１１５に固定されたタイミングプーリ１１５ａと伝達軸１１６、１１７に固定されたタイミングプーリ１１６ａ、１１７ａ間にタイミングベルト１１９ａ、１１９ｂが張設されている。また、伝達軸１１６にはキャプスタンプーリ１１６ｂが固定されこれに対向して配置される従動ローラ１２０ａ、１２０ｂ間には、第１のワイヤーケーブル１２１ａがたすき状に張設され、該ワイヤーケーブル１２１ａには、前記第１キャリッジ１０１が固定されると共に、ワイヤーケーブル１２１ａは、第２キャリッジ１０５に設けられた減速プーリ１２２ａに巻回されており、キャリッジモータ１１４を図示矢印方向に回転させた場合には、第１キャリッジ１０１が速度Ｖ１で図示矢印方向に移動すると共に、第２キャリッジ１０５が速度Ｖ１／２で同方向に移動するようにしている。
　【００７３】
　また、伝達軸１１７に固定されたタイミングプーリ１１７ａとこれに対向して配置される伝達軸１２３のタイミングプーリ１２３ａ間には、タイミングベルト１１９ｃが張設され、伝達軸１２３のキャプスタンプーリ１２３ｂとこれに対向して配置される従動ローラ１２０ｃ間に第２のワイヤーケーブル１２１ｂが張設されている。該ワイヤーケーブル１２１ｂには、前記第４キャリッジ１１２が固定されると共に、ワイヤーケーブル１２１ｂは、第３キャリッジ１０９に設けられた減速プーリ１２２ｂに巻回されており、キャリッジモータ１１４を図示矢印方向に回転させた場合には、第４キャリッジ１１２が速度Ｖ２で図示矢印方向に移動すると共に、第３キャリッジ１０９が速度Ｖ２／２で同方向に移動するようにしている。
　【００７４】
　さらに、図７（ｂ）に示すように、伝達軸１１７には、タイミングプーリ１１７ａの回転をタイミングプーリ１１７ｂに伝達させるためのＰＩＳクラッチ１２５（電磁クラッチ）が設けられていて、該ＰＩＳクラッチ１２５の通電がオフになるとこれを係合させ、出力軸１１５の回転が伝達軸１１７、１２３に伝達される。また、ＰＩＳクラッチ１２５に通電されこれが解放すると伝達軸１１７、１２３には出力軸１１５の回転が伝達されないように構成されている。また、図７（ｃ）に示すように、タイミングプーリ１１６ａの側面には、係合突起１２６ａが設けられ、ＬＤＣロックソレノイド１２７のオンにより係合片１２６ｂが係合突起１２６ａに係合して、伝達軸１１６を固定しすなわち第１走査系Ａを固定し、ＬＤＣロックスイッチ１２９をオンさせるようにしている。さらに、タイミングプーリ１２３ａの側面には、係合突起１３０ａが設けられ、ＰＩＳロックソレノイド１３１のオンにより係合片１３０ｂが係合突起１３０ａに係合して、伝達軸１２３を固定しすなわち第２走査系Ｂを固定しＰＩＳロックスイッチ１３２をオンさせるようにしている。
　【００７５】
　以上のように構成した走査露光装置おいては、ＰＩＳクラッチ１２５の係合解放によりＰＩＳモードとＮＯＮ−ＰＩＳモードの露光方式が選択される。ＰＩＳモードは、例えば倍率が６５％以上の時にＰＩＳクラッチ１２５を係合させて第２走査系Ｂを速度Ｖ２で移動させることにより、感材ベルト４の露光点を感材と逆方向に移動させ、光学系の走査速度Ｖ１をプロセススピードＶＰより相対的に速くして単位時間当たりのコピー枚数を増大させる。このとき、倍率をＭとするとＶ１＝ＶＰ×３．５／（３．５Ｍ−１）であり、Ｍ＝１、ＶＰ＝３０８．９ｍｍ／ｓとするとＶ１＝４３２．５ｍｍ／ｓとなる。また、Ｖ２はタイミングプーリ１１７ｂ、１２３ａの径により決まりＶ２＝（１／３〜１／４）Ｖ１となっている。一方、ＮＯＮ−ＰＩＳモードにおいては、縮小時における走査系の速度の増大および照明パワーの増大を防止し消費電力を抑制するために、例えば６４％以下の場合には、ＰＩＳクラッチ１２５を解放させると共にＰＩＳロックソレノイドをオンさせることにより、第２走査系Ｂを固定し露光点を固定してスキャンし、駆動系の負荷および原稿照明パワーの増大を回避し、１．５ｋＶＡの実現に寄与するものである。
　【００７６】
　上記レンズ１０８は、図８（ａ）に示すように、プラテンガラス２の下方に配設されるレンズキャリッジ１３５に固定された支持軸１３６に摺動可能に取付けられている。レンズ１０８はワイヤー（図示せず）によりレンズＺモータ１３７に連結されており、該レンズＺモータ１３７の回転によりレンズ１０８を支持軸１３６に沿ってＺ方向（図で縦方向）に移動させて倍率を変化させる。また、レンズキャリッジ１３５は、ベース側の支持軸１３９に摺動可能に取付けられると共に、ワイヤー（図示せず）によりレンズＸモータ１４０に連結されており、レンズＸモータ１４０の回転によりレンズキャリッジ１３５を支持軸１３９に沿って、Ｘ方向（図で横方向）に移動させて倍率を変化させる。これらレンズモータ１３７、１４０は４相のステッピングモータである。レンズキャリッジ１３５が移動するとき、レンズキャリッジ１３５に設けられた小歯車１４２は、レンズカム１４３の雲型面に沿って回転し、これにより大歯車１４４が回転し、ワイヤーケーブル１４５を介して第２走査系の取付基台１４６を移動させる。従って、レンズＸモータ１４０の回転によりレンズ１０８と第２走査系Ｂの距離を所定の倍率に対して設定可能になる。
　【００７７】
　また、図８（ｂ）に示すように、レンズ１０８の１側面にはレンズシャッタ１４７がリンク機構１４８により開閉自在に設けられ、シャッタソレノイド１４９のオンオフにより、イメージスキャン中はレンズシャッタ１４７が開となり、イメージスキャンが終了すると閉となる。レンズシャッタ１４７により遮光する目的は、ベルト感材上にＤＤＰパッチ、ＡＤＣパッチを形成することと、ＰＩＳモード時において第２走査系Ｂがリターンするときの像の消込を防止することである。
　【００７８】
　図９は光学系のサブシステムの概要を示すブロック構成図を示している。オプティカルＣＰＵ４５は、メインＣＰＵ４１とシリアル通信およびホットラインにより接続され、メインＣＰＵ４１から送信されるコピーモードにより感材上に潜像を形成するために、各キャリッジ、レンズ等のコントロールを行っている。制御用電源１５２は、ロジック用（５Ｖ）、アナログ用（±１５Ｖ）、ソレノイド、クラッチ用（２４Ｖ）からなり、モータ用電源１５３は３８Ｖで構成される。
　【００７９】
　キャリッジレジセンサ１５５は、第１ミラー１０３のレジスト位置に対応するように配置され、第１走査系Ａに取付けられたアクチュエータがキャリッジレジセンサ１５５を踏み外すと信号を出力する。この信号はオプティカルＣＰＵ４５に送られレジストレーションを行うための位置或いはタイミングを決定したり、第１走査系Ａのリターン時におけるホーム位置Ｐを決定するようになっている。また、キャリッジの位置を検出するために第１ホームセンサ１５６ａ、第２ホームセンサ１５６ｂが設けられており、第１ホームセンサ１５６ａは、レジスト位置と第１走査系Ａの停止位置との間の所定位置に配置され、第１走査系Ａの位置を検出し信号を出力している。また、第２ホームセンサ１５６ｂは第２走査系Ｂの位置を検出し信号を出力している。
　【００８０】
　ロータリエンコーダ１５７は、キャリッジモータ１１４の回転角に応じて９０°位相のずれたＡ相、Ｂ相のパルス信号を出力するタイプのものであり、例えば、２００パルス／回転で第１走査系のタイミングプーリの軸ピッチが０．１５７１ｍｍ／パルスに設計されている。偏倍用ソレノイド１５９は、ＣＰＵ４５の制御により偏倍レンズ（図示せず）を垂直方向に移動させ、偏倍レンズの移動を偏倍スイッチ１６０のオンオフ動作で確認している。レンズホームセンサ１６１、１６２は、レンズＸモータ１４０およびレンズＺモータ１３７のホーム位置を検出するセンサである。ＬＤＣロックソレノイド１２７は、ＣＰＵ４５の制御により第１走査系Ａを所定位置に固定するもので、ロックしたことをＬＤＣロックスイッチ１２９により確認している。ＰＩＳロックソレノイド１３１は、ＮＯＮ−ＰＩＳモード時にＰＩＳクラッチ１２５が解放されたときに、第２走査系Ｂを固定するもので、ロックしたことをＰＩＳロックスイッチ１３２で確認している。ＰＩＳクラッチ１２５は、通電時にクラッチを解放させ非通電時にクラッチを係合させるタイプのもので、ＰＩＳモード時の消費電力を低減させ、１．５ｋＶＡの実現に寄与している。
　【００８１】
　図１０（ａ）、（ｂ）は光学系のスキャンサイクルの制御を示し、本制御は第１走査系Ａを指定された倍率、スキャン長で走査するもので、ホットラインよりスキャンスタート信号を受信すると起動する。メインより受信したスキャン長データから、レジセンサの割り込みからスキャン終了までのエンコーダクロックのカウント数であるイメージ・スキャンカウントが演算される。先ず、倍率に対応した基準クロックデータを設定した後、ステップ２でキャリッジモータをスキャン方向（ＣＷ）に回転させ、スキャン時の加速制御を行う（ステップ３）。次いでステップ４においてＰＬＬ（位相制御）モードにセットし、ステップ５でレジセンサがオフの割り込み信号があれば、イメージスキャンを開始しエンコーダクロックのカウント数が上記スキャン長に相当する値以上になると（ステップ６）、ＰＬＬモードを解除して速度モードにセットし、キャリッジモータをリターン方向（ＣＣＷ）に回転させる。次いで、ステップ８においてＣＷからＣＣＷ（逆転信号）への割り込みがあるか否かが判断され、あればリターン時の加速制御を行い（ステップ９）、エンコーダのカウント数が予め設定されたブレーキ開始点に到れば（ステップ１０）、リターン時の減速制御を行い（ステップ１１）、再度逆転信号があればキャリッジモータを停止する（ステップ１２）。また、（ｂ）に示すように、シャッタをオン（開）するカウント数を設定し、エンコーダのクロック数がシャッタオンカウント以上になればシャッタを開き、エンコーダのクロック数がシャッタオフカウント以上になればでシャッタを閉じてイメージスキャンを終了する。
　【００８２】
（ＩＩ−２）ベルト廻り
　ベルト廻りはイメージング系とマーキング系からなっている。
　【００８３】
　イメージング系はＩＭＭサブシステム３４によって管理され、潜像の書込み、消去を行っている。マーキング系はマーキングサブシステム３５により管理され、帯電、露光、表面電位検出、現像、転写等を行っている。この複写機においては、以下に述べるようにベルト上のパネル管理、パッチ形成等を行ってコピーの高速化、高画質化を達成するために、ＩＭＭサブシステム３４とマーキングサブシステム３５とが互いに協動している。
　【００８４】
　図１１はベルト廻りの概要を示す図である。
　ベースマシーン１内には有機感材ベルト４が配置されている。有機感材ベルトは電荷発生層、トランスファ層等何層にも塗って感材を形成しているので、Ｓｅを蒸着して感材を形成する感光体ドラムに比して自由度が大きく、製作が容易になるのでコストを安くすることができ、またベルト回りのスペースを大きくすることができるので、レイアウトがやり易くなるという特徴がある。
　【００８５】
　一方、ベルトには伸び縮みがあり、またロールも温度差によって径が変化するので、ベルトのシームから一定の距離にベルトホールを設けてこれを検出し、またメインモータの回転速度に応じたパルスをエンコーダで発生させてマシーンクロックを形成し、一周のマシーンクロックを常時カウントすることにより、ベルトの伸び縮みに応じてキャリッジのスタートの基準となるピッチ信号、レジゲートのタイミングを補正する。
　【００８６】
　本装置における有機感材ベルト４は長さが１ｍ以上あり、Ａ４サイズ４枚、Ａ３サイズ３枚が載るようにしているが、ベルトにはシームがあるため常にパネル（ベルト上に形成される像形成領域）管理をしておかないと定めたパネルのコピーがとれない。そのため、シームから一定の距離に設けられたベルトホールを基準にしてパネルの位置を定め、ユーザーの指定するコピーモード、用紙サイズに応じてベルト上に載るパネル数（ピッチ数）を決め、またスタートボタンを押して最初にコピーをとるパネルがロール２０１の近傍のゲットパークの位置にきたとき信号を出し、ここからコピーがとれるという合図をするようにしている。
　【００８７】
　有機感材ベルト４はチャージコロトロン（帯電器）２１１によって一様に帯電されるようになっており、図の時計方向に定速駆動されている。そして最初のパネルがレジ（露光箇所）２３１の一定時間前にきたときピッチ信号を出し、これを基準としてキャリッジスキャンと用紙フィードのタイミングがとられる。チャージコロトロン２１１によって帯電されたベルト表面は露光箇所２３１において露光される。露光箇所２３１には、べースマシン１の上面に配置されたプラテンガラス２上に載置された原稿の光像が入射される。このために、露光ランプ１０２と、これによって照明された原稿面の反射光を伝達する複数のミラー１０３，１０６，１０７，１１０，１１１，１１３および光学レンズ１０８とが配置されており、このうちミラー１０３は原稿の読み取りのためにスキャンされる。またミラー１１０、１１１、１１３は第２の走査光学系Ｂを構成し、これはＰＩＳと呼ばれるもので、プロセススピードを上げるのには限界があるため、プロセススピードを上げずにコピー速度が上げられるように、ベルトの移動方向と反対方向に第２の走査光学系Ｂをスキャンして相対速度を上げ、最大６４枚／ｍｉｎ（ＣＰＭ）を達成するようにしている。
　【００８８】
　露光箇所２３１でスリット状に露光された画情報によって有機感材ベルト４上には原稿に対応した静電潜像が形成される。そして、ＩＥＬ（インターイメージランプ）２１５で不要な像や像間のイレーズ、サイドイレーズを行った後、静電潜像は、通常黒色トナーの現像装置２１６、またはカラートナーの現像装置２１７によって現像されてトナー像が作成される。トナー像は有機感材ベルト４の回転と共に移動し、プリトランスファコロトロン（転写器）２１８、トランスファコロトロン２２０の近傍を通過する。プリトランスファコロトロン２１８は、通常、交流印加によりトナーの電気的付着力を弱めトナーの移動を容易にするためのものである。また、ベルトは透明体で形成されているので、転写前にプリトランスファランプ２２５（イレーズ用に兼用）で背面からベルトに光を照射してさらにトナーの電気的付着力を弱め、転写が行われ易くする。
　【００８９】
　一方、ベースマシン１の供給トレイに収容されているコピー用紙、あるいは手差しトレイ１６に沿って手差しで送り込まれるコピー用紙は、送りロールによって送り出され、搬送路５０１に案内されて有機感材ベルト４とトランスファコロトロン２２０の間を通過する。用紙送りは原則的にＬＥＦ（Ｌｏｎｇ　Ｅｄｇｅ　Ｆｅｅｄ）によって行われ、用紙の先端と露光開始位置とがタッキングポイントで一致するようにレジゲートが開閉制御されてトナー像がコピー用紙上に転写される。そしてデタックコロトロン２２１、ストリップフィンガ２２２で用紙と感材ベルト４とが剥がされ、転写後のコピー用紙はヒートロール２３２およびプレッシャロール２３３の間を通過して熱定着され、搬送ロール２３４、２３５の間を通過して図示しない排出トレイ上に排出される。
　【００９０】
　コピー用紙が剥がされた感材ベルト４はプレクリーンコロトロン２２４によりクリーニングし易くされ、ランプ２２５による背面からの光照射により不要な電荷が消去され、ブレード２２６によって不要なトナー、ゴミ等が掻き落とされる。
　【００９１】
　なお、ベルト４上にはパッチジェネレータ２１２により像間にパッチを形成し、パッチ部の静電電位をＥＳＶセンサ２１４で検出して濃度調整用としている。またベルト４には前述したようにホールが開けられており、ベルトホールセンサ２１３でこれを検出してベルトスピードを検出し、プロセススピード制御を行っている。またＡＤＣ（Ａｕｔｏ　Ｄｅｎｓｉｔｙ　Ｃｏｎｔｒｏｌ）センサ２１９で、パッチ部分に載ったトナーからの反射光量とトナーがない状態における反射光量とを比較してトナーの付着具合を検出し、またポップセンサ２２３で用紙が剥がれずにベルトに巻きついてしまった場合を検知している。
　【００９２】
　図１２は感材ベルト４上のパネル分割の様子を示すものである。
　ベルト４はシーム部２５１があるので、ここに像がのらないようにしており、シーム部から一定距離ｌの位置にベルトホール２５２が設けられ、例えば周長１１５８ｍｍの場合でｌは７０ｍｍとしている。図の２５３、２５４は感材ベルト面をＮピッチ分割したときの先頭と最後のパネルで、図のＢはパネルの間隔、Ｃはパネル長、Ｄはパネルのピッチ長さであり、４ピッチ分割の場合は２８９．５ｍｍ、３ピッチ分割の場合は３８６ｍｍ、２ピッチ分割の場合は５７９ｍｍである。シーム部２５１は、パネル２５３のＬＥ（Ｌｅａｄ　Ｅｄｇｅ）とパネル２５４のＴＥ（Ｔａｉｌ　Ｅｄｇｅ）との中央にくるようにＡ＝Ｂ／２とする。
　なお、パネルのＬＥは用紙のＬＥと一致させる必要があるが、ＴＥは必ずしも一致せず、パネル適用の最大用紙ＴＥと一致する。
　【００９３】
　図１３はＩＭＭサブシステムの機能の概略を示すブロック構成図である。
　【００９４】
　ＩＭＭサブシステム３４の機能を概説すると、ＩＥＬサブシステム４０とバスラインによるシリアル通信を行い、高精度のコントロールを行うためにホットラインにより割り込み信号を送って像形成の管理を行うと共に、マーキングサブシステム３５、ＣＨＭサブシステム３３に制御信号を送ってベルト廻りのコントロールを行っている。
　【００９５】
　また有機感材ベルト４に開けたホールを検出してメインモータの制御を行うと共に、パネルの形成位置を決定してパネル管理を行っている。また低温環境の場合にはフューザーの空回転を行わせて定着ロールを所定温度に維持し、迅速なコピーが行えるようにしている。そして、スタートキーが押されるとセットアップ状態になり、コピーに先立ってＶＤＤＰ等の定数の合わせ込みを行い、コピーサイクルに入ると原稿サイズに基づいてイメージ先端、後端の縁消しを行って必要な像領域を形成する。またインターイメージ領域にパッチを形成してトナー濃度調整用のパッチの形成を行っている。さらにジャム要因、ベルトフェール等のハードダウン要因が検出されると、ベルトの停止、あるいはシーケンスマネージャと交信してマシンの停止を行う。
　【００９６】
　次にＩＭＭサブシステムの入出力信号、及び動作について説明する。
　ブラックトナーボトル２６１、カラートナーボトル２６２におけるトナーの検出信号が入力されてトナー残量が検出される。
　キャリッジレジセンサ１５５からはＩＭＭサブシステムからマーキングサブシステムへ出すＰＧリクエスト信号、バイアスリクエスト信号、ＡＤＣリクエスト信号の基準となるオプチカルレジ信号が入力される。
　プラテン原稿サイズセンサＳ６〜Ｓ１０からは原稿サイズが入力され、これと用紙サイズとからＩＥＬ２１５による消し込み領域が決定される。
　【００９７】
　ベルトホールセンサ２１３からはベルトホール信号が入力され、メインモータ２６４、２６５によりプロセススピードの制御を行ってベルトが一周する時間のバラツキに対する補正を行っている。メインモータは２個設けて効率のよい動作点で運転できるようにし、負荷の状態に応じてモータのパワーを効率よく出せるようにし、また電力の有効利用を図ると共に、停止位置精度を向上させるためにモータによる回生制動を行っている。またモータは逆転駆動を行うことができる。これはブレードを感材ベルトに密着させてクリーニングを行うとブレードの手前側に紙粉やトナーの滓が溜るのでこれを落とすためである。またモータによるベルト駆動はベルトクラッチ２６７を介して行っており、ベルトのみ選択的に停止することができる。このモータの回転と同期してエンコーダからパルスを発生させ、これをマシンクロックとして使用してベルトスピードに応じたマシンクロックを得ている。
　【００９８】
　なお、ベルトホールセンサ２１３で一定時間ホールが検出できなかったり、ホールの大きさが変わってしまったような場合にはこのことがＩＭＭサブシステム３４からシーケンスマネージャに伝えられてマシンは停止される。
　【００９９】
　また、ＩＭＭサブシステムは、ＩＥＬサブシステム４０とシリアル通信を行うと共に、ホットラインを通じて割り込み信号を送っており、ＩＥＬイネーブル信号、ＩＥＬイメージ信号、ＡＤＣパッチ信号、ＩＥＬブラックバンド信号を送出している。ＩＥＬイメージ信号で不要な像の消し込みを行い、ＡＤＣパッチ信号でＩＥＬサブシステム４０により、パッチジェネレータ２１２で形成されたパッチ領域の形状、面積を規定すると共に、電荷量を調整して静電電位を５００〜６００Ｖの一定電位に調整する。ＩＥＬブラックバンド信号はブレード２２６によりベルト４を損傷しないように、所定間隔毎に像間にブラックバンドを形成してトナーを付着させて一種の潤滑剤の役割りを行わせ、特に白紙に近いような状態のようなトナー量が極めて少ないときコピーの場合でもベルト４を損傷しないようにしている。
　【０１００】
　さらに、ＩＭＭサブシステム３４はマーキングサブシステム３５とはホットラインによる通信を行っており、オプチカチカルレジ信号を基準にしてパッチ形成要求信号、バイアス要求信号、ＡＤＣ要求信号を送出する。マーキングサブシステム３５はこれを受けてパッチジェネレータ２１２を駆動してパッチを形成すると共に、ＥＳＶセンサ２１４を駆動して静電電位を検出し、また現像装置２１６、２１７を駆動してトナー画像を形成している。またプリトランスファコロトロン２１８、トランスファコロトロン２２０、デタックコロトロン２２１の駆動制御を行っている。
　【０１０１】
　ＩＭＭサブシステム３４からはピッチリセット信号１が送出されており、これを基準にしてキャリッジのスタートのタイミングをとるようにしている。
　またカラー現像器ユニットが装着されているか否かの検知信号が入力され、現像装置のトナーが黒色かカラーかを検出している。
　【０１０２】
　ＣＨＭサブシステム３３へはＩＭＭサブシステム３４からレジゲートトリガ信号を送ってタッキングポイントで用紙と像の先端とが一致するように制御すると共に、レジゲートの開くタイミングを補正する必要がある場合は、その補正量を算出して送っている。
　またブレード２２６で掻き落としたトナーは回収トナーボトル２６８に回収され、ボトル内のトナー量の検出信号がＩＭＭサブシステム３４に入力され、所定量を超えると警報するようにしている。
　またＩＭＭサブシステム３４はファンモータ２６３を駆動して異常な温度上昇を防止し、環境温度が許容温度範囲内にあって安定した画質のコピーが得られるようにしている。
　【０１０３】
　図１４はタイミングチャートを示すものである。
　制御の基準となる時間はオプチカルレジセンサ位置である。オプチカルレジセンサオン／オフ信号の所定時間（Ｔ１）後よりＩＥＬがオフされる。すなわちＴ１まではオンしていて先端消し込みを行い、Ｔ２以後はオンして後端消し込みを行っている。こうしてＩＥＬイメージ信号により像形成が行われ、またレジゲートのタイミングを制御することでタッキングポイントでの用紙の先端と像の先端とを一致させている。像形成終了後、パッチジェネレータ要求信号（基準時よりＴ５後）によりＡＤＣパッチ信号が発生し、インターイメージにパッチを形成する。またパッチ形成後、バイアス要求信号が発せられて（Ｔ６後）現像が行われ、その後ＡＤＣ要求信号が発せられ（Ｔ７後）てトナー濃度の検出が行われる。またブラックバンド信号によりインターイメージにブラックバンドが形成される。なお、ＡＥ（Ａｕｔｏ　Ｅｘｐｏｓｕｒｅ）スキャン中においては、ＩＥＬイメージ信号のＯＮ／ＯＦＦは行わない。
　【０１０４】
（ＩＩ−３）用紙搬送系
　図１５において、用紙トレイとして上段トレイ６ー１、中段トレイ６ー２、下段トレイ６ー３、そしてデュープレックストレイ１１がベースマシン内に装備され、オプションによりサイドに大容量トレイ（ＨＣＦ）１７、手差しトレイ（ＭＳＩ）１６が装備され、各トレイには適宜ノーペーパーセンサ、サイズセンサ、およびクラッチ等が備えられている。ここで、ノーペーパーセンサは、供給トレイ内のコピー用紙の有無を検知するためのセンサであり、サイズセンサはトレイ内に収容されているコピー用紙のサイズを判別するためのセンサである。また、クラッチは、それぞれの紙送りロールの駆動をオン・オフ制御するための部品である。このように複数の供給トレイに同一サイズのコピー用紙をセットできるようにすることによって、１つの供給トレイのコピー用紙がなくなったとき他の供給トレイから同一サイズのコピー用紙を自動的に給送する。
　【０１０５】
　コピー用紙の給送は、専用に設けられたフィードモータによって行われ、フィードモータにはステップモータが使用されている。コピー用紙の給送が正常に行われているかどうかはフィードセンサによって検知される。そして、一旦送り出されたコピー用紙の先端を揃えるためのレジストレーション用としてゲートソレノイドが用いられる。このゲートソレノイドは、通常のこの種のソレノイドと異なり通電時にゲートが開きコピー用紙を通過させるような制御を行うものである。従って、コピー用紙の到来しない待機状態ではゲートソレノイドに電源の供給がなく、ゲートは開いたままとなって消費電力の低減を図っている。そして、コピー用紙が到来するわずか手前の時点にゲートソレノイドが通電され、通過を阻止するためにゲートが閉じる。しかる後、所定のタイミングでコピー用紙の搬送を再開する時点で通電を停止しゲートを開くことになる。このような制御を行うと、コピー用紙の先端が通過を阻止されている時点でのゲートの位置の変動が少なくなり、コピー用紙が比較的強い力でゲートに押し当てられた場合でもその位置決めを正確に行うことができる。
　【０１０６】
　用紙の両面にコピーする両面モードや同一面に複数回コピーする合成モードにより再度コピーする場合には、デュープレックストレイ１１へスタックする搬送路に導かれる。両面モードの場合には、搬送路から直接デュープレックストレイ１１へスタックされるが、合成モードの場合には、一旦搬送路から合成モード用インバータ１０へ搬送され、しかる後反転してデュープレックストレイ１１へ導かれる。なお、搬送路５０１からソーター等への排紙出口５０２とデュープレックストレイ１１側との分岐点にはゲート５０３が設けられ、デュープレックストレイ１１側において合成モード用インバータ１０へ導く分岐点には搬送路を切り換えるためのゲート５０５、５０６が設けられ、さらに、排紙出口５０２はゲート５０７が設けられトリロールインバータ９で反転させることにより、コピーされた面を表側にして排出できるようにしている。
　【０１０７】
　上段トレイ及び中段トレイは、用紙枚数が５００枚程度、Ａ３〜Ｂ５、リーガル、レター、特Ｂ４、１１×１７の用紙サイズが収容可能なトレイである。そして、図１６に示すようにトレイモータ５５１を有し、用紙が少なくなるとトレイ５５２が傾く構造になっている。センサとしては、用紙サイズを検知する３つのペーパーサイズセンサ５５３〜５５５、用紙切れを検知するノーペーパーセンサ５５６、トレイ高さの調整に使用するサーフェースコントロールセンサ５５７を備えている。また、トレイの上がりすぎを防止するためのイマージェンシイスイッチ５５８がある。下段トレイは、用紙枚数が１１００枚程度、上段トレイ及び中段トレイと同様の用紙サイズが収納可能なトレイである。
　【０１０８】
　図１５において、デュープレックストレイは、用紙枚数が５０枚程度、上記各トレイと同じ用紙サイズが収容可能なトレイであり、用紙の１つの面に複数回のコピーを行ったり、２つの面に交互にコピーを行う場合にコピー済の用紙を一時的に収容するトレイである。デュープレックストレイ１１の入口側搬送路には、フィードロール５０９、ゲート５０５が配置され、このゲート５０５により合成モードと両面モードに応じた用紙搬送の切り換え制御を行っている。例えば両面モードの場合には、上方から搬送されてきた用紙がゲート５０５によりフィードロール５０９側に導かれ、合成モードの場合には、上方から搬送されてきた用紙がゲート５０５、５０６により一旦合成モード用インバータ１０に導かれ、しかる後反転するとゲート５０６によりフィードロール５１０、デュープレックストレイ１１側に導かれる。デュープレックストレイ１１に用紙を収納して所定のエッジ位置まで自由落下させるには、一般に１７°〜２０°程度のトレイ傾斜角が必要である。しかし、この複写機では、装置のコンパクト化を図りデュープレックストレイ１１を狭いスペースの中に収納したため、最大で８°の傾斜角しかとれない。そこで、デュープレックストレイ１１には、図１７に示すようにサイドガイド５６１とエンドガイド５６２が設けられている。これらサイドガイドとエンドガイドの制御では、用紙サイズが決定されるとその用紙サイズに対応する位置で停止させる。
　【０１０９】
　大容量トレイ（ＨＣＦ）は、数千枚のコピー用紙を収容することのできる供給トレイである。例えば原稿を拡大したり縮小してコピーをとる必要のない顧客や、コピー量が少ない顧客は、ベースマシン単体を購入することが適切な場合が多い。これに対して、多量のコピーをとる顧客や複雑なコピー作業を要求する顧客にとってはデュープレックストレイや大容量トレイが必要とされる場合が多い。このような各種要求を実現する手段として、この複写機システムではそれぞれの付加装置を簡単に取りつけたり取り外すことができる構造とし、また付加装置の幾つかについては独立したＣＰＵ（中央処理装置）を用意して複数のＣＰＵによる分散制御を行うことにしている。このことは、単に顧客の希望する製品が容易に得られるという利点があるばかりでなく、新たな付加装置の取り付けの可能性は顧客に対して新たなコピー作業の可能性を教示することになり、オフィスの事務処理の進化を推進させるという点でこの複写機システムの購入に大きな魅力を与えることになる。
　【０１１０】
　手差しトレイ（ＭＳＩ）１６は、用紙枚数５０枚程度、用紙サイズＡ２Ｆ〜Ａ６Ｆが収容可能なトレイであって、特に他のトレイに収容できない大きなサイズの用紙を使うことができるものである。従来のこの種の手差しトレイは、１枚ずつ手差しを行うので、手差しが行われた時点でコピー用紙を手差しトレイから優先的に送り出せばよく、手差しトレイ自体をオペレータが選択する必要はない。これに対してこの複写機の手差しトレイ１６は複数枚のコピー用紙を同時にセットすることができる。従って、コピー用紙のセットをもってその手差しトレイ１６からの給送を行わせると、コピー用紙を複数枚セットしている時点でそのフィードが開始される可能性がある。このような事態を防止するために、手差しトレイ１６の選択を行わせるようにしている。
　【０１１１】
　この複写機では、トレイにヌジャーロール５１３、フィードロール５１２、テイクアウェイロール５１１を一体に取り付ける構成を採用することによってコンパクト化を図っている。用紙先端がテイクアウェイロール５１１にニップされた後、フィードアウトセンサーで先端を検知して一時停止させることによって、転写位置を合わせるためのプレレジストレーションを行い、フィーダ部での用紙の送り出しばらつきを吸収している。送り出された用紙は、アライナ装置５１５を経て感材ベルト４の転写位置に給送される。
　【０１１２】
（ＩＩ−４）原稿自動送り装置（ＤＡＤＦ）
　図１８においてＤＡＤＦ１３は、ベースマシン１のプラテンガラス２の上に取りつけられている。このＤＡＤＦ１３には、原稿６０１を載置する原稿トレイ６０２が備えられている。原稿トレイ６０２の原稿送り出し側には、送出パドル６０３が配置されており、これにより原稿６０１が１枚ずつ送り出される。送りだされた原稿６０１は、第１の駆動ローラ６０５とその従動ローラ６０６および第２の駆動ローラ６０７とその従動ローラ６０８により円弧状搬送路６０９に搬送される。さらに、円弧状搬送路６０９は、手差し用搬送路６１０と合流して水平搬送路６１１に接続されると共に、円弧状搬送路６０９の出口には、第３の駆動ローラ６１２とその従動ローラ６１３が設けられている。この第３の駆動ローラ６１２は、ソレノイド（図示せず）により上下に昇降自在になっており、従動ローラ６１３に対して接離可能に構成されている。水平搬送路６１１には、図示しない駆動モータにより回動される停止ゲート６１５が設けられると共に、水平搬送路６１１から円弧状搬送路６０９に向けて反転用搬送路６１６が接続されている。反転用搬送路６１６には、第４の駆動ローラ６１７が設けられている。また、水平搬送路６１１の出口と対向してプラテンガラス２の上にベルト駆動ローラ６１９が設けられ、その従動ローラ６２０間に張設されたベルト６２１を正逆転可能にしている。このベルト搬送部の出口には、第５の駆動ローラ６２２が設けられ、また、前記手差し用搬送路６１０には第６の駆動ローラ６２３が配設されている。該駆動ローラ６２３はベースマシン１の前後方向（図で紙面と垂直方向）に２個設けられ、同一サイズの原稿を２枚同時に送ることが可能に構成されている。なお、６２５は第７の駆動ローラ６２６により送出パドル６０３の表面をクリーニングするクリーニングテープである。
　【０１１３】
　次に、図１８、図１９を参照しつつフォトセンサＳ１〜Ｓ１２について説明する。Ｓ１は原稿トレイ６０２上の原稿６０１の有無を検出するノーペーパーセンサ、Ｓ２は原稿の通過を検出するテイクアウエイセンサ、Ｓ３、Ｓ４は手差し用搬送路６１０の前後に設けられるフィードセンサ、Ｓ５はスキューローラ６２７により原稿の斜め送りが補正され停止ゲート６１５において原稿が所定位置にあるか否かを検出するレジセンサ、Ｓ６〜Ｓ１０は原稿のサイズを検出するペーパサイズセンサ、Ｓ１１は原稿が排出されたか否かを検出する排出センサ、Ｓ１２はクリーニングテープ６２５の終端を検出するエンドセンサである。
　【０１１４】
　次に図２０をも参照しつつ上記構成からなるＤＡＤＦ１３の作用について説明する。（イ）はプラテンモードであり、プラテンガラス２上に原稿６０１を載置して露光するモードである。
　【０１１５】
　（ロ）はシンプレックスモードであり、原稿トレイ６０２には、原稿６０１をそのコピーされる第１の面が上側となるようにして積層する。スタートボタンを押すと先ず、第１の駆動ローラ６０５および第２の駆動ローラ６０７が回転するが、第３の駆動ローラ６１２は上方に移動して従動ローラ６１３と離れると共に、停止ゲート６１５は下降して水平搬送路６１１を遮断する。これにより原稿６０１は円弧状搬送路６０９を通り、停止ゲート６１５に押し当てられる（▲１▼〜▲２▼）。この停止ゲート６１５の位置でスキューローラ６２７により、原稿はその端部が水平搬送路６１１と直角になるように補正されると共に、センサＳ６〜Ｓ１０で原稿サイズが検出される。次いで、第３の駆動ローラ６１２が下方に移動して従動ローラ６１３と接触すると共に、停止ゲート６１５は上昇して水平搬送路６１１を開き、第３の駆動ローラ６１２、ベルト駆動ローラ６１９および第５の駆動ローラ６２２が回転し、原稿のコピーされる面が下になってプラテン２上の所定位置に送られ露光された後、排出される。なお、手差し用搬送路６１０から単一原稿を送る場合にも同様な作用となり、原稿を１枚づつ送る機能に加え、同一サイズの２枚の原稿を同時に送る機能（２−ＵＰ）、大型原稿を送る機能（ＬＤＣ）、コンピュータ用の連続用紙を送るコンピュータフォームフィーダ（ＣＣＦ）機能を有する。
　【０１１６】
　（ハ）はデュープレックスモードであり、原稿の片面を露光する工程は上記（ロ）の▲１▼〜▲３▼の工程と同様であるが、片面露光が終了するとベルト駆動ローラ６１９が逆転し、かつ、第３の駆動ローラ６１２は上方に移動して従動ローラ６１３と離れると共に、停止ゲート６１５は下降して水平搬送路６１１を遮断する。従って、原稿は反転用搬送路６１６に搬送され、さらに第４の駆動ローラ６１７および第２の駆動ローラ６０７により、円弧状搬送路６０９を通り、停止ゲート６１５に押し当てられる（▲４▼〜▲５▼）。次いで、第３の駆動ローラ６１２が下方に移動して従動ローラ６１３と接触すると共に、停止ゲート６１５は上昇して水平搬送路６１１を開き、第３の駆動ローラ６１２、ベルト駆動ローラ６１９および第５の駆動ローラ６２２が回転し、原稿の裏面が下になってプラテンガラス２上の所定位置に送られ露光される。両面の露光が終了すると再びベルト駆動ローラ６１９が逆転し、再度反転用搬送路６１６に搬送され以下同様にしてプラテンガラス２上を通って第５の駆動ローラ６２２により排出される（▲７▼〜１０）。従って排出された原稿は、コピーされる第１の面が下側になって最初に原稿トレイ６０２に積層した順番で積層されることになる。
　【０１１７】
（ＩＩ−５）ソータ
　図２１においてソータ１９は、可動台車６５１上にソータ本体６５２と２０個のビン６５３を有している。ソータ本体６５２内には、搬送ベルト６５５を駆動させるベルト駆動ローラ６５６およびその従動ローラ６５７が設けられると共に、チェーン６５９を駆動させるチェーン駆動スプロケット６６０およびその従動スプロケット６６１が設けられている。これらベルト駆動ローラ６５６およびチェーン駆動スプロケット６６０は１個のソータ用モータ６５８により駆動される。搬送ベルト６５５の上部には用紙入口６６２、用紙出口６６３および図示しないソレノイドにより駆動される切換ゲート６６５が設けられている。また、チェーン６５９には、コピー用紙を各ビンへ切換供給するためのインデクサー６６６が取付けられている。図２２に示すように、ソータ用モータ６５８のドライブシャフト６７１の回転はタイミングベルト６７２を介してプーリ６７３に伝達される。該プーリ６７３の回転は、ベルト駆動ローラ６５６に伝達されると共に、ギヤ装置６７４を介してチェーン駆動スプロケット６６０に伝達される。
　【０１１８】
　次にその作用を図２３により説明する。図２３（ａ）はノンソートモードを示し、切換ゲート６６５はノンソートの位置にあってコピー用紙を最上段の排出トレイに送るものである。図２３（ｂ）はソートモードを示し、切換ゲート６６５がソート位置に切換えられ、奇数枚目の用紙が上から下のビンに向けて奇数段目のビンに搬送され、偶数枚目の用紙が下から上のビンに向けて偶数段目のビンに搬送される。これによりソート時間が短縮される。図２３（ｃ）及び同図（ｄ）はスタックモードを示し、図２３（ｃ）は４枚の原稿を原稿毎に４部コピーした例を示し、図２３（ｄ）は１ビン当たりの最大収納枚数を越えた場合であり、例えば５０枚を越えた場合には次の段のビンに収納するようにしている。
　【０１１９】
（ＩＩＩ）ユーザインターフェース（Ｕ／Ｉ）
（ＩＩＩ−１）ユーザインターフェースの特徴
　図２４はディスプレイを用いたユーザインターフェースの取り付け状態を示す図、図２５はディスプレイを用いたユーザインターフェースの外観を示す図である。
　【０１２０】
（Ａ）システムの特徴
　この複写機のユーザインターフェースは、モニター、キー入力や表示出力を制御するモジュール（ビデオコントローラ）と、キー入力情報やマシンのステートを管理して表示画面に反映させ、コピーモードを決定してマシンの動作コマンドを生成してジョブを管理するモジュール（ジョブコントローラ）からなる分割構成を採用している。そして、これら分割された機能をインターフェースコマンドにより結合し、ジョブを処理している。また、画面データは、各画面毎に階層構造のデータベースにして持ち、さらに付加装置や付加機能の有無に応じて変化する可変データについては、実装状態に応じて制御できるように表示制御データとして持っている。キー管理やジョブ管理をするモジュールにおいても、ステートテーブルやコピーモードテーブルを持ってキー入力やマシンステートの変化に応じて更新することによって、多機能化された装置できめこまかに対応できるようにしている。このようなシステム構成を採用することによって、表示手段としてディスプレイからコンソールパネルに変える場合であっても、全体を設計変更することなくキー入力と表示出力を制御する部分のモジュールのみを変えるだけで柔軟に対応できるようになっている。
　【０１２１】
（Ｂ）取付位置の特徴
　この複写機は、ユーザインターフェースとして先に述べた如き従来のコンソールパネルを採用するのではなく、スタンドタイプのディスプレイを採用することを特徴としている。ディスプレイを採用すると、図２４（ａ）に示すように複写機本体（ベースマシン）１の上方へ立体的に取り付けることができるため、特に、ユーザインターフェース１２を図２４（ｂ）に示すように複写機本体１の右奥隅に配置することによって、ユーザインターフェース１２を考慮することなく複写機のサイズを設計することができ、装置のコンパクト化を図ることができる。また、複写機において、プラテンの高さすなわち装置の高さは、原稿をセットするのに程よい腰の高さになるように設計され、この高さが装置としての高さを規制している。
　【０１２２】
　従来のコンソールパネルは、複写機の上面に取り付けられるため、ほぼ腰の高さで手から近い位置にあって操作としてはしやすいが、目から結構離れた距離に機能選択や実行条件設定のための操作部及び表示部が配置されることになる。その点、この複写機のユーザインターフェース１２では、図２４（ｃ）に示すようにプラテンより高い位置、すなわち目の高さに近くなるため、見やすくなると共にその位置がオペレータにとって下方でなく前方で、且つ右側になり操作もしやすいものとなる。しかも、ディスプレイの取り付け高さを目の高さに近づけることによって、その下側をユーザインターフェースの制御基板やカード装置２４、キーカウンター等のオプションキットの取り付けスペースとしても有効に活用できる。従って、カード装置２４を取り付けるための構造的な変更が不要となり、全く外観を変えることなくカード装置２４を付加装備でき、同時にディスプレイの取り付け位置、高さを見やすいものとすることができる。また、ディスプレイは、所定の角度で固定してもよいが、角度を変えることができるような構造を採用してもよいことは勿論である。
　【０１２３】
　図２４（ｄ）はユーザインターフェースを取り付けた様子を示す正面図、同図（ｅ）は側面図である。この複写機におけるユーザインターフェースでは、図示のように本体１のトップカバー２８７奥の隅にダクト形状のサポート２８６を立て、ここにアンダーカバー２８５、ベース２８４を取り付け、その上にディスプレイ２８０本体の回転ベース２８３を取り付け、全体としてマシン外側ラインからはみ出さないようにしている。回転ベース２８３は、横方向の回転と縦方向の回転が可能になったものであり、パソコンやワープロ等のディスプレイに用いられているものでよい。このようにすると、プラテンの手前側に平面的に取り付ける従来のコンソールパネルと違って、その正面の向きを簡単に変えることができるので、図２４（ｃ）に示すようにディスプレイの画面をオペレータの目線に合わせて若干上向きで且つ図２４（ｂ）に示すように左向き、つまり中央上方（オペレータの目の方向）へ向けることによって、さらに見やすく操作性のよいユーザインターフェース１２を提供できる。例えばディスプレイ２８０本体の取り付けは、ユーザの身長のばらつきを考慮して、９０％のユーザを満足させるようにベース２８４、アンダーカバー２８５、サポート２８６を含めた高さ、傾き角度を設定しようとすると、角度としては、横向き及び上向きにそれぞれ１０°±５°程度が望ましい値となる。この角度は、上からの写り込みの光も排除できる角度でもある。
　【０１２４】
　さらに、この複写機のユーザインターフェースでは、ディスプレイ２８０本体の下側と横にキーボード２８１、２８２を配置するが、特にキーボード２８２は、横へ出っ張ることになると同時にユーザ側からさらに遠くなる位置にある。一般にコピー枚数を設定してスタートキーを操作するだけのユーザは凡そ８０％に及ぶとみられており、このような使用頻度の高いキーが操作位置から遠くなることは好ましくない。そこで、キーボード２８２をディスプレイ２８０の表示面よりさらに中央へ向けることによって、キーを近くして操作性をよくし、また、外形上の出っ張りをなくすことができる。この角度は、例えば３０°±５°程度が望ましい値である。このようにすると、コンパクトな装置では、オペレータが装置の中央部にいて、移動することなく原稿セット、ユーザインターフェースの操作を行うことができる。また、サポート２８６を使用することによって、トップカバー２８７での取り付け専有面積をディスプレイ２８０本体のサイズより小さくし且つその位置もより隅に設定でき、ＡＤＦとの干渉をなくすと共に図２４（ｅ）の側面図から明らかなようにユーザインターフェースの下方の原稿送りスペースとその視界を確保することができる。さらに、サポート２８６の中は、ユーザインターフェースの制御基板、ＩＣ装置の配置スペースとして利用できるが、ユーザインターフェースの制御基板はベース２８４の中を利用してもよい。なお、図２４（ｄ）はサポート２８６の前面を化粧パネル２８８で覆い、その下方にカード装置２４、電源スイッチＳＷを取り付けた状態を示している。
　【０１２５】
　同図（ｆ）はサポートの下端部の取り付け状態を示す図、同図（ｇ）はトップカバーにおけるユーザインターフェース取り付け構造の例を示す図である。この複写機のユーザインターフェースは、本体１のトップカバー２８７上に出っ張るため、搬送時の損傷を受けやすくなる。このような問題をなくすためには、ユーザインターフェースの取り付けが簡単な構造を採用すると、別梱包で搬入して据え付け時に組み立てることができる。このような要求にあった取り付け構造の１例を示したのが同図（ｆ）、（ｇ）である。この取り付け方法は、トップカバー２８７に取り付けフレーム２８９を設け、この取り付けフレーム２８９にサポート２８６を嵌め込むものである。この場合のサポート２８６の固定は、同図（ｇ）に示すように取り付けフレーム２８９の前方にロケットピン２９０を設け、サポート２８６を滑り込ませてロケットピン２９０にサポート２８６の孔を嵌合させ、後方をねじ２９１止めしている。
　【０１２６】
　図２４（ｈ）はサポート２８６の上端でアンダーカバー２８５を回転可能な構造で固定した例を示す図である。この取り付け方法では、アンダーカバー２８５とサポート２８６との間で円筒状に嵌合する凹凸部を設け、アンダーカバー２８５をサポート２８６で回転可能にしたもので、その回転中心部に孔を設けてハーネスを通している。なお、３６０°を越えて無制限に回転できるようにするとハーネスが捩じれてしまうので、一定の角度内でのみ回転が可能となるようにストッパー（図示せず）を設けてもよい。また、ユーザインターフェースが１８０°回転できるようにすると、マシンを後ろから点検するときの作業性がよくすることができる。また、上記のようなユーザインターフェースの配置では、手を伸ばしてキーボードを操作するため突き指操作に近くなると、女性のように爪を伸ばしたユーザは、キー操作に抵抗感を持つことになる。そこで、このような問題を改善するには、キーの形状を斜め上に向くようにしたり、ぼたん形状の出っ張りを設けたりするとよい。
　【０１２７】
（Ｃ）画面上での特徴
　一方、ディスプレイを採用する場合においても、多機能化に対応した情報を提供するにはそれだけ情報が多くなるため、単純に考えると広い表示面積が必要となり、コンパクト化に対応することが難しくなるという側面を持っている。コンパクトなサイズのディスプレイを採用すると、必要な情報を全て１画面により提供することは表示密度の問題だけでなく、オペレータにとって見易い、判りやすい画面を提供するということからも難しくなる。
　【０１２８】
　そこで、コンパクト化を命題としてユーザインターフェースにディスプレイを採用する場合には、そのバランス上からディスプレイもコンパクトなサイズのものを採用して、その中で表示制御に工夫をすることが必要となる。この複写機では、ディスプレイが、コンソールパネルで使用されているＬＥＤや液晶表示器に比べ、多様な表示態様、表示制御を採用することができるというメリットを活用し、コンパクトなサイズであっても判りやすく表示するために種々の工夫を行っている。
　【０１２９】
　例えばこの複写機のユーザインターフェースでは、基本コピー、応用コピー、専門コピーの各コピーモードに類別して表示画面を切り換えるようにし、それぞれのモードで機能選択や実行条件の設定等のメニューを表示すると共に、キー入力により画面のカスケード（カーソル）を移動させ選択肢を指定したり実行条件データを入力できるようにしている。また、メニューの選択肢によってはその詳細項目をポップアップ表示（重ね表示やウインドウ表示）して表示内容の拡充を図っている。その結果、選択可能な機能や設定条件が多くても、表示画面をスッキリさせることができ、操作性を向上させることができる。その他に、上記各画面の設定状態を一覧表示するレビュー画面や、機能を説明するインフォメーション画面、標準のコピーモードを実行するときに利用する全自動画面、初期のマシン設定やマシン点検動作等をさせるためのダイアグ画面、ジャムを表示するジャム画面等を切り換え表示できるようにしている。
　【０１３０】
　このようにこの複写機では、画面の分割構成、各画面での領域分割、輝度調整やグレイ表示その他の表示態様の手法で工夫し、さらには、操作キーとＬＥＤとをうまく組み合わせることにより操作部を簡素な構成にし、ディスプレイの表示制御や表示内容、操作入力を多様化且つ簡素化し、装置のコンパクト化と多機能化を併せ実現するための問題を解決している。このような考えによりＣＲＴディスプレイを用いて構成したユーザインターフェースの外観を示したのが図２５である。この例では、ＣＲＴディスプレイ３０１の下側と右側の正面にキー／ＬＥＤボードを配置している。画面の構成として選択モード画面では、その画面を複数の領域に分割しその１つとして選択領域を設け、さらにその選択領域を縦に分割しそれぞれをカスケード領域として各機能を個別に選択設定できるようにしている。
　【０１３１】
　そこで、キー／ＬＥＤボードでは、縦に分割した画面の選択領域の下側にカスケードの選択設定のためのカスケードキー３１９−１〜３１９−５を配置し、選択モード画面を切り換えるためのモード選択キー３０８〜３１０その他のキー（３０２〜３０４、３０６、３０７、３１５〜３１８）及びＬＥＤ（３０５、３１１〜３１４）は右側に配置する構成を採用している。このようにキー及びＬＥＤの数を少なくし、かつこれらをＣＲＴディスプレイ３０１の横と下に配置しているので、サイズをＣＲＴディスプレイ３０１より僅かに大きくするだけでよく、コンパクトなユーザインターフェースを提供することができる。なお、図２５は、ペアのアップ／ダウンキーをカスケードキー３１９−１〜３１９−５として配置した例を示しているが、アップ方向或いはダウン方向のキーだけを配置してもよいし、アップ、ダウンのそれぞれのキーを独立に配置してもよい。
　【０１３２】
（ＩＩＩ−２）制御システムの構成
　図２６はＵ／Ｉ用ＣＰＵとシリアル通信で接続されたメインＣＰＵとの関係を示す図、図２７はユーザインターフェースのハードウエア構成を示す図、図２８はユーザインターフェースのソフトウエア構成を示す図である。
　【０１３３】
（Ａ）ハードウエア構成
　メインＣＰＵ４１（例えば１チップＣＰＵインテル社の７８１０を使用）は、図２６に示すようにＲＯＭ３２３、ＮＶＲＡＭ（不揮発性メモリ）３２４、ベースマシンとのデータの授受を行うインターフェース（例えば周辺ＬＳＩインテル社の８２５５を使用）３２１、付加装置（ＯＰＴＩＯＮ）とのデータの授受を行うインターフェース３２２を有し、バスがバスアービター３２６を介して通信制御回路（例えばインテル社の７８ＰＧ１１Ｅを使用）３２７に接続され、通信制御回路３２７を通してシリアルの通信ライン上でＵ／Ｉ用ＣＰＵ４６その他のＣＰＵとの通信を行うように構成されている。ＲＯＭ３２３は、先に説明したシーケンスマネージャーやイメージングモジュール、コピーハンドリングモジュール等の各サブシステムを含むプログラムを格納するものである。バスアービター３２６は、システムＲＡＭ３２５を有し、メインＣＰＵ４１から他のＣＰＵに送出するデータ及び他のＣＰＵから受信するデータを保持し、メインＣＰＵ４１がシリアル通信のタイミングと非同期でデータを授受できるようにするものであり、ＲＯＭ３２８は、通信制御回路３２７によりシリアル通信ラインでのデータの送受信を行う通信プログラムを格納するものである。なお、通信に関するこれらのバスアービター３２６や通信制御回路３２７に関する機能を全てメインＣＰＵ４１で行うように構成してもよい。メインＣＰＵ４１におけるシーケンスマネージャーのサブシステムは、シリアル通信により各サブシステムの状態を監視し、ユーザインターフェースからコピーモードの信号を受信すると、所定のタイミングで効率よくコピー作業が実施できるように各サブシステムに作業指示を行う。
　【０１３４】
　Ｕ／Ｉ用ＣＰＵ（例えば１チップＣＰＵインテル社の８０３１を使用）４６を備えたユーザインターフェースのシステムは、ハードウエアとして図２７に示すように基本的にＣＲＴ基板３３１とＣＲＴディスプレイ３０１とキー／ＬＥＤボード３３３より構成される。そして、ＣＲＴ基板３３１は、全体を統括制御するＵ／Ｉ用ＣＰＵ４６、ＣＲＴディスプレイ３０１を制御するＣＲＴコントローラ（例えば基板ＨＤ６８４５Ｓを使用）３３５、キー／ＬＥＤボード３３３を制御するキーボード／ディスプレイコントローラ（例えば基板８２７９を使用）３３６を備え、さらに、メモリとして上記の各プログラムを格納するプログラムメモリ（ＲＯＭ）３３７、フレームデータを格納するフレームメモリ（ＲＯＭ）３３８、一部は不揮発性メモリとして構成され各テーブルや表示制御データ等を格納すると共に作業領域として使用されるＲＡＭ３３９、２組のＶ−ＲＡＭ（ビデオ用ＲＡＭ）３４０、キャラクタジェネレータ３４２等を有している。
　【０１３５】
　メインＣＰＵ４１とＣＲＴ基板３３１のＵ／Ｉ用ＣＰＵ４６との間では、ドライバ３４４とレシーバ３４３を介してシリアルの通信ラインによりデータの送受信が行われる。ＴＸＤがＣＲＴ基板３３１からの送信信号、ＲＸＤがＣＲＴ基板３３１への受信信号である。クロック発生器３４６には、例えば１１．０５９２ＭＨｚの水晶発振器が用いられ、これをＵ／Ｉ用ＣＰＵ４６内部で１／１２に分周することによって、０．９２１６ＭＨｚの基本周波数を生成している。そして、Ｕ／Ｉ用ＣＰＵ４６の通信では、これを内部タイマにより１〜２５６分周（プログラマブル）することにより転送クロックを設定している。従って、基本周波数０．９２１６ＭＨｚをプログラムで１／３に分周決定し、さらに１／３２に分周すると、転送クロックは９６００Ｈｚ（送信ビット速度は９６００ＢＰＳ）になる。
　【０１３６】
　Ｕ／Ｉ用ＣＰＵ４６は、メインＣＰＵ４１からマシンの状態信号を受信し、また、キーボード／ディスプレイコントローラ３３６からキー／ＬＥＤボード３３３の操作信号を入力してＣＲＴディスプレイ３０１に表示する画面の切り換え、コピーモードの設定、ＣＲＴディスプレイ３０１に表示するメッセージの生成を行う。そして、キー／ＬＥＤボード３３３の操作信号の入力処理において、スタートキー３１８が操作されると、そのときのコピーモードをチェックし矛盾がなければメインＣＰＵ４１へそのコピーモードを送信し、コピーモードに矛盾がある場合にはＪコードメッセージを生成してＣＲＴディスプレイ３０１に表示するような処理を行う。ＣＲＴディスプレイ３０１の表示処理では、表示画面に対応してキャラクタジェネレータのコードを設定し、そのコードをＶ−ＲＡＭ３４０に書き込む。そのキャラクタジェネレータのコードを設定する情報を格納したものがフレームメモリ３３８である。Ｖ−ＲＡＭ３４０にコードが書き込まれると、ＣＲＴコントローラ３３５の制御によってラスタアドレスに同期してキャラクタジェネレータ３４２のドットデータが読み出され、並／直変換回路３５５でシリアルデータに変換され、ＣＲＴディスプレイ３０１に表示される。
　【０１３７】
　ウォッチドッグタイマ（Ｗ．Ｄ．Ｔ）３４５は、Ｕ／Ｉ用ＣＰＵ４６の暴走をチェックするものであり、Ｕ／Ｉ用ＣＰＵ４６がある特定の番地例えばデータ領域７０００〜７７ＦＦのいずれかの番地をリードした時リセットされる。従って、１５０ｍＳ以内にこの特定番地をリードするようにプログラムを作成しておくことによって、Ｕ／Ｉ用ＣＰＵ４６が暴走すると、１５０ｍｓｅｃ以上経過しても特定番地がリードされなくなりウォッチドッグタイマ（Ｗ．Ｄ．Ｔ）３４５がリセットされないので、Ｕ／Ｉ用ＣＰＵ４６暴走に対する処理がなされる。
　【０１３８】
　キーボード／ディスプレイコントローラ３３６は、Ｕ／Ｉ用ＣＰＵ４６に入力しているクロック発生器３４６の出力をカウンタ３４７で１／４に分周して２．７６４８ＭＨｚにしたクロックを入力し、さらにプリスケーラにより１／２７に分周して１０２ｋＨｚにすることにより４．９８ｍＳのキー／ＬＥＤスキャンタイムを作り出している。このスキャンタイムは、長すぎると入力検知に長い時間を要することになるためオペレータによるキー操作時間が短いときに入力データの取り込みがなされなくなるという問題が生じ、逆にあまり短くするとＣＰＵの動作頻度が多くなりスループットを落とすことになる。従って、これらの状況を勘案した最適のスキャンタイムを選択する必要がある。
　【０１３９】
（Ｂ）ソフトウエア構成
　ユーザインターフェースのソフトウエア構成は、図２８に示すようにＩ／Ｏ管理やタスク管理、通信プロトコルの機能を有するモニターと、キー入力管理や画面出力管理の機能を有するビデオコントローラと、ジョブの管理や制御、選択の判定、モード決定等の機能を有するジョブコントローラからなる。ここで、所定枚数のコピーを取る場合、そのコピー動作をスタートさせて所定枚数のコピーを行い終了させるまでが１つのジョブとされる。このようにソフトウエアを分割して構成し、ビデオコントローラで画面の編集制御やキー入力の変換処理を行うことによって、ジョブコントローラでは、表示装置やキーボードに関係なくソフトウエアを設計することができる。従って、例えばディスプレイをコンソールパネルに取り換える場合でもジョブコントローラは全く変えることなく、ビデオコントローラをコンソールパネルに合わせて設計変更するだけでよい。つまり、ビデオコントローラは、表示装置やキーボードとジョブコントローラとの間にあって、ジョブコントローラへ論理キーを渡し、ジョブコントローラから受けたインターフェースコマンドを表示装置やキーボードへ反映させるようにすればよい。
　【０１４０】
　このようなソフトウエアの分割を可能にしているのが論理キーとインターフェースコマンドであり、ジョブコントローラからインターフェースコマンドでビデオコントローラを制御することによってジョブコントローラでは画面を全く意識せずジョブの管理を行えるようにし、ソフトウエアの構築を容易にしている。従って、キー入力に関しては、ビデオコントローラでキーの物理的情報を処理し、ジョブコントローラでモードを認識してキー受付条件のチェックを行いジョブのコントロールを行う。画面表示では、ジョブコントローラでマシンの状態情報や選択モード情報等により画面制御を行いビデオコントローラにインターフェースコマンドを発行することによって、ビデオコントローラでそのコマンドを実行し画面の編集、描画を行う。なお、以下で説明するキー変化検出部３６２、その他のデータの処理や生成、コントロールを行うブロックは、それぞれ一定のプログラム単位（モジュール）で示したものであり、これらの構成単位は説明の便宜上まとめたものであって、さらにあるものはその中を複数のモジュールで構成したり、或いは複数のモジュールをまとめて構成することもあることは勿論である。
　【０１４１】
「ビデオコントローラ」
　キー変化検出部３６２は、物理キーテーブル３６１によりモニターから渡される物理キーの情報について二重押しチェックやキー連続押し状態検知を行うものである。キー変換部３６３は、このようにして検知された現在押状態の物理キーを論理キー（論理的情報）に変換するものであり、その論理キー（カーレントキー）のキー受付条件のチェックをジョブコントローラに依頼する。変換テーブル３６４は、この物理キーから論理キーへの変換の際にキー変換部３６３が参照するものであり、例えばカスケードキーは同じ物理キーであっても複数の論理的情報を有し、表示中の画面によって論理的情報は異なるので、表示制御データ３６７の表示画面情報により物理キーから論理キーへの変換テーブルが切り換えられる。
　【０１４２】
　画面切り換え部３６８は、ジョブコントローラからキー受付信号と論理キーを受け、或いはビデオコントローラ内で直接キー変換部３６３から論理キーを受けて、論理キーが基本コピー画面や応用コピー画面を呼び出し、或いはカスケードの移動によってポップアップ画面を展開するような単なる画面切り換えキーで、モード更新やステート更新のないキーの場合には表示制御データ３６７の画面番号で更新する。画面切り換え部３６８では、テーブルとしてポップアップ画面を展開する論理キーを記憶し、当該論理キーが操作され且つ７５０ｍｓｅｃ以内に他のキー入力がなかった場合には、ポップアップ画面を展開するように表示制御データ３６７の更新を行う。この処理は、ある選択肢の選択過程において一時的にカスケードキーの操作によってポップアップ画面を持つ選択肢が選択される場合があり、このような場合にもポップアップ画面が一々展開されるのを防止するために行うものである。従って、ポップアップ画面を展開する論理キーであっても７５０ｍｓｅｃ以内に他のキー入力があった場合には、一時的なキー入力としてキャンセルされることになる。また、ジャムの発生等のステートの更新、カスケードの移動その他のコピーモードの更新、メッセージやカウント値の更新の場合には、表示制御部３６９がジョブコントローラからインターフェースコマンドを受けて解析し、表示制御データ３６７の更新を行う。
　【０１４３】
　表示制御データ３６７は、表示する画面番号や画面内の表示変数情報等、各画面の表示を制御するデータを持ち、ダイアログデータ３７０は、各画面の基本フレーム、各フレームの表示データ、表示データのうち変数データの参照アドレス（表示変数情報を格納した表示制御データ３６７のアドレス）を持つ階層構造のデータベースである。ダイアログ編集部３６６は、表示制御データ３６７の画面番号をもとに表示する画面の基本フレーム、表示データをダイアログデータ３７０から読み出し、さらに変数データについては表示制御データ３６７の表示変数情報に従って表示データを決定して画面を編集しＶ−ＲＡＭ３６５に表示画面を描画展開する。
　【０１４４】
　カスケードキーの操作では、カスケードキーがオンからオフになった時、引き続き７５０ｍｓｅｃ押され続けた時、その後もさらに引き続き押され続け１２５ｍｓｅｃ経過した時、を契機として対応するキーが受付可であれば１ランク移動する。また、その移動先がモード受付不可であれば１ランクスキップされ次のキーが選択される。この動作は、カスケードがアップしたことによりそれに対応する論理コードがジョブコントローラにキー受付として渡され、表示データとしてジョブコントローラからビデオコントローラにフィードバックされる。
　【０１４５】
「ジョブコントローラ」
　キー管理部３７４は、ステートテーブル３７１を参照して論理キーが今受付可能な状態か否かをチェックするものであり、受け付け可であればその後７５０ｍｓｅｃ経過するまで他のキー情報が入力されないことを条件としてキー情報を確定しキーコントロール部３７５に送る。キーコントロール部３７５は、キーの受付処理を行ってコピーモードテーブル３７８の更新、モードチェックやコピー実行コマンドの発行を行い、マシン状態を把握して表示管理部３７７に表示制御情報を渡すことによって表示制御を行うものである。コピーモードテーブル３７８には、基本コピー、応用コピー、専門コピーの各コピー設定情報がセットされる。表示管理部３７７は、キー管理部３７４又はキーコントロール部３７５による処理結果を基にインターフェースコマンドをビデオコントローラに発行し、インターフェースルーチン（表示制御部３６９）を起動させる。ステート管理部３７２は、キー受付状態やジャムやフェイルの発生、インターロックが開いている等のマシンの状態情報からステートの変化を判断してキー受付のためのステートテーブル３７１を更新する。そして、これらのステート情報によってキーの受付条件がチェックされる。ジョブコントロール部３７６は、スタートキーの操作後、マシンの動作情報を受けてマシン制御のためのコマンドを発行して原稿１枚に対するコピー動作を実行するための管理を行うものである。コマンドコントロール部３７３は、本体から送信されてきたステートコマンドよりマシンの状態をステート管理部３７２及びジョブコントロール部３７６に通知すると共に、ジョブ実行中はジョブコントロール部３７６からその実行のためのコマンドを受けて本体に送信する。
　【０１４６】
　従って、スタートキーが操作され、キーコントロール部３７５がコピーモードに対応したコマンドを送信バッファ３８０にセットすることによってコピー動作が実行されると、マシンの動作状態のコマンドが逐次受信バッファ３７９に受信される。コマンドコントロール部３７３よりこのコマンドをジョブコントロール部３７６に通知することによって所定枚数のコピーが終了してマシン停止のコマンドが発行されるまで、１枚ずつコピーが終了する毎に次のコピー実行のコマンドが発行される。コピー動作中において、ジャム発生のコマンドを受信すると、コマンドコントロール部３７３を通してステート管理部３７２でジャムステートを認識し、ステートテーブル３７１を更新すると同時にキーコントロール部３７５を通して表示管理部３７７からビデオコントローラにジャム画面制御のインターフェースコマンドを発行する。
　【０１４７】
「インターフェースコマンド」
　図２９はインターフェースコマンドの構成例を示す図である。
　【０１４８】
　先に説明したようにジョブコントローラでは、図２９に示すようなステート登録、通常設定、編集設定、ジョブプロ設定、表示、表示制御、モード、マシン動作、イニシャライズ、ダイアグの各コマンドをビデオコントローラに発行してそれぞれの表示制御を行い、ビデオコントローラでは、インターフェースコマンドを解析してダイアログ編集を行う。このようなインターフェースコマンド方式の採用によってジョブコントローラとビデオコントローラがそれぞれ独立に設計可能となり、ビデオコントローラを変更することによって簡単にディスプレイをコンソールパネルに変更したり、他の入出力手段に変更することができるようにしている。
　【０１４９】
　ビデオコントローラの表示制御部３６９では、これらのコマンドを解析（図２９のコマンド解析）して表示制御データ３６７の更新処理を行う。登録コマンドでは、コンフィグ、倍率、セカンドデベのカラー、トレイに関する登録を行い、例えば「コンフィグ」で各画面の初期設定を、「トレイ」で用紙サイズや向き、紙質の登録を行う。また、通常設定コマンドでは、機能選択に関する画面の制御を行い、例えば「カスケード」で通常設定画面におけるカスケード設定状態を表示し、「任意倍率」で任意倍率を倍率表示として指定の倍率値を表示し、「カスケード消去」でカスケード不要の場合の消去を行う。表示コマンドでは、メッセージやノーペーパー等のメンテナンス情報の表示を制御し、モードコマンドでは、ジャムクリア要求画面の表示（ジャムコマンド）や予熱画面の表示のオン／オフ（予熱コマンド）制御を行う。また、ＬＥＤ（図示省略）のオン／オフを行う。このようにソフトのつくりやすさや処理上の都合等から分類コマンドで大別し、それぞれの処理コードで処理を行うようにしている。
　【０１５０】
「テーブル」
　図３０はジョブコントローラに用意されるテーブルの例を示す図である。
　この複写機では、上記のようにユーザインターフェースでキー管理やコピーモードの生成のために種々のテーブルを持っている。特に、６４ｃｐｍ、３０９ｍｍ／ｓｅｃのプロセススピードでコピー動作をさせるような高速の複写機に適用した場合、ユーザインターフェースは、マシンの制御を統括管理するシーケンスマネージャー（ＳＱＭＧＲサブシステム）との間がシリアル通信で接続され、マシンステート情報が所定の通信タイミングでないと渡されないことから、ユーザインターフェースのキー操作とマシンの動作とを直結させることはできない。そのために種々のステートを生成してキー受付管理を行う必要が生じ、テーブルが使用される。
　【０１５１】
　ジョブコントローラでは、ユーザの要求を論理キーで処理し、ユーザに入力設定情報やマシン情報を提供するために各種のテーブルを用意してこれらの情報を処理している。ステートテーブル３７１はその１つであって、先に説明したようにキーの受付を管理するのに用いられるものであり、そのテーブル構成を示したのが図３０（ａ）である。ステート情報としては、ジョブステート、マシンステート、ランケース、コンステート（コンソールステート）、ステートケース、モード情報からなる。
　【０１５２】
　ジョブステートは、ジョブコントローラの状態を示すものであり、同図（ｂ）に示すように通常のジョブ（１ｓｔジョブ）か割り込みジョブ（２ｎｄジョブ）か、さらにそのジョブが終了状態（ＣＯＭＰＬＥＴＥ）か実行中（ＩＮＣＯＭＰＬＥＴＥ）か、デュープレックスモードの状態（Ｓ／Ｓ，Ｄ／Ｓ，Ｓ／Ｄ，Ｄ／Ｄ）がどうかの情報に区別し、デュープレックストレイを使用するモード（Ｓ／Ｄ，Ｄ／Ｄ）の場合には、さらにその中でジョブが終了状態か実行中かの情報を管理している。例えばプラテン上に原稿をセットして設定枚数５枚のコピーを実行する場合には、その５枚のコピーを実行している間、すなわち５枚のコピーの実行を終了するまでがインコンプリート、終了するとコンプリートとなる。
　【０１５３】
　マシンステートは、図３０（ｃ）に示すように本体からマシンの状態をもらったときに覚えておく情報であり、本体が初期状態（ＩＮＩＴＩＡＲＩＺＥ）、コピーサイクルに入った所謂動作状態（ＰＲＯＧＲＥＳＳ）、コピーサイクルが終わって止まろうとしている状態（ＳＯＦＴＤＯＷＮ　ＣＯＩＮ）、ジャムやベルト切断等の異常停止状態（ＳＯＦＴＤＯＷＮ　ＰＡＵＳＥ）、ジャム後に自動的に排紙する状態（ＰＵＲＧＥ）、マシンの停止状態（ＳＴＡＮＤ−ＢＹ）、スタート指令でパージを実行する状態（ＰＵＲＧＥ　ＳＴＡＮＤ−ＢＹ）、マシンがジャムで停止した状態（ＪＡＭ）かの情報がある。従って、マシン動作との関係は、スタンバイからスタートキーが操作されると、プログレスになり、ソフトダウンコインを経て通常に動作終了すると再びスタンバイになる。しかし途中でジャムが発生すると、ソフトダウンポーズになり、停止するとジャムになる。そして、用紙を排出する必要があればパージスタンバイになり、用紙を排出するとパージになって再度コピーを続行するとプログレスに移行する。
　【０１５４】
　ランケースは、ステート管理部で作り出されるキー管理特有のステートの１つであり、マシンステートの情報であって、さらにプログレスやパージでストップキーを押していないか押されたか、ソフトダウンコインのプラテンモードでスタートキーが押されていないか押されたか、パージスタンバイでジョブコンプリートかインコンプリートの情報を持っている。この複写機では、本体との通信があるためその通信との兼ね合いでキーの受付が変わるので、このような情報を持っている。そして、ジョブステート、ランケース、ステートケース等のそれぞれの状態でキー対応のテーブルを持っていて、このテーブルから受付可能か否かを検索している。
　【０１５５】
　コンソールステートは、ステート管理が作り出すステートであって、レディ（ＲＤＹ）、ウエイト（ＷＡＩＴ）、Ｊコード、コーション、Ｕコード、ジャム等、コンソール上のキー受付情報や表示情報を持ち、ステートケースでは、Ｊコードのナンバーを持っている。このようなステートによって表示するメッセージやプライオリティが違う。モード情報では、オートスタートやパワーセーブ、編集入力等の情報を持っている。以上の各ステート情報によってキー管理を行っている。
　【０１５６】
　図３０（ｄ）はコピーモードテーブル３７８の構成を示すものであり、バイト０から１２までの本体送信情報とバイト１３から２４までのＦＥＡＴＵＲＥ　ＲＥＣＯＶＥＲＹ情報とバイト２５、２６のジョブステータスからなる。キー管理部３７４で上記のステートテーブル３７１に基づいてキー受付条件のチェックが行われ、キーコントロール部３７５によってキーの受付処理が行われると、このコピーモードテーブル３７８が更新され、そして、スタートキーが操作されコピーモードを決定するときにまた参照される。
　【０１５７】
　上記のほか、コマンドコントロール部３７３には、Ｕコードテーブル、ジャムステータス情報、コーションテーブル等を持っている。このうちＵコードテーブルは、マシンに異常が生じたときに本体から送られてくる情報より生成するものであり、この情報をもとにステートケースに応じてコンステートを作ることによって、キー管理部で受付可能なＵコードか否かを判断する。コーションテーブルは、インターロック開、トレイ抜け、ノーペーパーの状態等の情報を有するものである。
　【０１５８】
「画面データ」　
　図３１は画面データの構成例を示す図である。
　この複写機では、付加装置等の実装状況が異なってカスケードや選択肢すなわち選択可能な機能が変わる場合でも、その組み合わせに対応した画面を用意することなく、基本的には図２８に示すように画面のデータベースをダイアログデータ３７０としてＲＯＭに持ち、その変数を表示制御データ３６７としてＲＡＭに持つことによって、特定の表示ブロックを変化させて１画面のデータで編集できるようにしている。
　【０１５９】
　図３１（ａ）はダイアログデータのメモリ空間の構成を示したものであり、３２ｋバイトのチップを８枚使用し、ページ（Ｐａｇｅ　Ｎｕｍｂｅｒ）と絶対アドレス（Ａｂｓｏｌｕｔｅ　Ａｄｄｒｅｓｓ）でアクセスする構造になっている。そして、図示のようにページ０の一部をジャンプテーブルとして用い、各画面（フレーム）のデータの格納アドレスをポイントすることによって、画面番号（フレームＮｏ．とポップアップＮｏ．）によりアクセスできる。基本的なデータ構造は、同図（ｂ）に示すように何のデータかを示すＩＤとページと絶対アドレス、そして先頭の表示位置（Ｓｃｒｅｅｎ　Ｐｏｓｉｔｉｏｎ）のあるものと、先頭の表示位置のないものからなり、例えばメッセージデータ（Ｍｅｓｓａｇｅ　Ｖａｒｉａｂｌｅ）、セットカウント等の数値データ（Ｎｕｍｅｒｉｃ　Ｖａｒｉａｂｌｅ）、表示内容の固定された形状データ（Ｆｉｇｕｒｅ　Ｖａｒｉａｂｌｅ）、装置の実装状況によって内容が変化する変数データ（Ｅｌｅｍｅｎｔａｒｙ　Ｖａｒｉａｂｌｅ）、取り外されたトレイ等をブリンク表示するブリンクデータ（Ｂｌｉｎｋ　Ｖａｒｉａｂｌｅ）、予めセット可能なカスケードデータ（Ｐｒｅｓｅｔｔａｂｌｅ　Ｖａｒｉａｂｌｅ）、ベーシックフレームのデータ、ポップアップフレームのデータ等に用いられる。
　【０１６０】
　ダイアログデータの全体のデータ構造は、同図（ｃ）に示すようにジャンプテーブルＪＴ、フレームＦ１、Ｆ２、…、各フレームを構成するベーシックフレームＢＦやポップアップフレームＰＦ等の構成フレーム、オブジェクトリファレンスＯＲ、それぞれの具体的な表示データが格納されたオブジェクトデータＯＤからなり、オブジェクトデータＯＤに実際の表示情報を持ち、他は矢印に示すように階層構造（木構造）のポインタとなっている。そして、構成フレームで全画面データが用意され、それぞれの画面に対応する全表示データがオブジェクトリファレンスＯＲとオブジェクトデータＯＤの対で用意され、各画面の制御には、オブジェクトリファレンスＯＲの参照情報（Ｔｅｓｔ　Ｖａｒｉａｂｌｅ）が用いられる。例えばオン／オフ表示される設定状態表示領域のデータの場合、オンのデータとオフのデータがオブジェクトリファレンスＯＲとオブジェクトデータＯＤに用意され、そのいずれを用いるかは参照情報の示すアドレスの表示制御データ３６７の設定に依存するようになっている。つまり、参照情報（Ｔｅｓｔ　Ｖａｒｉａｂｌｅ）は、表示制御データ３６７の参照アドレスを示し、そのアドレスに表示制御部３６９（図２８）がコピーモードや付加装置の実装状態に応じてデータをセットすればよい。従って、ソーター等が実装されているか否かに応じた表示制御も同様である。
　【０１６１】
　次に各データ構造を詳述する。ジャンプテーブルＪＴは、それぞれのフレームに対応してページと絶対アドレスからなり、対応するフレームＦ１、Ｆ２、…の先頭アドレスをポイントしている。フレームＦ１、Ｆ２、…は、基本コピー画面や応用コピー画面、専門コピー画面、レビュー画面、インフォメーション画面、ジャム画面等である。各フレームは、その先頭にデータが幾つあるかを示す「Ｐｏｓｓｉｂｉｌｉｔｉｅｓ」情報を有し、その後に「ＩＤ」とデータアドレスによりベーシックフレーム、ポップアップフレームからなる各構成フレームの先頭アドレスをポイントしている。例えば基本コピー画面の場合、構成フレームは、ポップアップのないベーシックフレームＢＦ、倍率のポップアップフレーム、コピー濃度のポップアップフレームＰＦからなる。ベーシックフレームＢＦ、ポップアップフレームＰＦ等の構成フレームも同様にその先頭に「Ｐｏｓｓｉｂｉｌｉｔｉｅｓ」情報を有し、その後に「ＩＤ」とデータアドレスにより当該フレームを構成する全てのオブジェクトリファレンスＯＲの先頭アドレスをポイントすると共に、先頭の表示位置（Ｓｃｒｅｅｎ　Ｐｏｓｉｔｉｏｎ）を持っている。オブジェクトリファレンスＯＲは、「Ｐｏｓｓｉｂｉｌｉｔｉｅｓ」情報の後に表示制御データ３６７のアドレスを内容とする参照情報（Ｔｅｓｔ　Ｖａｒｉａｂｌｅ）、最大の表示領域情報（Ｍａｘ　Ｈｅｉｇｈｔ　＆　Ｗｉｄｔｈ）を有し、そして、各オブジェクトデータＯＤに対応して「ＩＤ」とデータアドレス、リバースやグレイ等の表示態様データ（Ｒｅｖ／Ｇｒａｙ）、定数（Ｃｏｎｓｔａｎｔ）のデータが続いている。
　【０１６２】
　例えばメッセージデータの例では、メッセージデータがｋ個あるとすると、オブジェクトリファレンスＯＲは定数「０」から「ｋ」までのデータを有し、それぞれが対応するメッセージデータのオブジェクトデータＯＤをポイントしている。そこでいま、オブジェクトリファレンスＯＲのポイントする定数「０」のオブジェクトデータのキャラクタ列が「コピーできます。」、定数「１」のそれが「コピーしています。」であるとすると、このオブジェクトリファレンスＯＲの参照情報で示すアドレスの表示制御データ３６７に表示制御部３６９から「０」を書き込むことによって「コピーできます。」を表示することができ、「１」を書き込むことによって「コピーしています。」を表示することができる。このようにオブジェクトリファレンスＯＲには、例えばメッセージデータであれば上段のメッセージと下段のメッセージに分けそれぞれに全データが用意されている。ダイアログ編集部３６６では、そのオブジェクトリファレンスＯＲにおいて参照情報をもとにオブジェクトデータＯＤを選択し、そのポイントするオブジェクトデータＯＤを処理することによって、例えば「コピーできます。」のキャラクタを読み出して最終的にＶ−ＲＡＭに書き込む。
　【０１６３】
　また、オブジェクトデータＯＤが数データの場合には、１行しか使用しないので高さ情報（Ｈｅｉｇｈｔ）はなく、データの幅（タイル数，Ｗｉｄｔｈ）、ゴシック体、明朝体等のフォントを指定するデータ、リバース等の表示属性データ、参照情報（Ｔｅｓｔ　Ｖａｒ．）が続く。この参照情報の指定するアドレスの表示制御データ３６７にはカウント値や倍率値等の表示すべき数値が書き込まれている。グレイスケールの場合には同様にその領域のサイズ（Ｈｅｉｇｈｔ，Ｗｉｄｔｈ）とレベル（オフ「００」、レベル１「０１」、レベル２「１０」、…）が続く。このようにダイアログデータでは、種々の性格のデータを含んでおり、それを基本コピー画面で類別して示したのが同図（ｄ）である。
　【０１６４】
　同図（ｄ）に示す基本コピー画面では、先に述べたように設定状態表示領域及びソーターのカスケード名のデータＥＶ（Ｅｌｅｍｅｎｔａｒｙ　Ｖａｒｉａｂｌｅ）がオン／オフ表示されるデータとなる。従って、このようなデータの場合には、同図（ｅ）に示すように定数「１」と「０」によりオンとオフ（ブランク）が対になったリファレンスデータとなる。従って、参照情報（Ｔｅｓｔ　Ｖａｒｉａｂｌｅ）の指定するアドレスの表示制御データには「１」か「０」が書き込まれ、「１」の場合には例えば「ソーター」が表示され「０」の場合にはブランクとなる。
　【０１６５】
　同図（ｆ）は変更のない固定カスケードに適用されるデータ構造例を示したものであり、同図（ｄ）に示す基本コピー画面では縮小／拡大や両面コピー、コピー濃度の各カスケードに適用されるデータＣＶ（Ｃａｓｃａｄｅ　Ｖａｒｉａｂｌｅ）である。このデータでは、オブジェクトリファレンスＯＲに各カスケードについて枠有り（ＯＮ）と枠無し（ＯＦＦ）のリファレンスを一連のデータとして持っている。そして、参照情報（Ｔｅｓｔ　Ｖａｒｉａｂｌｅ）の指定するアドレスの表示制御データには枠有りにするカスケードＮｏ．が書き込まれる。従って、このデータの場合には、表示制御データで枠有りを指定しているカスケードのみ枠有り（ＯＮ）のデータが選択され、それ以外のカスケードは枠無し（ＯＦＦ）のデータが選択される。先に説明したように枠有りでは、右側と下側に立体感を出す枠（影）が表示されると共にバックが高輝度で表示され、枠無しでは、バックがグレー階調で表示される。
　【０１６６】
　同図（ｇ）はトレイのようなブリンクに適用されるデータ構造の例を示したものであり、同図（ｄ）に示す基本コピー画面では手差しを除くトレイの表示領域に適用されるデータＢＬ（Ｂｌｉｎｋ　Ｖａｒｉａｂｌｅ）である。このデータでは、参照情報（Ｔｅｓｔ　Ｖａｒｉａｂｌｅ）の指定するアドレスの表示制御データにブリンク指定のデータがセットされると、先頭の表示位置（Ｓｃｒｅｅｎ　Ｐｏｓｉｔｉｏｎ）とサイズ（Ｈｅｉｇｈｔ，Ｗｉｄｔｈ）によって指定される領域をブリンクに設定する。つまり、ブリンク表示の対象となる領域については全てこのデータが用意される。
　【０１６７】
　同図（ｈ）は予め設定変更が可能なカスケードに適用されるデータ構造例を示したものであり、同図（ｄ）に示す基本コピー画面では、用紙トレイやソーターの各カスケードに適用されるデータＰＣ（Ｐｒｅｓｅｔｔａｂｌｅ　Ｃａｓｃａｄｅ　Ｖａｒｉａｂｌｅ）である。このデータでは、枠有りのカスケードを制御するための参照情報と「ＩＤ」と各カスケードのリファレンス情報を有するグループ（Ｇｒｏｕｐ　ｏｆ　Ｆｉｇｕｒｅｓ）のアドレスを持ち、その後に各カスケード位置に対応して参照情報（Ｔｅｃｈ　Ｒｅｐ　Ｖａｒｉａｂｌｅ）と先頭の表示位置（Ｓｃｒｅｅｎ　Ｐｏｓｉｔｉｏｎ）を持っている。そして、各カスケード対応の参照情報（Ｔｅｃｈ　Ｒｅｐ　Ｖａｒｉａｂｌｅ）で示す表示制御データに選択肢が設定される。
　【０１６８】
　同図（ｉ）〜（ｍ）は表示制御データの仕様例を示す図である。この図に示す仕様に従って表示制御部３６９が表示制御データの設定を行う。例えば専門コピー画面においてジョブメモリーのカスケードをデフォルト以外に設定すると、表示制御部３６９によって表示制御データ３６７のアドレスＡＯＣに「１」が書き込まれる。従って、基本コピー画面が表示されたときには、その設定状態表示領域に「ジョブメモリー」のカスケード名が表示される。
　【０１６９】
（ＩＩＩ−３）表示画面の構成
　この複写機のユーザインターフェースでは、ＣＲＴディスプレイを最大限に有効活用し、キー／ＬＥＤボードの構成を簡素化している。その中でも画面をシンプル且つ見易く、選択設定や確認、メッセージの伝達機能を効果的に発揮させるため、画面の分割に工夫をしている。画面としては、コピーモードを選択するための選択モード画面、コピーモードの設定状態を確認するためのレビュー画面、標準のモードでコピーを実行するための全自動画面、多機能化したコピーモードについて説明画面を提供するインフォメーション画面、ジャムが発生したときにその位置を適切に表示するジャム画面等により構成している。さらに、選択モード画面は、機能が多く１画面では煩雑になり、また、機能の中には極一般に使用される機能だけでなく専門的な機能もあることから、これらを使用される内容に応じて３分割している。この分割した画面は、適宜モード選択キー３０８〜３１０により選択して切り換え表示させることができ、それぞれの画面により所望の機能を選択設定できる。さらに、これらの画面の中を選択領域や他のモードの設定状態表示領域、メッセージ領域等に分割することにより、操作状態に応じてユーザに情報の的確な伝達を行えるように構成している。
　【０１７０】
　この複写機では、これら種々の画面の中でも、例えば選択モード画面やインフォメーション画面で、全ての情報を一度に表示できない項目については、その細部項目を展開するポップアップ画面を設け、その画面を持つ選択肢が選択された場合にはポップアップ画面を上書きすることによってオリジナルの画面を簡素化しわかりやすい画面の構成となるように工夫している。また同様に、ジャム画面についても、ジャムが発生した場合にそのときの画面の上にジャム画面を上書きしている。
　【０１７１】
　図３２は基本コピー画面とそのポップアップ画面の例を示す図、図３３は応用コピー画面とそのポップアップ画面の例を示す図、図３４は専門コピー画面とそのポップアップ画面の例を示す図、図３５はインフォメーション画面の例を示す図、図３６はジャム画面の例を示す図である。
　【０１７２】
　選択モード画面としては、図３２〜図３４に示す基本コピー、応用コピー、専門コピーの３画面が設定され、モード選択キー３０８〜３１０の操作によってＣＲＴディスプレイに切り換え表示される。これらの画面のうち、最も一般によく用いられる機能を類別してグループ化したのが基本コピー画面であり、その次によく用いられる機能を類別してグループ化したのが応用コピー画面であり、残りの特殊な専門的機能を類別してグループ化したのが専門コピー画面である。
　【０１７３】
　各選択モード画面は、基本的に上から２行で構成するメッセージ領域Ａ、３行で構成する設定状態表示領域Ｂ、９行で構成する選択領域Ｃに区分して使用される。メッセージ領域Ａには、コピー実行条件に矛盾があるときのＪコードメッセージ、サービスマンに連絡が必要なハード的な故障のときのＵコードメッセージ、オペレータに種々の注意を促すＣコードメッセージ等が表示される。このうち、Ｊコードメッセージは、各カスケードの設定内容によるコピー実行条件の組み合わせチェックテーブルを備え、スタートキー３１８が操作されると、テーブルを参照してチェックを行いコピーモードに矛盾がある場合に出力される。設定状態表示領域Ｂには、他モードの選択状態、例えば基本コピー画面に対して応用コピーと専門コピーの選択状態が表示される。この選択状態の表示では、選択領域Ｃのカスケードの状態がデフォルト（最下段）以外である場合にそのカスケードが表示される。選択領域Ｃには、上段にカスケード名が表示され、各カスケード領域の最下段がデフォルト領域、それより上の領域がデフォルト以外の領域となっていて、カスケードキーの操作によって５つのカスケード領域で個別に選択できるようになっている。従って、選択操作しない場合には、デフォルト領域が選択され、すべてデフォルトの状態が全自動コピーのモードとなる。また、選択領域は、縦５つに分割されたカスケード領域に対応する下方のカスケードキー３１９−１〜３１９−５で選択設定が行われる。なお、メッセージ領域Ａの右側はセットカウントとメイドカウントを表示するカウント部として、また、設定状態表示領域Ｂの下１行はトナーボトル満杯、トナー補給等のメンテナンス情報部として用いる。以下に各選択モード画面のカスケード領域の内容を説明する。
　【０１７４】
（Ａ）基本コピー画面
　基本コピー画面は、図３２（ａ）に示すように「用紙トレイ」、「縮小／拡大」、「両面コピー」、「コピー濃度」、「ソーター」のカスケードからなる。
　【０１７５】
　「用紙トレイ」では、自動がデフォルトになっていて、この場合には、原稿サイズと同じ用紙を収容したトレイが自動的に選択される。カスケードキーの操作によりデフォルト以外の領域を使って手差しトレイや大容量トレイ、上段トレイ、中段トレイ、下段トレイのいずれかを選択できる。なお、各トレイの欄には図示のように収容されている用紙を判別しやすいようにその用紙サイズ、種類及びアイコン（絵文字）が表示される。用紙は、長手方向に送り込む設定と、長手方向と直角方向に送り込む設定がある。
　【０１７６】
　「縮小／拡大」は、等倍がデフォルトになっていて、カスケードキーの操作により自動、固定／任意が選択できる。自動では、選択されている用紙サイズに合わせて倍率を自動的に設定し、コピーする。倍率（線倍率）は、５０％から２００％まで任意に１％刻みで設定することができ、カスケードキーの操作により固定／任意が選択されると、具体的な設定対象となる内容が図３２（ｂ）に示すポップアップ画面により表示され、５０．７％、７０％、８１％、１００％、１２１％、１４１％、２００％の７段階設定からなる固定倍率を選択することができると共に、１％ずつ連続的に変化する任意倍率を選択設定することができる。
　【０１７７】
　「両面コピー」は、片面がデフォルトになっていて、デフォルト以外として原稿→コピーとの関係において両面→片面、両面→両面、片面→両面が選択できる。例えば両面→片面は、両面原稿に対して片面コピーを行うものであり、片面→両面は、片面原稿を両面コピーにするものである。両面コピーをとる場合には、最初の面にコピーが行われたコピー用紙がデュープレックストレイにまず収容される。次にこのデュープレックストレイからコピー用紙が再び送り出され、裏面にコピーが行われる。
　【０１７８】
　「コピー濃度」は、自動がデフォルトになっていて、デフォルト以外として７段階の濃度設定ができ、また写真モードでも７段階の濃度設定ができる。この内容の設定は図３２（ｃ）に示すポップアップ画面により行われる。
　【０１７９】
　「ソーター」は、コピー受けがデフォルトになっていて、デフォルト以外として丁合いとスタックが選択できる。丁合いは、ソーターの各ビンにコピー用紙を仕分けするモードであり、スタックモードは、コピー用紙を順に堆積するモードである。
　【０１８０】
（Ｂ）応用コピー画面
　応用コピー画面は、図３３（ａ）に示すように「特殊原稿」、「とじしろ」、「カラー」、「合紙」、「排出面」のカスケードからなる。
　【０１８１】
　「特殊原稿」は、デフォルト以外のカスケードで同一サイズの２枚の原稿を１枚の用紙にコピーする二丁掛機能（２−ＵＰ）、コンピュータの連帳出力の原稿について孔をカウントして１頁ずつコピーする機能（ＣＦＦ；コンピュータフォームフィーダ）、Ａ２／Ｂ３等の大型原稿をコピーする機能（ＬＤＣ）が選択でき、後者の２機能が図３３（ｂ）、（ｃ）に示すポップアップ画面で展開される。
　【０１８２】
　「とじしろ」は、コピーの右端部または左端部に１ｍｍ〜１６ｍｍの範囲で“綴代”を設定するものであり、右とじ、左とじ、綴代の長さをデフォルト以外で設定することができ、細部項目は図３３（ｄ）、（ｅ）に示すポップアップ画面で展開される。
　【０１８３】
　「カラー」は、黒がデフォルトになっていて、デフォルト以外で赤を選択できる。
　「合紙」は、ＯＨＰコピーの際に中間に白紙を挟みこむ機能であり、デフォルト以外で選択できる。
　「排出面」は、おもて面とうら面のいずれかを強制的に指定して排紙させるようにデフォルト以外で選択できる。
　【０１８４】
（Ｃ）専門コピー画面
　専門コピー画面は、図３４（ａ）に示すように「ジョブメモリー」、「編集／合成」、「等倍微調整」、「わく消し」のカスケードからなる。
　【０１８５】
　「ジョブメモリー」は、カードを使用するページプログラムであって、複数のジョブを登録しておき、それを呼び出してスタートキーを押すことによって自動的にコピーを行うようにするものであって、その登録と呼び出しがデフォルト以外で選択でき、細部項目が図３４（ｂ）、（ｃ）に示すポップアップ画面で展開される。
　【０１８６】
　「編集／合成」は、編集機能と合成機能をデフォルト以外で選択できる。編集機能は、エディタ等を用いて編集のためのデータを入力するための機能であり、図３４（ｄ）に示すポップアップ画面で展開されさらにこの中を図３４（ｅ）〜（ｊ）に示すポップアップ画面により領域指定、マーキングカラー、抽出・削除、部分写真、部分カラーの各機能の細部が展開され選択できるようになっている。部分カラーは、指定した領域のみカラー１色でコピーし、残りの部分は黒色でコピーする。部分写真は、指定した領域に写真をコピーし、部分削除は、指定した領域をコピーしないようにする。マーキングカラーは、マーキングを行う領域を指定すると、一例としてはその部分にカラーの薄い色を重ねて記録し、あたかもマーキングを行ったような効果を得るものである。
　【０１８７】
　合成機能は、デュープレックストレイを使用し２枚の原稿から１枚のコピーを行う機能であり、図３４（ｋ）に示すポップアップ画面により展開されるが、合成機能としては、シート合成と並列合成がある。シート合成は、第１の原稿と第２の原稿の双方全体を１枚の用紙に重ねて記録する機能であり、第１の原稿と第２の原稿についてそれぞれ異なった色でコピーを行うことも可能である。他方、並列合成は、第１の原稿の全体に第２の原稿の全体をくっつけた形で１枚の用紙に合成コピーを作成する機能である。
　【０１８８】
　「等倍微調整」は、９９％〜１０１％の倍率で０．１５％の刻みで設定するものであり、この機能をデフォルト以外で選択でき、その細部は図３４（ｌ）に示すポップアップ画面により展開される。
　【０１８９】
　「わく消し」は、原稿の周辺部分の画情報についてはコピーを行わず、あたかも画情報の周辺に“枠”を設定したようにするものであり、わく消しを２．５ｍｍで行う標準をデフォルトとし、図３４（ｍ）に示すポップアップ画面による任意の寸法の設定とわく消しをしない全面コピーモードをデフォルト以外で選択できる。
　【０１９０】
（Ｄ）インフォメーション画面
　インフォメーション画面は、図３５（ａ）に示すようなコピーモードのそれぞれについてコピーのとり方等の説明画面を提供するための画面であり、インフォメーションキー３０２の操作によって表示され、この画面で表示されたインフォメーションコードをテンキーから入力することによって同図（ｂ）、（ｃ）に示すようにポップアップ画面により説明画面が表示される。
　【０１９１】
（Ｅ）ジャム画面
　ジャム画面は、図３６（ａ）、（ｂ）に示すようにコピー実行中に表示されていた画面の上に重ねて表示され、元の画面の輝度を１ランクずつ落とすことによってジャム表示の内容が鮮明になるようにしている。このジャム画面の特徴は、本体のイメージに合わせて内部を黒で表現し、ドアハンドルの絵を付加し、且つドアオープンのメッセージを付加していることである。
　【０１９２】
（Ｆ）その他の構成画面
　図３７はレビュー画面と全自動画面の例を示す図である。
　レビュー画面は、３つに分割された上記の各選択モード画面で選択されているコピーモードの状態を表示するものであって、図３７（ａ）に示すように各選択モード画面のカスケードの設定状態を１画面に表示するものである。このレビュー画面では、選択項目すなわちカスケード名とそのとき選択されているモードすなわち選択肢を表示し、選択されているモードがデフォルトの場合には例えばグレイバックで、デフォルト以外の場合には通常の輝度を背景にした表示を採用している。このようにデフォルトの状態かデフォルト以外の状態かで区別することによって、特に全自動モードから変えたデフォルト以外のカスケード（選択肢）を目立つように表示している。また、画面構成は、基本コピー、応用コピー、専門コピーの各コピーモードに分けて３段で表示し、この表示位置をモード選択キーの位置と対応させ、さらに白抜きの矢印でその画面選択キーを指示することによって、レビュー画面から各モード画面への切り換えをわかりやすくしている。この表示によりオペレータは、各カスケードの設定状態を確認することができ、操作性を向上させ、コピーミスを少なくすることができる。
　【０１９３】
　全自動画面は、図３７（ｂ）に示すような画面で、パワーオンされたときや予熱モードで予熱キー３０６が操作されたとき或いはオールクリアキー３１６が操作されたときに表示され、各選択モード画面のカスケードがすべてデフォルトに設定されている状態の画面である。この画面では、その指示のとおりプラテン上に原稿をセットし、テンキーによりコピー枚数を設定してスタートキー３１８を押すと、原稿と同じサイズの用紙が選択されて設定枚数のコピーが実行される。
　【０１９４】
（Ｇ）画面の変化
　図３８は画面が変化する契機を説明するための図である。
　画面の変化は、それぞれ図３８に示す条件を契機にして行われる。まず、電源が投入され、初期化（イニシャル）が終了すると、ダイアグモードへの移行指示がない場合には基本コピー画面が表示される。この基本コピー画面は、さらにオールクリアキー、基本コピーのモード選択キー、予熱画面時の予熱キーを操作することによって表示され、応用コピー画面、専門コピー画面、レビュー画面は、それぞれのモード選択キーの操作によって切り換え表示される。これらの画面においてのみスタートキーが受け付けられ、コピー動作の実行が可能となる。また、専門コピー画面では、編集やジョブプログラムが選択されると、その入力画面、に変化し、入力が終了すると元の専門コピー画面に戻る。また、これらの画面からインフォメーションキーの操作、さらにそのコードの入力ではインフォメーション画面に移行し、予熱キー（パワーセーブキー）の操作で予熱画面に移行する。そして、ジャムが発生した場合には、そのコピー実行時の選択モード画面上にジャム画面が重表示される。焼付防止画面は、上記のいずれかの画面のままで所定の時間経過してもキー入力が一切ない場合にタイマーの動作によって移行し、キー操作によって元の画面に復帰する。
　【０１９５】
（Ｈ）表示態様
　図３９は画面レイアウトの類別例を示す図である。
　この複写機では、先に説明したように複数の画面に分割して切り換え表示し、さらには細部情報をポップアップ画面で展開することによって、その時々における余分な情報を少なくし１画面の情報を簡素化しているが、これらは例えば図３９に示す画面レイアウトに類別化される。すなわち、同図（ａ）は選択モード画面のレイアウト、同図（ｂ）はレビュー画面や全自動画面、編集入力画面、ジョブプログラム画面等のレイアウト、同図（ｃ）は予熱画面や焼付防止画面、インフォメーション画面、ダイアグ画面等のレイアウトである。
　【０１９６】
　この複写機では、これらのレイアウトの表示領域やその入力設定状態等に応じて表示態様を変えることによってアクセントのある見易く判り易い画面を構成している。例えば図３９（ａ）に示すレイアウトの選択モード画面では、先に説明したようにメッセージ領域（カウント領域を含む）と設定状態表示領域（メンテナンス情報領域を含む）と選択領域に分割しているが、それぞれの領域の表示態様を変え、基本的にはバックを白、キャラクタを黒（白地に黒文字）で表示するノーマル表示と、バックを黒、キャラクタを白（黒字に白文字）で表示する反転表示を使い、さらに明表示部の輝度を変えることによって多彩な表示態様を実現している。
　【０１９７】
　具体的に採用している表示態様をさらに説明すると、選択されているものは、ノーマル表示を採用して特に目立つようにし、現在の状態を一目で理解させるようにしている。そして、選択対象となるもの（選択できるもの）は、ライトグレー地に黒文字の表示を採用し目にやさしい明るいグレーのカードに模したものとしている。これは、各フレームで表示面積が大きい点を考慮したものである。また、デスクトップベースは、黒文字にも白文字にも干渉せず目立たないダークグレーを採用し、メッセージ領域は、通常の複写機のバックリットディスプレイを模した黒地に白文字の表示を採用している。カラー表示の場合には、黒字にグリーンと赤文字が理想的である。さらに、カードに影（縁取り）をつけることにより立体感を出し、よりカードに近いイメージの表現を実現している。コンピュータディスプレイは、複雑な操作を連想させるため、ユーザインターフェースのイメージとしては好ましくないという問題がある。その点、カードイメージの表現は、コンピュータ的ディスプレイのイメージを排除でき、また、カードに書き込んで処理するといった日常的な作業イメージを模倣することで、日常の作法イメージをそのまま応用でき、操作に近親感を持たせることができる。その他、文字の大きさを例えば３段階に、また太さを２段階に、ベース色を白黒含めて４段階に変化させることにより、上記の表示に加えてさらに変化を持たせることができる。
　【０１９８】
　上記のような表示態様を採用することにより選択モード画面では、例えばカウント部を含むメッセージ領域では、バックを黒にしてメッセージの文字列のみを高輝度表示にし、バックリッドタイプのコンソールパネルと同じような表現を採用することによって、メッセージを文字列として見やすく親しみやすい表示にしている。また、設定状態表示領域では、背景を網目表示、すなわちドットを或る所定の均等な密度、例えば１対１の白黒表示し、カスケード名の表示部分をノーマル表示にしている。すなわち、この表示は、各カスケード名をカードイメージで表現したものである。さらに設定状態表示領域の下１行は、トナーボトルの満杯やトナー補給等のメンテナンス情報領域として使用されるが、この情報は、設定状態表示情報とはその性格が異なるので、その違いが明瞭に認識できるようにメッセージ領域と同様の表示態様を採用している。そして、選択領域では、周囲を網目表示にし、カスケード表示領域全体を輝度の低いグレイ表示にすると共に、横と下に影（縁取り）表示を付加することによって、設定状態表示領域と同様に立体感を出したカードイメージの表示を行っている。そして、この領域における選択肢やカスケード名を黒文字で表示すると共に、この表示に加えて設定された選択肢の白地を高輝度にすることによって、カスケード位置を特に目立つようにしているので、視認性を高め、操作確認を容易にし操作ミスの軽減を図ることができる。また、例えば基本コピー画面において用紙トレイのカスケードで用紙切れとなったトレイの選択肢はバックを黒にして文字を高輝度表示としている。
　【０１９９】
　図３７（ｂ）に示す全自動画面は図３９（ｂ）に示す画面レイアウトになるが、この画面では、表示領域の背景を暗い網目表示にし、「原稿セット」等の各操作指示を表示した領域を明るい網目表示にすると共にその境界を縁取りして表示の明瞭性を向上させ見易くしている。このように背景の表示態様は、適宜自由に変更して組み合わせることができることは勿論である。
　【０２００】
　上記のようにメッセージ領域、設定状態表示領域、選択領域に領域分割した１画面において、各領域を異なる表示態様、イメージで表示することにより各領域の情報の認識、確認が的確に行える。また、他の領域との区別が明瞭になるので、他領域との情報の混同を防止できる。
　【０２０１】
　なお、文字の表示においても、反転表示やブリンク表示することによって、表示情報毎にそれぞれ特徴のある注意をユーザに喚起できる。また、上記のように文字列におけるバックとその文字の輝度の変化を工夫するだけでなく、選択肢やカスケード名その他の文字列に対してアイコン（絵文字）を付加しよりイメージ的に特徴付けした表示態様を採用している点でも特徴がある。例えば基本コピー画面では、カスケード名「縮小／拡大」、「両面コピー」、「コピー濃度」、「ソーター」のそれぞれ頭に付加したもの、また「用紙トレイ」の選択肢で、下段、中段、上段の用紙サイズの後ろに付加したものがそれである。このアイコンは、文字列だけにより情報のアクセントが薄まるのを別の面からすなわちイメージにより視覚的にユーザに情報を伝達するものであり、情報の内容によっては文字列よりも正確且つ直観的に必要な情報をユーザに伝達できるという点で大きなメリットがある。
　【０２０２】
（ＩＩＩ−４）キー／ＬＥＤボード及びディスプレイ表示回路
（Ａ）キー／ＬＥＤボード
　ユーザインターフェースは、図２５に示すようにＣＲＴディスプレイとキー／ＬＥＤボードにより構成されるが、この複写機では、特にＣＲＴディスプレイの画面を使って選択肢の表示及びその設定を行うように構成しているため、キー／ＬＥＤボードにおけるキー及びＬＥＤの数を最小限に抑えるように工夫している。
　【０２０３】
　すなわち、先に説明しているようにＣＲＴディスプレイを有効に活用するために、ＣＲＴディスプレイに表示する画面を分割し、且つそれぞれの画面においても領域を分割して表示内容の整理、見易い画面を構成するように工夫している。例えば選択モードの画面は、基本コピーと応用コピーと専門コピーに３分割して切り換え表示し、さらにそれぞれの画面の選択領域を５つのカスケード領域に分割してそれぞれのカスケード領域で機能の選択設定を行うようにしている。そして、画面切り換えのためのモード選択キー３０８〜３１０と、各カスケード領域の選択のためのカスケードキー３１９−１〜３１９−５による８つのキーで機能の選択、設定をできるようにしている。従って、モード選択キー３０８〜３１０を操作して基本コピー画面、応用コピー画面、専門コピー画面のいずれかを選択すると、その後はカスケードキー３１９−１〜３１９−５の操作以外、テンキー３０７による数値入力だけで全ての機能を選択し、所望の機能によるコピーを実行させることができる。カスケードキー３１９−１〜３１９−５は、それぞれのカスケード領域で設定カーソルを上下させて機能を選択設定するため、上方への移動キーと下方への移動キーがペアになったものである。このように選択モードの画面は、３つの中からモード選択キー３０８〜３１０によって選択されその１つが表示されるだけであるので、その画面がどのモード選択キー３０８〜３１０によって選択されているのかを表示するのにＬＥＤ３１１〜３１３が用いられる。つまり、モード選択キー３０８〜３１０を操作して選択モードの画面を表示させると、そのモード選択キー３０８〜３１０に対応するＬＥＤ３１１〜３１３が点灯する。
　【０２０４】
　多くの機能を備えると、ユーザにとってはその全ての機能を覚え、使いこなすことが容易ではなくなる。そこで、コピーモードのそれぞれについてコピーのとり方の説明画面を提供するのにインフォメーションキー３０２が用いられる。このインフォメーション機能は、次のようにして実行される。まず、インフォメーションキー３０２が操作されると図３２（ｃ）に示すようなインフォメーションインデックス画面でインフォメーションコードの一覧表を表示する。この画面に指定されたインフォメーションコードをテンキー３０７により選択入力すると、そのコードに対応するインフォメーションポップアップ画面に移行し、そこでコピーモードの説明画面を表示する。
　【０２０５】
　また、上記のように選択モードの画面が３つに分割され、３つの画面で定義される各種の機能の選択設定が行われるため、他の画面も含めた全体の設定状態を確認できるようにすることも要求される。そこで、このような全画面の設定状態を確認するのにレビューキー３０３が用いられる。このレビューキー３０３は、レビュー画面を表示させるキーであり、このキーを操作すると、基本コピー、応用コピー、専門コピーの全画面に関する設定状態を示した図３２（ｂ）に示すようなレビュー画面が表示される。
　【０２０６】
　デュアルランゲージキー３０４は、表示画面の言語を切り換えるキーである。国際化に伴って種々の異なる言語を使用するユーザが装置を共有する場合も多い。このような環境においても、言語の障害をなくすために例えば日本語と英語の２言語により表示データ及びフォントメモリを用意し、デュアルランゲージキー３０４の操作によって表示データ及びフォントメモリを切り換えることによって、日本語と英語を自由に切り換えて表示画面を出力できるようにする。なお、２言語に限らずさらに複数の言語を容易し、デュアルランゲージキー３０４の操作によって所定の順序で言語を切り換えるようにしてもよいし、日本語の方言を加えてもよい。
　【０２０７】
　予熱キー３０６は、非使用状態における消費電力の節約と非使用状態からコピー動作への迅速な移行を可能にするために予熱モードを設定するものであり、この予熱キー３０６の操作によって予熱モードと全自動モードとの切り換えを行う。従って、そのいずれの状態にあるかを表示するものとしてＬＥＤ３０５が使用される。
　【０２０８】
　オールクリアキー３１６は、複写機をクリアすなわち各選択モード画面のデフォルトに設定した全自動モードとするもであり、全自動画面を表示する。これは図３２（ａ）に示すようにオペレータに現在のコピーモードが全自動のモードであることを伝える画面の内容になっている。
　【０２０９】
　割り込みキー３１５は、連続コピーを行っているときで、他の緊急コピーをとる必要があるときに使用されるキーであり、割り込みの処理が終了した際には元のコピー作業に戻すための割り込みの解除も行われる。ＬＥＤ３１４は、この割り込みキー３１５が割り込み状態にあるか解除された状態にあるかを表示するものである。
　【０２１０】
　ストップキー３１７は、コピー作業を途中で停止するときや、コピー枚数の設定時やソーターのビンの設定時に使用する。
　【０２１１】
　スタートキー３１８は、機能選択及びその実行条件が終了しコピー作業を開始させるときに操作するものである。
　【０２１２】
　図４０（ａ）はキーボードスキャンの設定マップの例を示す図、図４０（ｂ）はＬＥＤスキャンの設定マップの例を示す図である。
　【０２１３】
　キー／ＬＥＤは、先に説明したようにキーボード／ディスプレイコントローラ３３６で１０２ｋＨｚのクロックより４．９８ｍｓｅｃのスキャンタイムを作り出して処理しているが、そのスキャンでは、図４０（ａ）に示すように「０」〜「７」までの８スキャンを１サイクルとし、各スキャンを「０」〜「７」までの１バイトのデータで構成し、先に説明した物理テーブルを生成している。同様にＬＥＤも図４０（ｂ）に示すようなスキャンマップによりオン／オフ制御している。
　【０２１４】
（Ｂ）ディスプレイ
　図４１はディスプレイの表示タイミングを示す図、図４２はＶ−ＲＡＭのアドレス対応例を示す図、図４３は第１のＶ−ＲＡＭの番地とＣＲＴ表示位置との対応を示す図、図４４はキャラクタジェネレータの読み出し回路を説明するための図、図４５はドットパターンとデータ及びスキャンアドレスの対応例を示す図である。
　【０２１５】
　ＣＲＴディスプレイ３０１は、例えば９インチサイズのものを用い、ペーパーホワイトの表示色、ノングレアの表面処理を施したものが用いられる。このサイズの画面を使って、１６０ｍｍ（Ｈ）×１１０ｍｍ（Ｖ）の表示領域に総ドット数４８０×２４０、ドットピッチ０．３３ｍｍ×０．４６ｍｍ、タイル（キャラクタ）のドット構成を８×１６にすると、タイル数は６０×１５になる。そこで、漢字やかなを１６ドット×１６ドット、英数字や記号を８ドット×１６ドットで表示すると、漢字やかなでは、２つのタイルを使って３０×１５文字の表示が可能になる。また、タイル単位で通常輝度、グレー１、グレー２、黒レベルの４階調で指定し、リバースやブリンク等の表示も行う。このような表示の入力信号タイミングは、ドット周波数ｆｄを１０ＭＨｚ、４８０×２４０とすると、図４１に示すように６４μＳを水平同期信号の周期で４８μＳの間ビデオデータを処理し、１６．９０ｍＳの垂直同期信号の周期で１５．３６ｍＳの間ビデオデータを処理されることになる。
　【０２１６】
　クロック発生回路３５３は、並／直変換回路３５５から出力するドットの周波数のクロックを発生するものであり、カウンタ３５４でキャラクタジェネレータ３４２から読み出す並列のドットデータの読み出し周期に分周している。従って、カウンタ３５４の出力クロックによりキャラクタジェネレータ３４２から複数ビットのドットデータを並／直変換回路３５５に入力し、シリアルデータにして属性付加回路３５６へ送出する。属性付加回路３５６は、ＣＲＴコントローラ３３５からブランキング信号を入力して、表示期間のみ属性データに応じてビデオ信号を制御するものである。また、ワンショット回路３４８は、ＣＲＴコントローラ３３５から出力されるブランキング信号のうち垂直同期のブランキング信号でＵ／Ｉ用ＣＰＵ４６の割り込み信号を生成するものである。
　【０２１７】
　Ｖ−ＲＡＭ３４０に書き込まれるビデオデータは、１タイルにつき１６ビットで構成され、そのうちの１２ビットを使ってキャラクタジェネレータのコードを表し、さらに残り４ビットを使って属性を表す。そのため、Ｖ−ＲＡＭ３４０は、ＣＲＴ画面の番地に対応させてキャラクタジェネレータのコードを下位８ビットはＲＡＭ−Ｌに、上位４ビット及び属性の４ビットはＲＡＭ−Ｈに書き込むように構成され、これらを２画面分保持している。
　【０２１８】
　Ｖ−ＲＡＭ３４０のアドレスは、図４２に示すようにＵ／Ｉ用ＣＰＵ４６とＣＲＴコントローラ３３５がそれぞれ独自に管理し、Ｖ−ＲＡＭ３４０へのビデオデータの書き込みはＵ／Ｉ用ＣＰＵ４６で行い、ＣＲＴディスプレイ３０１への表示はＣＲＴコントローラ３３５で行う。例えばＣＲＴコントローラ３３５からＶ−ＲＡＭ３４０のアドレスを見ると図４３に示すようになり、「０」番地、「１」番地、…にそれぞれキャラクタジェネレータのコード及び属性が書き込まれている。従ってＣＲＴコントローラ３３５は、図４４に示す回路により表示タイミングに同期して対応する番地のデータ「Ｄ０→Ｄ７」（Ｌ側）、「Ｄ０→Ｄ４」（Ｈ側）を読み出すと共に、ラスタアドレス「ＲＡ」を生成してキャラクタジェネレータをアクセスすることによって各タイルのスキャンラインのデータ「Ｄ０→Ｄ７」を並／直変換回路３５５に出力する。例えば「富」の漢字のドットパターンは、図４５のように表すことができるが、先に述べたように漢字は２タイルで構成しているので、スキャンアドレス「Ａ０→Ａ３」に対応してまず左側半分をタイルとする出力「Ｄ０→Ｄ７」、続いて右側半分をタイルとする出力「Ｄ０→Ｄ７」がキャラクタジェネレータ３４２の出力となる。
　【０２１９】
　なお、このタイルの出力に対応して４ビットの属性も読み出されるが、図４６はその属性データに従ったビデオ信号の制御回路の構成例を示す図である。この図に示すように属性の制御は、ビデオデータとリバース信号の属性データはＥＸＯＲ回路によって論理処理し、リバース信号がオン（ハイレベル）の場合にビデオデータを反転させ、さらにその出力をアンド回路で処理することによってブリンク信号がオンの場合には、クロックでオン／オフさせ、グレイ信号により信号レベルを変えるようにすればよい。グレイ信号は、図３７に示す例の場合には２ビットで構成しているが、これを４ビットで構成し例えば１０階調のグレイステップを実現するようにしてもよい。この場合の回路は、図３９であればビデオアウトプットのレベルをオープンコレクターの出力で制御することになるので、その階調に応じた数のオープンコレクター及び抵抗の回路が接続される。先に選択モード画面で説明したように分割領域を明瞭に表示し、或いはカスケードの位置等の注目領域を明瞭に表示するために背景を変化させているが、その手法として表示属性の制御によるグレイ表示、リバース表示が利用される。さらに、例えば図３７（ｂ）で示しているようにドットによる背景の表示態様の制御は、タイルのドットパターンによって発生され、オン／オフのビデオデータとして図４６の回路に入力される。すなわち、図３７（ｂ）における「原稿セット」、「枚数セット」、「スタート」の表示領域の背景と、その外側の背景とは、タイルのドット密度を変えることによって表示態様を変えている。
　【０２２０】
　上記のようにしてＣＲＴ画面の表示されるビデオ信号は、ＣＲＴコントローラ３３５のスタートアドレスをダイナミックに変更することにより第１のＶ−ＲＡＭと第２のＶ−ＲＡＭを切り換えてそのいずれかを選択して読み出し表示される。そのために、Ｕ／Ｉ用ＣＰＵ４６には、ブランキング開始信号及び表示期間信号を入力するポート、表示許可信号を出力するポートがそれぞれ用意される。そして、Ｕ／Ｉ用ＣＰＵ４６では、ブランキング開始信号によりＣＲＴのブランキング期間の開始時の立ち下がりエッジで割り込みがかかり、表示期間信号によりＣＲＴ表示状態を認識する。また、表示許可信号によりＣＲＴへの表示許可及び禁止を指示する。
　【０２２１】
（ＩＩＩ−５）ユーザインターフェースにおける各種処理
（Ａ）機能選択コピー開始処理
　まず、電源スイッチがオンされてからコピー動作を開始するまでの全体の処理の概要を説明する。
　図４７は電源オンからコピー動作が開始するまでの全体の処理の流れを説明するための図である。
　【０２２２】
　電源スイッチがオンされると、図３７（ｂ）に示す初期画面（全自動画面）を表示し、次のキー入力を待ち、その操作内容を判定する。ここで、テンキー３０７の入力があると、全自動による等倍コピーの枚数設定入力と判断し、スタートキー３１８の操作によってコピーモード及びその実行条件をメインＣＰＵ４１に送信する。これによってメインＣＰＵ４１がコピー動作スタートの制御を行い、設定枚数のコピー動作を開始する。
　【０２２３】
　初期画面において、テンキー３０７ではなくモード選択キー（３０８〜３１０）の入力があった場合には、そのキーが基本コピーのモード選択キー３１０か、応用コピーのモード選択キー３０９か、専門コピーのモード選択キー３０８かに応じて対応する選択モード画面を表示する。そして、当該選択モード画面で各カスケードの設定が終了するまでカスケードキー３１９−１〜３１９−５によるカスケードの設定処理を行い、続いて別のモード選択の入力があるか否かを判断し、別のモード選択があれば同様にモード選択、カスケードの設定処理を行う。モード選択がなくテンキー３０７の入力があると、コピー枚数の入力を判定し、スタートキー３１８の操作によってコピーモード及びその実行条件をチェックしてメインＣＰＵ４１に送信する。これによってメインＣＰＵ４１がコピー動作スタートの制御を行い、設定枚数のコピー動作を開始する。
　【０２２４】
　次に、オペレータによる操作及びマシンの状態に対応した具体的な処理の例を図２８を参照しつつ説明する。
　【０２２５】
　まず、電源がオンされ初期化されると、ステートテーブル３７１が初期ステートでキー入力がないことを条件にキー管理部３７４から画面切り換え部３６８に初期画面の指示を出す。ビデオコントローラでは、この指示を受けて画面切り換え部３６８が表示制御データ３６７の表示画面を初期画面にする。
　【０２２６】
　表示制御データ３６７において初期画面が基本コピー画面とされている場合には、ダイアログ編集部３６６がダイアログデータ３７０から基本コピーのフレームを読み出す。このフレームには各領域毎に表示制御データ３６７のアドレスが示されているので、ダイアログ編集部３６６によってこのアドレスを基に表示制御データ３６７を読み出し編集してＶ−ＲＡＭ３６５に基本コピー画面を描画する。同時に基本コピーのＬＥＤを点灯する。ここで、キーボードの応用コピー、専門コピーのモード選択キーが操作されると、キー管理部３７４でキー受付条件のチェックを行って同様に画面切り換え部３６８に対応する画面の指示を出す。なお、表示制御データ３６７において初期画面が全自動画面とされていれば全自動画面が描画される。この設定は、ダイアグモードで行われる。
　【０２２７】
　これらの画面の表示状態において、オペレータによってカスケードキーが操作され物理キーテーブル３６１が更新されると、キー変化検出部３６２でそれを検知し、キー変換部３６３で論理キーに変換する。カスケードキーは、画面によって論理キーへの変換が異なるので、表示制御データ３６７の画面情報より変換テーブル３６４の参照位置を制御し論理キーへの変換が行われる。例えば、図２５においてカスケードキー３１９ー３が操作された場合、画面が基本コピー画面であれば両面コピーカスケードの論理キーに変換されるが、応用コピー画面であればカラーカスケードの論理キーに変換される。
　【０２２８】
　キー管理部３７４では、ステートテーブル３７１より今受け付けられる状態か否かを判断し、この場合には選択モード画面でのカスケードキーという条件で受付許可し、このキーをキーコントロール部３７５さらにはここからステート管理部３７２に送る。キーコントロール部３７５では、このキーからコピーモードテーブル３７８を更新すると共に表示管理部３７７にカスケードの表示情報を渡し、表示管理部３７７でインターフェースコマンドを生成して表示制御部３６９に発行する。表示制御部３６９は、このインターフェースコマンドを受けて表示制御データ３６７のカスケード設定情報を更新する。以後、この内容はダイアログ編集部３６６により画面に反映されることは、先に説明した通りである。このようにして各選択モード画面の切り換えを行い、各カスケードが設定されると、その設定状態がディスプレイに表示されると共に、ジョブコントローラのコピーモードテーブル３７８、ステートテーブル３７１が更新されてゆく。
　【０２２９】
　そして、スタートキーが操作されると、キーコントロール部３７５は、コピーモードテーブル３７８のチェックを行いコピー実行コマンドを発行する。このコピー実行コマンドの発行は、送信バッファ３８０にセットすることにより行われ、モニターによりシリアルの通信ラインを介してメインＣＰＵに送信される。モード設定が矛盾している場合には、表示管理部３７７から表示制御のインターフェースコマンドを生成、発行してメッセージを制御する。
　【０２３０】
　コピー実行コマンドの発行を契機にジョブコントロール部３７６は、コピー１枚毎にコピー動作を管理する。例えばマシンがコピー動作を開始してマシン状態コマンドが受信バッファ３７９に刻々と受信されると、コマンドコントロール部３７３でこれを解析してステート管理部３７２及びジョブコントロール部３７６に通知する。ジョブコントロール部３７６は、マシン状態コマンドを受けてコピー１枚毎に設定枚数までマシン動作に必要なコマンドを発行する。これは、コマンドコントロール部３７３を通して送信バッファ３８０にセットされる。他方、ステート管理部３７２は、このマシン状態コマンドに従ってステートテーブル３７１を更新する。従って、このステートになるとキー管理部３７４でモード選択キーやカスケードキー等が受付許可されなくなる。
　【０２３１】
　コピー実行中にジャムが発生しマシンからジャム発生コマンドを受信すると、その情報がコマンドコントロール部３７３を通してジョブコントロール部３７６及びステート管理部３７２に渡される。その結果、ステートテーブル３７１はジャム発生状態で更新され、ジョブは中断される。そして、キーコントロール部３７５でジャムの発生位置を認識してその情報を表示管理部３７７に渡すことによって、表示管理部３７７からジャムゾーンのパラメータを付加した例えばモードの分類でジャムの処理コードによるインターフェースコマンドを生成し発行する。そこで、表示制御部３６９がこのコマンドを処理し表示制御データ３６７をジャム画面表示の内容に更新することによって、その時の画面の輝度を１ランク下げその上にジャムゾーンを表した画面が上書きされたジャム画面がディスプレイに表示される。
　【０２３２】
　また、マシン状態コマンドでは、トナー残量や回収ボトルの状態、用紙切れ、インターロック開等の状態をキーコントロール部３７５で認識して表示管理部３７７を通してメッセージ領域、メンテナンス情報領域、カウント部等の制御を行う。
　【０２３３】
　ダイアグモードは、例えば電源をオンするときに、オールクリアキーを同時に操作するという特殊の操作によって移行する。このモードも、キー管理部３７４を通してキーコントロール部３７５において認識される。そして、表示管理部３７７を通してダイアグコマンドを発行して、ダイアグ画面を制御する。このモードでは、表示制御データ３６７の特定領域について登録、設定でき、ダイアグモード以外の通常のモードでは設定できないようになっている。例えば全自動画面を表示するか、全自動画面を表示しないようにするかの設定はその１つである。
　【０２３４】
（Ｂ）画面切り換え制御
　図４１により説明したようにこの複写機のディスプレイでは、１画面の表示に約１７ｍＳの時間を要する。他方、Ｖ−ＲＡＭ３４０を書き替えるには約１００ｍＳの時間を要し、６回の表示繰り返し時間に相当する。
　【０２３５】
　ところで、先に説明したようにモード選択キー３０８〜３１０やインフォメーションキー３０２、レビューキー３０３、デュアルランゲージキー３０４、オールクリアキー３１６が操作された場合には、各画面の間で切り換えが行われる。また、インフォメーション画面が表示されている状態でテンキー３０７が操作された場合、選択モード画面でカスケードキー３１９−１〜３１９−５が操作され特定の選択肢が選択された場合には、ポップアップ画面に移行する。このような画面の切り換え、ポップアップ画面の展開を行う際に、その書き替え期間中は表示を中断させると、約１００ｍｓｅｃの時間画面が表示されないことになり、オペレータの目には画面のチラツキとして感じられ画面が見にくくなる。
　【０２３６】
　表示画面の切り換えを行う方法としては、上記のように表示データの書き替えが終了するまで表示を中断する方法の他に、垂直ブランキング期間を使用する方法もある。この方法によると、図４１から明らかなように垂直ブランキング期間は１．５４ｍｓｅｃしかなく、この始まり信号を検出してフルに書き替え時間として使用しても、約８０回の垂直ブランキング期間を必要とする。そのため、表示時間に換算すると１秒以上の時間を要することになり、この間の画面の変化もまた、オペレータにとっては見にくいものとなる。また、図３７（ｂ）に示す全自動画面の表示を行わないように予め設定することもできるが、この場合には、ある選択モード画面を表示中にオールクリアキー３１６が操作されると、その画面におけるカスケードがすべてデフォルトにリセットされる。従って、画面上ではカスケードの設定領域が切り替わることになり、同様に見にくい状態が生じる。
　【０２３７】
　そこで、この複写機では、上記のような画面の切り換え条件が生じた場合、非表示状態にあるＶ−ＲＡＭ（裏Ｖ−ＲＡＭ）３４０に新しい表示画面を書き込んでＣＲＴコントローラ３３５のスタートアドレスをダイナミックに切り換える。しかし、書き替え情報量が少ない場合、例えばカスケードキーの操作によりその設定領域を移動するだけの場合や、テンキーによる数値入力値を表示する場合には、垂直ブランキング期間を使用する。
　【０２３８】
　図４８は画面編集処理を説明するための図であり、同図（ａ）は処理の流れ、同図（ｂ）はモジュール構成例を示す。
　【０２３９】
　上記のように画面の変更内容が多い場合には裏Ｖ−ＲＡＭにデータを展開した後Ｖ−ＲＡＭを切り換えるため、画面編集処理では、図４８（ａ）に示すようにまず１画面の書き替え処理か否かの判断を行う必要がある。画面は、図３１で説明したようにフレームＮｏ．とポップアップＮｏ．、そして表示制御データの設定内容に従って編集され展開される。従って、フレームＮｏ．或いはポップアップＮｏ．が変更された場合には当然画面が書き替えとなり、裏Ｖ−ＲＡＭが使用されるが、オールクリアキーが操作された場合にも各カスケードが全てデフォルトにリセットされるため各カスケードが移動するので、変更内容が多くなり裏Ｖ−ＲＡＭが使用されることになる。従って、このように裏Ｖ−ＲＡＭを使用する処理か、表Ｖ−ＲＡＭの一部を書き替える処理かの判断をまず行うことになる（ステップ▲１▼）。
　【０２４０】
　画面の書き替え処理の場合には、ダイアログ初期化を行う。この処理では、フレームＮｏ．とポップアップＮｏ．からダイアログデータの先頭アドレスを求め、ダイアログリードポインタを設定する（ステップ▲２▼）。
　【０２４１】
　そして、構成情報群から「Ｐｏｓｓｉｂｉｌｉｔｙ」の数だけ１ブロックずつチェック処理を行い、固定アイテムか可変アイテムかを調べる（ステップ▲３▼、▲４▼）。
　【０２４２】
　ＹＥＳの場合（固定アイテムの場合）には、画面グレイチェックを行ったのちリード処理を起動し、裏Ｖ−ＲＡＭに出力して表示データを展開する（ステップ▲５▼〜▲７▼）。
　【０２４３】
　ＮＯの場合（可変アイテムの場合）には、構成情報と参照情報（Ｔｅｓｔ　Ｖａｒｉａｂｌｅ）のアドレスをアップデートテーブルに登録し、全ての可変アイテムを登録終了すると、アップデートテーブルにＥＯＦ（エンドオブファイル）コードをセットする（ステップ▲８▼〜１０）。
　【０２４４】
　上記▲３▼〜１０の処理を「Ｐｏｓｓｉｂｉｌｉｔｙ」の数だけ行うと、次は、アップデートテーブルをＥＯＦコードまで１ブロックずつチェックし、上記▲５▼〜▲７▼と同様の処理を行う（ステップ１１〜１２）。
　【０２４５】
　例えば選択モード画面の画面書き替え処理では、バックがグレイ表示となるのでまず全体をグレイ表示態様で展開し、その上に表示データを編集展開する。このようにすることによって上書きする部分だけ処理すればよいので、処理量を少なくすることができる。画面書き替え処理は、以上のようにして行われるが、上記１の判断処理でＮＯの場合には、部分書き替え処理が行われる。
　【０２４６】
　部分書き換え処理では、アップデータテーブルをチェックして変化した可変アイテムのダイアログデータをリードし、その表示ブロックデータを作成して表Ｖ−ＲＡＭに出力する。
　【０２４７】
　ポップアップ表示とは、画面の表示が納まらない場合に、選択されたモードを現在表示中の画面の延長としてクローズアップして展開表示するもので、表示中の画面上の一部を特定モードのクローズアップされたウインドウで上書きする。
　【０２４８】
　ポップアップオープンは、ポップアップ対象のモードを選択して一定時間、例えば７５０ｍｓｅｃ経過したことを条件とし、７５０ｍｓｅｃ経過以前にさらにカスケードキーが操作される等、他のキー入力があるとキャンセルされる。これは、他のモード決定と同様に一過的なモード選択に対して応答処理することの無駄をなくすためである。このようなポップアップオープンによって、その部分に対応するカスケードキーによりポップアップウインドウ上のモード選択を可能にする一方、ポップアップウインドウによって隠された部分のモードはカスケードキーにより変更できないようにする。
　【０２４９】
　ポップアップクローズは、ポップアップウインドウ上の「閉じる」（クローズキー）が選択され一定時間経過、例えば５００ｍｓｅｃ後、画面変更キーやオートクリアキーその他ポップアップウインドウ外のキー（カスケードキーを含む）が操作されたとき、予熱モードに入ったとき、割り込みモードに入ったとき等に行われる。従って、一旦画面が変更されてまた元の画面に戻ったときもそれ以前のポップアップは閉じている。なお、クローズキーが操作されてポップアップがクローズするときは、一旦カスケードでポップアップを閉じることを表示し、他のキーの入力は受け付けない。
　【０２５０】
（Ｃ）多画面の設定状態表示
　図４９は設定状態表示領域の変更処理の流れを説明するための図である。
　図４７で説明したように初期画面において、テンキー３０７ではなくモード選択キー（３０８〜３１０）の入力があった場合には、そのキーが基本コピーのモード選択キー３１０か、応用コピーのモード選択キー３０９か、専門コピーのモード選択キー３０８かに応じて対応する選択モード画面を表示する。そして、当該選択モード画面でカスケードキー３１９−１〜３１９−５によるカスケードの設定処理を行い、続いて別のモード選択の入力があるか否かを判断し、別のモード選択があれば同様にモード選択、カスケードの設定処理を行う。ここで、選択モード画面の設定状態表示領域には、他の選択モード画面の設定状態を表示するが、各選択モード画面における設定状態表示領域の内容は次の処理によって書き替えられる。
　【０２５１】
　まず、現在表示中の画面を認識し、基本コピーの画面であれば、設定状態表示領域に応用コピーのデフォルト以外のカスケードのモード名及び同様に専門コピーのデフォルト以外のカスケードのモード名を、応用コピーの画面であれば、設定状態表示領域に基本コピーのデフォルト以外のカスケードのモード名及び同様に専門コピーのデフォルト以外のカスケードのモード名を、また、専門コピーの画面であれば、設定状態表示領域に基本コピーのデフォルト以外のカスケードのモード名及び同様に応用コピーのデフォルト以外のカスケードのモード名をそれぞれ表示する。
　【０２５２】
　そして、表示中の画面においてカスケードで設定状態の変更があると、他のコピーモードの対応する設定状態内部データについてデフォルトのカスケードを削除し、デフォルト以外のカスケードを登録する。また、オールクリアキーが操作されると、カスケードを全てデフォルトにする。この処理では、例えば基本コピー画面に対するものであれば、図３１（ｉ）〜（ｍ）に示す仕様に従って表示制御データのアドレスＡ０Ｃ〜Ａ０Ｆ、Ａ１１〜Ａ１５のセル値の更新を行うことになる。
　【０２５３】
（Ｄ）併用禁止の制御
　複写機では、用紙トレイの選択、コピー倍率にそれぞれ自動機能を有している。自動用紙選択は、コピー実行の際に原稿サイズを検知してそのサイズに合わせて同サイズの用紙を選択する機能であり、自動倍率は、用紙サイズが特定された場合に、原稿サイズから指定された用紙サイズに合うようにコピー倍率を設定する機能である。従って、上記自動機能は、そのいずれかが選択されている場合には問題ないが、双方とも自動の場合には、用紙サイズもコピー倍率も特定できないことになる。つまり、両方の自動機能を併用することは禁止されている。そこで、このような状態が選択設定された場合には、ユーザに「自動用紙選択モードで自動倍率モードは行えません」等のＪコードメッセージを出力している。
　【０２５４】
　多機能の複写機では、実際にスタートキーを操作してコピー指令を出すまでに、数ステップの機能選択操作を行うことになる。しかも、その選択操作の順序は決して一定ではなく各機能を独立的に選択設定できるようにしている。従って、併用が禁止されていることを知らずに両自動機能を選択する場合もあるが、意識しなくても他の機能を選択する操作途中において一時的に両自動機能が選択される場合もある。また、通常の場合、スタートキーを操作する迄は、操作途中にあってユーザは最終的な決定を下していないとみるべきであるが、この段階で、併用禁止等のメッセージを出力することは、ユーザにとって途中の操作に対して逐一指示を差し込まれることになり操作性にも問題が生じる。この複写機では、スタートキーが操作された時に、最終的な整合判断を行ってその結果をメッセージで出力することにより、このような問題を解消している。
　【０２５５】
　また、整合しないモードが設定されるのを防止するために、この複写機では、倍率モードを用紙選択モードに連動させるようにしている。そのアルゴリズムを説明するために示した図が図５０である。
　【０２５６】
　用紙選択（用紙トレイ）と倍率設定（縮小／拡大）のカスケードは、図５０（ｂ）に示すようにデフォルトが自動等倍になっているが、これらの設定状態が変化するとその変化に応じてコピーモードテーブルのＡＰＭＳステート（図３０（ｄ）のバイト２、ビットＤ４、Ｄ３）を図５０（ｃ）に示す４ステートで更新すると共に、一定の条件で倍率カスケードを用紙カスケードに連動させている。図５０（ｃ）において、「００」はデフォルト状態の自動倍率、「０１」は用紙が自動で倍率が任意／固定の自動用紙、「１０」は用紙が自動以外で倍率が自動の自動倍率、「１１」は用紙が自動以外で倍率が任意／固定のマニュアルをそれぞれ示している。なお、この中で手差しトレイは対象外となる。
　【０２５７】
　この複写機では、上記の各状態のうち自動倍率モードのときに用紙が自動に選択されると、そのほとんどが原稿サイズに合わせて用紙サイズを選択するのが通常であることから倍率のカスケードを等倍に連動させる。また、自動等倍モードのときに手差し以外の特定のトレイが選択されると、特定サイズの用紙に合わせて原稿がコピーされるように倍率のカスケードを自動に連動させる。このように用紙の選択モードに対応して通常の最も多く利用されるであろうモードに倍率モードを連動させ、同時にＡＰＭＳステートを更新することによって、併用禁止されたモードの同時選択を少なくしている。しかし、この連動制御は、あくまでも簡便的に行うものであり、ユーザの選択を絶対的に制限するものではない。従って、連動制御にもかかわらず上記の組み合わせ以外の選択操作が行われた場合には、そのモードが選択される。そして、スタートキーが操作されたときに、併用禁止の機能がともに選択されている場合には、図３０（ｄ）のコピーモードテーブルにおいて、倍率とトレイ（ＴＲＡＹ）の内容とＡＰＭＳステートとを照合することによって、その判定を行いキーコントロール部３７５から表示管理部３７７を通して併用禁止メッセージを出力するコマンドを発行することになる。その倍率連動チェックコントロールの処理フローを示したのが図５０（ａ）である。
　【０２５８】
　次にそのモジュールの動作概要を説明すると、まず、用紙トレイのカスケードキーが操作されると、用紙トレイのカスケードキーが自動に選択されたか否かを調べ、自動の場合（ＹＥＳの場合）には、続いてＡＰＭＳステートを調べて自動倍率モードであればコピーモードテーブルの倍率を等倍にセットし、表示管理部３７７を通して等倍カスケードの表示処理を行うと共に、ＡＰＭＳステート更新処理を行う。また、ＡＰＭＳステートが自動倍率モードでない場合にはそのままＡＰＭＳステート更新処理を行う。
　【０２５９】
　用紙トレイのカスケードキーが自動以外の選択である場合（ＮＯの場合）には、続いて手差しトレイ以外か、ＡＰＭＳステートが自動等倍モードかを調べ、いずれもＹＥＳの場合にはコピーモードテーブルの倍率を自動にセットし、表示管理部３７７を通して自動倍率カスケードの表示処理を行うと共に、ＡＰＭＳステート更新処理を行う。また、手差しトレイが選択されたか又はＡＰＭＳステートが自動等倍モードでない（少なくともいずれかの判定処理がＮＯの場合）にはそのままＡＰＭＳステート更新処理を行う。
　【０２６０】
　以上のような倍率連動チェックコントロールによって、スタートキーが操作されたときにＡＰＭＳステートと用紙トレイと倍率の３つの情報からモード整合チェックの判定を行うことができる。
　【０２６１】
（Ｅ）選択肢制御
　図５１は使用可能な付加機能に伴う選択肢制御の処理を説明するための図、図５２は付加装置と機能との関係を説明するための図である。
　本発明が適用される複写機には、様々な付加装置が装備可能になっている。或るカスケードに着目した場合において、そのカスケードが単純に有効か否かであるときは、そのまま画面を変えないことも考えられるが、画面に表示が残っていればユーザが誤ってそのモードを選択することも当然発生する。しかし、例えばアウトプット装置、インプット装置、用紙トレイを挙げただけでも多様な組み合わせが存在する。アウトプット装置では、ソーターやフィニッシャの有無があり、用紙トレイでは、ＭＳＩやＨＣＦの有無、インプット装置では、ＤＡＤＦやＲＤＨの有無がある。さらに用紙トレイでは、ＭＳＩとＨＣＦの両方が装備できるためそれぞれのいずれかがある場合、いずれもある場合、いずれもない場合の組み合わせがあり、これらを含めると全体では１０のパラメータになる。このパラメータに対応したカスケードの変化例を示したのが図５２であり、左端（第１）のカスケードがアウトプット、第２のカスケードが用紙トレイ、第３のカスケードが拡大／縮小、第４のカスケードが両面、第５のカスケードが濃度の機能で構成された例を示している。
　【０２６２】
　図５２に示すように例えばアウトプットでは、ソーターが装備された場合、フィニッシャが装備された場合で、それぞれのカスケード名が変わり機能の選択肢も変わる。従って、アウトプット装置の有無だけでも単純に考えて３枚の選択モード画面が必要になり、これに用紙トレイ、アウトプット装置が加わると、３×４×２＝２４枚の選択モード画面が必要になる。その外に、セカンドデベの偏倍、ＬＤＣ、枠消し、ページ連写、ジョブプログラム、エディタ等の有無を加え、基本コピー画面、応用コピー画面、専門コピー画面に反映する機能との関係をみると、その組み合わせ総数は数千にも及ぶ。このすべての組み合わせに対応して画面を用意し管理すると、画面を記憶する領域（ダイアログデータ３７０）が膨大になると共にそれだけダイアログ編集での処理量が多くなるという問題がある。
　【０２６３】
　そこで、この複写機では、ダイアログデータ３７０と表示制御データ３６７により少ない画面データ量でコンフィギュレーション設定の可能なデータ構造を採用し、コンフィギュレーション情報を表示制御データ３６７に設定することによって各画面のカスケード名及び選択肢を制御すると共に、変換テーブル３６４も切り換えることによってキー変換部３６３での論理キーへの変換を制御している。そのコンフィギュレーション設定処理の流れを示したのが図５１である。
　【０２６４】
　コンフィギュレーション設定処理は、図５１（ａ）に示すようにパワーオンで本体からのコマンドによりコンフィギュレーション情報を受信し、その情報に従ってキーコントロール部３７５から表示管理部３７７を通して表示制御部３６９を起動することによって画面データ表示用ＲＡＭからなる表示制御データの内容を更新する。その更新処理は、同図（ｂ）に示すようにソーター、カラー、インプット、ＨＣＦトレイ等のそれぞれについて有無を調べ、例えば「有」、「無」に応じて「１」、「０」のフラグを設定する。
　【０２６５】
　この処理を図３１で説明した表示制御データの設定でみると、例えばソーター有りの場合には、図３１（ｉ）、（ｍ）の仕様からアドレスＡ１Ｂに「１」が設定されると共に、アドレスＡ３８、Ａ３９、Ａ３Ａにそれぞれ「２」、「３」、「４」が設定される。その結果、図３１（ｄ）に示すようにカスケード名として「ソーター」が、その下の選択肢として「コピー受け」、「丁合い」、「スタック」が表示される。なお、アドレスＡ３８、Ａ３９、Ａ３Ａのセル値に上記の順序を変えて設定すると、選択肢の表示順序を変えることができる。また、ソーター無しの場合にはアドレスＡ１Ｂに「０」が設定され、アドレスＡ３８、Ａ３９、Ａ３Ａにそれぞれ「１」が設定される。その結果、カスケード名、各選択肢は全てブランクとなる。用紙トレイの場合には、図３１（ｊ）の仕様から各アドレスのセル値を「１」から「７」のいずれに設定するかによって、その表示順序を変えることができる。
　【０２６６】
　図５１（ｃ）、（ｄ）はフルコンフィギュレーションのキーコードテーブルをＲＯＭに持った構成の例を示したものである。この場合には、まず、パワーオンによりフルコンフィギュレーションのキーコード変換テーブルをＲＯＭからＲＡＭ（３６４）にコピーし、本体からコンフィギュレーション情報を受信すると、その情報に従ってＲＡＭのキーコード変換テーブル３６４を更新する。この更新によって、例えばソーターが実装されている場合、フィニッシャーが実装されている場合のそれぞれに応じた論理キー変換が行われように制御されることは勿論、ソーターもフィニッシャーも実装されていない場合には、そのカスケードキーが仮に操作されても無効として処理される。
　【０２６７】
（Ｆ）全自動モードコントロール
　この複写機のユーザインターフェースにおける全自動モードは、選択モード画面のいずれかを表示し且つ各カスケードをデフォルト設定にした状態と、全自動画面を表示した状態の２通りがある。この同じ全自動モードであっても、前者の場合には各カスケードの状態を確認できるが、後者の場合にはそれができない。しかし、使用初期で装置に慣れない状況では、選択モード画面が表示されると、５つのカスケードが表示されるためどのような操作、設定をすればよいのか操作に戸惑いを感じるという問題があり、このような場合には全自動画面が使用しやすいと思われるのに対し、操作に慣れた利用者の場合にはむしろ選択モード画面を表示して各カスケードの設定状態を確認したいという要求が出てくる。
　【０２６８】
　そこで、この複写機では、オールクリア状態のときの画面として全自動画面を表示するか、選択モード画面を表示するかをダイアグモードで不揮発性メモリに設定記憶させる。この画面を表示する契機は、例えばオールクリアキーが操作された時、割り込みモードに入った時、予熱キーにより予熱状態から復帰した時、オールクリア機能が動作した時、パワーオン時等である。これに対して全自動画面の表示をやめる契機は、ジョブ終了状態でモード選択キー、レビューキー、インフォーメーションキーが操作された時である。
　【０２６９】
　全自動モードでは、先に示した選択モード画面からも明らかなようにトレイは自動選択、倍率は等倍、コピー濃度は自動、両面機能は片面のモードが設定される。従って全自動画面でのキーの受付は、ダイレクトキーと画面変更キーのみが可能となる。このようなキーの受付管理は、先に説明したようにステートテーブル３７１に従ってキー管理部３７４が行い、キーコントロール部３７５が図３０（ｄ）に示すようなコピーモードテーブル３７８を生成してコピーモードの管理を行っている。
　【０２７０】
　また、アウトプットモードは、設定枚数の入力内容により、１枚のときはコピー受けとし、２枚以上のときは丁合モードとする。この処理では、先に説明した図３０（ｄ）のコピーモードテーブルのバイト１９、２０の設定枚数が参照される。この丁合モードを自動的に選択するか否かは、不揮発性メモリの設定とする。なお、割り込みモード時は、ソートモードでの割り込みもあるので、自動的にソートモードとはしない。
　【０２７１】
　次に図５３（ａ）により全自動モードのチェックコントロールの流れを説明する。
　この複写機のユーザインターフェースでは、先に説明したようにスタートキーが操作された時に最終的なモード決定を行うようになっている。従って、全自動モードのチェックにおいても、スタートキーが操作されるのを待ち、スタートキーが操作されると、全自動画面か否かを調べる（ステップ▲１▼、▲２▼）。
　【０２７２】
　全自動画面（ＮＯ）でない場合には、モード画面の内容を判断し、実行条件をチェックしてコピーモードを設定する（ステップ▲３▼〜▲５▼）。
　【０２７３】
　全自動画面（ＹＥＳ）の場合には、不揮発性メモリの内容が全自動モードに設定され、インプットモード情報がＡＤＦであり、且つ設定枚数が２以上であるか否かを調べ、全ての条件がＹＥＳの場合にはアウトプットモード情報を丁合モードにセットし、少なくともいずれかの条件がＮＯの場合にはアウトプットモード情報をコピー受けにセットする（ステップ▲６▼〜１０）。
　そして、ユーザインターフェースからメインＣＰＵへ設定モードによりマシンコマンドを送信する（ステップ１１）。
　【０２７４】
　図５３（ｂ）はインプット決定処理の流れを説明するための図、図５３（ｃ）は設定枚数入力チェック処理の流れを説明するための図である。
　ユーザインターフェースと本体（シーケンスマネージャー）との間では、ユーザインターフェースで操作入力に応じてコピーモードを決定してマシンスタートコマンドを本体に送信するが、本体では、マシン状態を監視しつつコマンドに従ってシーケンス上のマシンコントロールを行っている。そして、原稿がセットされているかいないか、原稿がどこにセットされているかは、常にセンサで検知し原稿の有無を判定してユーザインターフェースにインプットステータスコマンドを送信してくる。ユーザインターフェースでは、そのコマンドからインプットモードを決定している。また、全自動モードでは、プライオリティがＳＡＤＦ、ＡＤＦ、プラテンの順に決められていて、このプライオリティに従ってインプットモードの決定処理が行われる。
　【０２７５】
　インプット決定処理では、図５３（ｂ）に示すようにまずインプットステータスコマンドを受信するのを待ち、該コマンドを受信すると、次にインプットステータス情報が第１のプライオリティのＳＡＤＦに原稿セットされた状態か否かを調べる。
　【０２７６】
　ＳＡＤＦに原稿がある場合（ＹＥＳの場合）には、インプットモード情報をＳＡＤＦにセットする。
　ＳＡＤＦに原稿がない場合（ＮＯの場合）には、インプットステータス情報がＤＡＤＦ原稿か否かを調べ、ＹＥＳの場合にはインプットモード情報をＡＤＦにセットし、ＮＯの場合にはインプットモード情報をプラテンにセットする。
　【０２７７】
　また、設定枚数入力チェック処理では、図５３（ｃ）に示すようにまずテンキーの入力を待ち、テンキーの入力により設定枚数入力が１桁目か２桁目かを認識し、１桁目の場合にはそのままＲＡＭの設定枚数情報の１桁目に入力値をセットし、２桁目以降の場合にはＲＡＭの設定枚数情報のそれぞれセットされている桁の数値を１桁ずつ上位にシフトして１桁目に入力値をセットする。
　【０２７８】
（Ｇ）焼付防止画面の制御
　図５４は待機状態の焼付防止画面による表示処理の例を説明するための図である。
　ユーザインターフェースとしてＣＲＴディスプレイを用いた場合、複写機等の装置では、非使用状態における消費電力の節約と非使用状態からコピー動作への迅速な移行を可能にするために待機状態では予熱モードにしておくのが普通である。この予熱モードは、オペレータが使用を終了したときに予熱キー３０６を操作すると、その操作毎に設定／解除されるが、オペレータが予熱キー３０６の操作を忘れた場合にも消費電力の節約を図るために自動的に予熱モードに移行するようにしている。この場合、待機状態における予熱モードであることをオペレータに判りやすくするためにそのモード画面をＣＲＴディスプレイに表示する。ところが、この待機状態は、使用頻度が低くなると長い時間同じモード画面を表示することになる。このような固定表示は、ＣＲＴディスプレイを劣化させ、表示画質を低下させると共にディスプレイの寿命を短くすることになる。そこで、この複写機では、このような固定表示によるＣＲＴディスプレイの劣化を図５４（ｄ）に示す表示制御によって防止している。
　【０２７９】
　図５４（ｄ）に示す処理では、或る画面が表示されてから一定時間、例えば１５分以上にわたり何も操作がない場合、或いはマシンの操作や状態変化がない場合には待機状態（予熱モード）の画面を表示する。さらに、待機状態画面を表示した後は、一定時間内に何等かの操作があればその操作内容に対応した表示画面の切り換えを行うが、何も操作がない場合にはタイマーをリセットして一定時間毎、例えば１．５秒毎に図５４（ａ）〜（ｃ）に示すように待機状態画面の表示位置を変更する。なお、予熱モードにおいて予熱キー３０６を操作すると、全自動画面に切り替わり、全自動のコピーモードとなる。待機状態画面の表示位置を変化させる処理は、予め複数の表示位置及び表示順序を設定しておき、その順序に従って変更してもよいし、乱数発生手段等を用いてランダムに表示位置を変更してもよい。このようにすると、一定時間以上の長時間にわたって固定表示を行うことがなくなるので、部分的に一部の画素だけが著しく焼け付いて劣化するということを防ぐことができる。また、上記焼付防止画面と同じようにディスプレイの一部に画面を表示し時々移動させる表示（ムービングクロック）をオペレータの操作やマシン動作の中断時に利用してもよい。この制御は、スタートキーが操作される前のモード設定段階において、あるキー入力があった後、一定時間経過しても次のキー入力がない場合、或いはスタートキーが操作され、マシンがコピー動作を開始した後、ジャム等の発生により一定時間画面が固定表示された場合に行う。そして、キー入力その他何等かの状態変化があったとき、例えばオートスタートでマシンが動作したとき、オペレータがマシンを操作してインターロックの開閉や用紙トレイの抜き差し等があったとき、メッセージ（Ｕ，Ｊ，ＣＡＵＴＩＯＮ）の表示事由の発生／クリア、ジャムの発生／クリア等のマシンの状態が変化したときには、元の画面に復帰させる。なおこの場合、グラフィックが常に画面上に収まるように表示することは勿論である。
　【０２８０】
　なお、本発明が適用される複写機は、上記の実施例に限定されるものではなく、種々の変形が可能である。例えば上記の実施例では、ユーザインターフェースにＣＲＴディスプレイを用いたが、プラズマディスプレイやＥＬディスプレイ、液晶ディスプレイ、蛍光表示管等を用いてもよいし、さらにタッチパネルを装着してもよい。その配置としても右奥の隅としたが、左奥の隅にしてもよい。また、ＣＲＴディスプレイの表示態様を制御することによってアクセントのある表示を行うようにしたが、カラーディスプレイを使用して色彩的な変化を持たせるようにしてもよいし、選択モード画面を上段からメッセージ領域、設定状態表示領域、選択領域に領域分割したが、選択領域を真中にメッセージ領域、設定状態表示領域をその両側に領域割り当てる他、様々に変形できることはいうまでもない。さらには、モード選択キーを分割した画面の数に対応して配置したが、１個のモード選択キーだけで画面の切り換え操作を行うように構成してもよい。
　【０２８１】
　画面を切り換える場合だけでなく、ポップアップ画面を展開する場合や、選択モード画面でのクリア処理（全自動画面の設定処理）の場合も２組の画像用メモリを用いるようにしたが、画像用メモリの書き換え速度との関係で、表示タイミングの合間に書き換えが可能であれば、直接表示中の画像用メモリの内容を書き換えるようにしてもよいことは勿論である。また、ユーザインターフェースの操作が中断したまま一定時間が経過すると、注意を喚起するための画面（ムービングクロック）が表示されるが、このような画面やさらにはジャム画面等の切り換え表示にも適用できる。
　【０２８２】
（ＩＩＩ−６）ダイアグモード表示方式
　以上、ユーザインターフェースの表示システムに関して詳細に説明したが、次に、具体的にはどのような画面表示がなされるかをダイアグモードを使用して自己診断を行う場合を例にとって説明する。なお、以下の説明においては各種データの構造、授受の仕方等については説明の重複を避けるために必要最小限にとどめることにする。
　【０２８３】
　上述したように、ダイアグモードはサービスマンが複写機をユーザの要望に合わせるために調整する場合や故障修理の際に使用するモードであり、種々の機能を有している。ダイアグモードとして如何なる機能を持たせるかは適宜決定すればよい事項であるが、ここでは次の機能を考えることにする。
　【０２８４】
　（１）Ｐ０…ＮＶＲＡＭ初期化
　（２）Ｐ１…入力チェック
　（３）Ｐ２…出力チェック
　（４）Ｐ３…ヒストリーファイル
　（５）Ｐ５…サブシステムチェック
　（６）Ｐ６…パラメータ設定
　（７）Ｐ８…モード設定
　以下、これらのダイアグモードの各機能について表示画面と共に説明する。
　【０２８５】
（１）Ｐ０モード
　複写機が出荷されるときはＮＶＭにはある値が書き込まれており、これが初期値であるが、通常ユーザの要求に応じて調整、変更が行われる。この調整、変更は後述するＰ３（ヒストリーファイル）、Ｐ６（パラメータ設定）、Ｐ８（モード設定）で行われるが、Ｐ０モードは調整、変更されたＮＶＲＡＭの値を初期状態に戻すために使用されるモードである。
　【０２８６】
　ＮＶＭの初期化というのはＮＶＭの設定に外ならず、従って後述するＰ６モードのパラメータ設定を使用して初期値に設定すれば初期化を行うことはできるが、その場合には初期値をコード表で探して入力しなければならないし、初期化というのは設定とは異なる特別な操作であることに鑑み、本複写機においては初期化と設定とを区別しているのである。
　【０２８７】
　以下、Ｐ０モードの際の操作を、図５５のフローチャートおよび図５６の画面表示の例を参照して説明する。
　先ず、所定の操作、例えば適当なファンクションキーを押しながら電源を投入すると、ダイアグモードに入る。そのときの表示画面は図５６（ａ）のようであり、ダイアグモードであることの表示と文字Ｐが表示される。このときマシンは何の動作も行わず、その状態は変化しない。この状態でテンキーから０を入力するとＰ０モードに入り、画面表示は図５６（ｂ）のようにＰ０モードに入ったことを表示する。この画面において、初期化のためのリモート値、即ち上述したコード番号に相当する番号とその解説が表示されている。１は、以下の２〜９に示されている全ての項目の初期化を行うリモート値であることを示し、以下同様に２はＰ６−マーキング、つまりＰ６で設定したマーキングの初期化を行うリモート値、３はＤＡＤＦの初期化を行うリモート値、４はＣＨＭの初期化を行うリモート値、５はＩＭＭの初期化を行うリモート値、６はＰ６のシステムで設定した値の初期化を行うリモート値、７はユーザインターフェースの初期化を行うリモート値、８はＰ３の初期化を行うリモート値、９はＰ８の初期化を行うリモート値、であることを示している。前にも述べたように、従来では、例えば全ての初期化を行うにはコード表から該当するリモート値を捜し出して入力していたのであるが、本複写機ではこのようにリモート値とその解説が表示されるので、サービスマンはいちいちコード表を捜す必要はなく、操作性のよいものである。
　【０２８８】
　また、ＮＶＭの初期化を細分化し、サブシステム毎に初期化を行えるようにしたことも特徴の一つである。つまり、工場出荷時にはパラメータとして設計値が設定されているが、使用されていく過程において変更されたパラメータ値が次第に固定値となり、ＲＯＭ化されたり、次の機種の設計に使用されたりする。従って、当該固定値とされたパラメータについては初期化を行う必要はないのであるが、従来はＮＶＭに書き込まれている全てのパラメータ値を初期化していたので、固定化されたパラメータ値については再度設定し直さなければならないものであった。これに対して、サブシステム毎にＮＶＭの初期化を行えるようにしておけば、必要なサブシステムに対してのみ初期化を行えるので、結果的にＮＶＭ初期化の作業を軽減させることができるものである。そのためには、ＮＶＭに対して各サブシステム毎に所定のバイト数、例えば１００バイトを割り付け、指定されたサブシステムのパラメータ値のみを初期値に戻すようにすればよい。なお、このときもマシンの状態は変化しない。
　【０２８９】
　図５６（ｂ）の状態で、例えば、全てを初期化するために、テンキーで１を入力すると、図５６（ｃ）に示すようにカーソル８００の次の位置に１が表示される。このときもマシンは何の動作も行わないのでその状態は変化しない。ここでスタートキーが押されると図５６（ｄ）に示されるように「ＩＮＩＴ．」の文字が表示され、初期化が開始されたことを作業者に知らせると共に、マシンは入力されたコード番号に該当するリーモート（サブシステム）のＮＶＭの初期化を行う。なお、初期状態とはＰ３では全て０、Ｐ６およびＰ８ではコード表に示す初期値である。
　【０２９０】
　全てを初期化した場合はこれで終了であるが、例えば７のＰ６−ＵＩの初期化を行い、次に４のＰ６−ＣＨＭの初期化を行おうとするときには、上述した手順中図５６（ｃ）で７を入力して初期化を行い、終了したらストップキーを押して直前の画面に復帰させ、更にクリアキーを押してＰ０モードの初期画面に復帰させて図５６（ｂ）の画面に戻し、この状態で４を入力して初期化を行う。また、どの画面の状態においてもＰキー（プログラムキー）を押すことによって図５６（ａ）のダイアグモードの初期画面に戻ることができる。つまり、ストップキー、クリアキーおよびＰキーは入力誤りの際に所望の画面に復帰するための操作に用いられるのである。
　【０２９１】
　図５６では１画面には９項目しか表示されていないが、より多くの項目がある場合には、カスケードキーを操作することによりカーソルを上下に移動させて選択するようにするか、または、カスケードキーの操作により画面をスクロールさせるようにすればよい。
　【０２９２】
（２）Ｐ１モード
　このモードは、スイッチまたはセンサが正しく動作しているかどうかを、回路基板のポート側のレベルでチェックし、コネクタ側のレベルで表示することにより入力チェックを行うものである。勿論、ポートレベルを表示することは可能であるが、そのためにはポート、例えばＩＣのピンの部分に多くの配線を施さなければならず、ショートしてＩＣを破壊してしまう危険性もあるので、コネクタ側のレベルで表示するようにしたのである。しかし、実際にはポートとコネクタの間にはゲート、ドライバ等が介在しているので、ポートレベルをコネクタレベルに変換する手段、例えば論理回路あるいは変換用のサブルーチンが必要である。どのような変換手段を採用するかは適宜選択できるが、本複写機においては設計変更への対応の容易性を考慮してサブルーチンを採用している。
　【０２９３】
　以下に、Ｐ１モードの際の操作手順と表示画面の例を示すが、操作手順のフローチャートは図５５に示すＰ０モードの場合と同様であるので表示画面例を説明するにとどめる。
　【０２９４】
　図５６（ａ）の画面でテンキーにより１を入力すれば、Ｐ１モードに入り、図５７（ａ）の画面が表示される。この画面において、コードＮｏ．の欄にはチェックしようとするスイッチまたはセンサのコード番号を入力する。全てのスイッチまたはセンサにはコード番号が付されているのでチェックしたいスイッチまたはセンサのコード番号をコード表で捜して入力するのである。そして、コード番号で指定された項目に対してスイッチまたはセンサのＯＮ／ＯＦＦ（高レベル／低レベル）状態が表示されるが、表示には次の２種類が用意されている。一つは、スイッチまたはセンサからの入力がディジタルである場合であり、この場合にはＰＷＢ基板のコネクタ信号のレベルで判定された「Ｈ」／「Ｌ」を図５７（ａ）のレベルの欄に表示する。なお、Ｈ／Ｌは例えば５００ｍｓｅｃ毎に判定されるようになされる。もう一つはスイッチまたはセンサからの入力がアナログである場合であり、この場合には、Ｈ／Ｌレベルに変換されて表示されるものと、アナログ値を８ビットでＡ／Ｄ変換し、図５７（ａ）の「Ａ／Ｄ」欄に０〜２５５の値で表示されるものがある。例えば、前者の例としてはＰＯＰセンサがあり、コネクタ側のレベルがＨ／Ｌ判定基準値、例えば２Ｖ（ボルト）以上のときにはＨ（高レベル）とされる。後者の例としては、フューザサーミスタ、露光ランプサーミスタ等がある。なお、Ａ／Ｄ値は例えば１０ｍｓｅｃ周期で書き換えられるようになされ、表示の更新は例えば５００ｍｓｅｃ毎に行われるようになされる。
　【０２９５】
　図５７（ａ）の「ＣＯＵＮＴ」欄にはスイッチまたはセンサのＨ／Ｌの変化回数が表示される。例えばスイッチは切り替えが行われるときにはバウンドしてチャタリングを生じることがあり、それはそのままコネクタ側のレベルに現れるので、その変化回数を表示し、これを接触不良等の判断材料に使用する。この変化回数を測定するには、従来はオシロスコープを用いるしかなかったが、本複写機ではＰＷＢ基板のコネクタ側レベルの変化で判定した変化回数がシーケンスマネジャーＳＱＭＧＲサブシステムのＣＰＵ内のＲＡＭに格納されているので当該データを呼び出して画面に表示するのである。
　【０２９６】
　図５７（ｂ）は、図５７（ａ）の状態においてテンキーにより２３を入力し、スタートキーを押して２３というコード番号のスイッチまたはセンサの入力チェックを行ったときの画面である。これによると、コードＮｏ．２３のスイッチまたはセンサは低レベルＬであり、Ｈ／Ｌの変化回数は２回であることが分かる。図５７（ｂ）の状態から次のスイッチまたはセンサの入力チェックを行うには、Ｐ０モードで述べたと同様にストップキーを押し、更にクリアキーを押して図５７（ａ）の画面に戻り、入力チェックを行いたいスイッチまたはセンサのコード番号をテンキーで入力するようにする。
　【０２９７】
　以上のように本複写機のダイヤグＰ１モードでは、従来行われていたレベル表示に加え、Ａ／Ｄ値および変化回数をも表示するので、スイッチまたはセンサの状態を容易に把握することができるものである。
　【０２９８】
（３）Ｐ２モード
　Ｐ２モードは出力チェックであり、ハードウェアを部品単位で動作させ、その動作をみることで部品のチェックを行うために設けられている。
　以下に出力チェックの際の操作手順を図５８のフローチャートと図５９の表示画面例を参照しつつ説明する。
　【０２９９】
　図５６（ａ）のダイアグモードの初期画面の状態でテンキーから２を入力するとＰ２モードに入り、図５９（ａ）に示す画面が表示される。この状態で、出力チェックを行いたい部品のコードＮｏ．を入力するが、いま、逆転モータ（リバースチェンジモータ）１の出力チェックを行うためにコードＮｏ．８０２をテンキーから入力すると図５９（ｂ）に示すように８０２という数字が表示される。この画面の状態でスタートキーが押されると、マシンが動作してコードＮｏ．に該当する出力ポートをＯＮとする。このとき表示画面は図５９（ｃ）に示すように、コードＮｏ．８０２の行にＯＮと表示されて逆転モータ１の出力ポートがＯＮとなったことが分かる。このとき当該部品が不良状態にあれば出力ポートがＯＮとなされても動作しないので、オペレータは上記の操作で出力ポートをＯＮとし、当該部品が動作するかしないかを確認すれば部品のチェックを行うことができるのである。
　【０３００】
　図５９（ｃ）の状態、即ち単一の部品の出力チェックを行った状態でストップキーを押すと、ストップキーは直前に入力したコードＮｏ．の出力のみをＯＦＦとする機能を有するので、この場合は図５９（ｂ）のコードＮｏ．だけが表示された画面に戻る（実線８０１の画面遷移）。そして、図５９（ｂ）の状態でクリアキーを押すと、クリアキーは直前のデータを消去する機能を有しているから、実線８０２に従って、図５９（ａ）のＰ２モードの初期画面に戻る。なお、どの画面においてもＰキーが押されるとダイアグモードの初期画面である図５６（ａ）に戻る。
　【０３０１】
　以上は単一部品の出力チェックについての説明であるが、図５９（ｃ）に示されているように、一つのコードＮｏ．について出力ＯＮとするとカーソルは次の行に移動し、次のコードＮｏ．の入力を待機する状態に入るので、例えば、逆転モータ１のチェックの後、引き続いてメインモータ１のチェックを行う場合には、図５９（ｃ）の状態でそのままメインモータ１のコードＮｏ．である８０１を入力し、スタートキーを押せば画面は図５９（ｄ）のようになる。なお、これは図５８の波線８０３に従う画面遷移である。
　【０３０２】
　このように本複写機の出力チェックでは一つの画面で多項目の出力チェックを連続して行うことができるようになされている。つまり、出力チェックは関連する複数個の部品について行うのが一般的であるが、従来はユーザインターフェースの表示文字数が少ないために１コード分の表示しかできず、従って関連する部品の出力チェックを行う場合にはコードＮｏ．を一つ一つ入力してチェックを行い、その結果をメモするなどして総合的に判断せざるを得ないものであった。それに対して本複写機においては、一つの画面で複数個、例えば１０コード分の部品の出力チェックを行うことができるので、関連する部品を一括してチェックすることができ、操作性がよいものである。
　【０３０３】
　上記のように複数のコードＮｏ．の出力チェックを同一画面上で行えるようにすると次のような問題が生じる。つまり、いくつかの部品の出力チェックを行い、いま図５９（ｅ）の状態にあるとすると、この状態で全てのコードＮｏ．の出力をＯＦＦとして出力チェックを終了したい場合もあろうし、例えばコードＮｏ．８０１のみの出力を一旦ＯＦＦとして引き続き出力チェックを続行したい場合もあるので、あるコードＮｏ．の出力のみをＯＦＦとする操作と、全てのコードＮｏ．の出力をＯＦＦとする操作を区別しなければならないのである。
　【０３０４】
　そのためにどのキーにどのような機能を持たせるかは適宜設定できるところであるが、本複写機においては、一つのコードＮｏ．の出力をＯＦＦにする場合にはストップキーを使用し、全てのコードＮｏ．の出力をＯＦＦとする場合にはＰキーを使用することとし、他のモード時における各キーの機能と矛盾せず、相似な機能を持たせることにしたのである。
　【０３０５】
　さて、図５９（ｅ）の状態で、例えば、メインモータ１（コードＮｏ．８０１）の出力のみをＯＦＦとしたい場合には次のような操作を行う。上記のようにストップキーは直前のコードＮｏ．についてだけＯＦＦとするから、もし図５９（ｅ）の状態でコードＮｏ．８０５の出力をＯＦＦにするなら単にストップキーを押せばよいのであるが、それ以前のコードＮｏ．である８０１については、先ず図５９（ｅ）の状態でテンキーで８０１を入力してスタートキーを押し（図５９（ｆ））、次にストップキーを押してＯＦＦとする（図５９（ｇ））。このときには直前の８０１の行ばかりでなく、その３行上の８０１の行もＯＦＦとなされる。これは出力チェックが終了したにもかかわらず以前の同一コードＮｏ．をＯＮ表示のままにしておくとオペレータが見誤って故障と判断しかねないので、同一コードＮｏ．のＯＮ、ＯＦＦ表示は常に同じ状態にしておく必要があるのである。勿論、同一コードＮｏ．が入力されたときに以前の同じコードＮｏ．を削除する編集機能を持たせることはできるが処理が複雑になるので、上述したように同一のコードＮｏ．の有無を確認して画面上に同一コードＮｏ．が表示されているときには同一の表示を行うにとどめるのがよいのである。
　【０３０６】
　なお、この画面の状態においても次の行にはカーソルが表示されてコードＮｏ．入力の待機状態になされている。この画面遷移は図５８の波線８０４に従うものである。
　【０３０７】
　図５９（ｇ）の状態でクリアキーが押されると、ＯＦＦ状態にある最下のコードＮｏ．が消去され、図５９（ｈ）の画面になる。このときそれ以前のコードＮｏ．８０１の行はＯＦＦ表示されたままであるので、過去に出力チェックが行われたが、現在は終了していることが分かるのでオペレータは誤った判断をすることはない。これは図５８の波線８０５に従う画面遷移である。
　【０３０８】
　以上のように、ストップキーを使用することにより、複数の部品の出力チェックを行っている場合、その中のある部品について出力をＯＦＦさせることができる。これに対して、図５９（ｅ）の状態で全ての部品の出力をＯＦＦする場合、出力チェックを取り消す場合、もしくはダイアグモードを変更する場合にはＰキーを操作することによりどの画面の状態からでもダイアグモードの初期画面に戻ることができる。
　【０３０９】
　このように、複数の部品の出力チェックを行っている場合には、ストップキーとＰキーを使い分けることにより所望のコードＮｏ．の部品について出力をＯＦＦとすることができるので操作がよいものである。
　【０３１０】
（４）Ｐ３モード
　Ｐ３のヒストリーファイルは、ＳＱＭＧＲサブシステムのＣＰＵ内のＲＡＭに格納されているヒストリーファイルからデータを得てＵ／Ｉの画面に表示することにより複写機の履歴を参照することでマシンの調整箇所の目安としたり、次の複写機の設計資料としたり、更には各種カウンターの内容を参照することにより部品交換の目安とするために設けられているものであり、図６０に示す内容を含んでいる。ＨＩＳＩ（Ｈｉｇｈ　Ｆｒｅｑｕｅｎｃｙ　Ｓｅｒｖｉｃｅ　Ｉｔｅｍ）は各トレイのフィード枚数等を参照するもので、図６１に示すように１３種類の項目を含んでいる。
　【０３１１】
　ダイアグモードの初期画面（図５６（ａ））で３を入力してＰ３モードに入り、そこで１を入力するとＨＦＳＩの画面が表示され、スタートキーを押すと図６２（ａ）に示す画面となる。この画面において、１〜１３の番号は図６１のＮｏ．に対応している。例えば、図６２（ａ）から上段トレイのフィード数は１２３４枚であることが分かる。なお、ＨＦＳＩの種類は１３しかないので図６２（ａ）の１４以下は空欄になされている。
　【０３１２】
　ジャムヒストリーは最近発生したジャム２０回分をジャムコードで記憶しておき表示するもので、その例を図６２（ｂ）に示す。この画面でＮｏ．１が一番最近に発生したジャムのコードである。つまり、一番最近に発生したジャムは１３というコードのジャムであること、その前のジャムもコードＮｏ．１３のジャムであることが分かる。そして作業者はコード表を参照しながらジャムの内容を確認するのである。
　【０３１３】
　フェイルヒストリーはＵコード、即ちサービスマンに連絡が必要なハードの故障が何回発生したかを表示するもので、最近発生したフェイル情報を２０回分フェイルコードで記憶しておき表示するものであり、１例を図６２（ｃ）に示す。図６２（ｂ）の画面と同様に１に表示されているのが一番最近に発生したフェイルのコードＮｏ．である。従ってこの図によれば、最近３回のフェイルが発生しており、一番最近に発生したフェイルはコードＮｏ．が８２というフェイルであることが分かる。当該コードＮｏ．がどのようなフェイルであるかはコード表を参照して確認する。
　【０３１４】
　ジャムカウンターは本体（ＰＲＯＣ）と入出力（ＩＮ／ＯＵＴ）に分かれており、それぞれ本体、入出力に設けられている各種カウンターの内容を参照できるものである。本体のジャムカウンター表示の例を図６２（ｄ）に、入出力のジャムカウンター表示の例を図６２（ｅ）にそれぞれ示す。図６２（ｄ）によれば本体には２６個のジャムカウンターがあり、コードＮｏ．１のカウンターは１回ジャムを検知し、コードＮｏ．９のカウンターは２回ジャムを検知していること等が分かる。図６２（ｅ）についても同様である。
　【０３１５】
　以上のようにＰ３モードにおいては、従来の１項目ずつの表示に比較し各種のヒストリーがそれぞれ１画面上に表示されるので、作業者は一目で各ヒストリーを確認できるものである。
　【０３１６】
（５）Ｐ５モード
　Ｐ５のサブシステムチェックは、マーキングのサブシステムの単体動作あるいはセットアップ動作を自動的に実行させてチェックするものであり、図６３に示すように１４のモードを有している。
　【０３１７】
　図６４にＰ５モードの表示画面の例を示す。
　まず、適当なファンクションキーを押しながら電源ＯＮすると、ダイアグモードに入り（図５６（ａ））、この状態でテンキー５を押すと、Ｐ５システムチェックに入り、画面表示は図６４（ａ）に示すようにＰ５モードに入ったことを表示する。そして、例えばパッチジェネレータリモート（ＰＧＲＥＭ）セットアップ用コードである１０を入力すると、表示画面は図６４（ｂ）のようにチェックモード表示となり、この状態でスタートキーを押すと、パッチジェネレータリモートセットアップが自動的に実行される。この時の表示画面は図６４（ｃ）のようにコードナンバー１０、パッチ領域の電圧を示すＶＰＧＡ、及びモニターするリモート値が表示される。そして、ストップキーを押すと、図６４（ｂ）の表示画面に戻り、この状態でＰキーを押すと、自己診断モードの初期画面に戻る。また、図６４（ｂ）の表示画面にある状態で、クリアキーを押すと、図６４（ａ）の表示画面の状態になり、他のチェックコードが入力可能になる。こうして、各チェックモードに応じたコードナンバーを入力することにより、ダイアグモードにおける各モードを走らせることができる。
　【０３１８】
（６）Ｐ６モード
　Ｐ６はパラメータ設定、即ち、マシンのばらつきをなくし、設計値通りの状態にするためにＮＶＲＡＭの値を調整するモードである。
　【０３１９】
　図６５にパラメータ設定を行う際の操作のフローチャートを、図６６に表示画面の例を示す。
　先ず、所定のキー操作により図５６（ａ）のダイアグモードの初期画面を呼び出し、テンキーで６を入力すると図６６（ａ）に示すＰ６モードの初期画面が表示される。この状態でコードＮｏ．を入力すると該コードＮｏ．によって指定された項目に対するマシン制御のパラメータの現在の設定値（ＣＵＲＲＥＮＴ）および初期値（ＩＮＩＴＩＡＬ）が表示されるが、いま、ＤＡＤＦ原則開始タイミングのパラメータを確認するためにコードＮｏ．５００を入力すると、画面は図６６（ｂ）に示すように変わり、スタートキーが押されると、図６６（ｃ）に示すように入力されたコードＮｏ．３１を先頭に１０コード分のコードＮｏ．と、そのコードＮｏ．に該当するモードの現在の設定値および初期値が表示される。この画面からコードＮｏ．５００〜５０２の設定値は１２８であり、初期値は１００であることが分かる。コードＮｏ．５０３〜５０９は使用されていないのでＮＧ（Ｎｏ　Ｇｏｏｄ）という表示がなされている。このときスタートキーボードが押されたので、始めてマシンは動作し、コードＮｏ．５００のカレント値である１２８をＮＶＭから読み出す。
　【０３２０】
　図６６（ｃ）に示すように、入力されたコードＮｏ．から連続する１０のコードを表示するのは、コード番号はばらばらに付されるのでなく、関連するもの毎に付されるのであり、また、あるパラメータを変更する場合には関連する箇所のパラメータを参照する必要があるからである。これに対して従来は、パラメータ値の表示は一度には１つしか表示されないので、パラメータを変更しようとすると、関連するパラメータ値を一つ一つ入力することによって参照していたが、上述した表示によれば一つのコードＮｏ．を入力するだけで関連するコードＮｏ．のパラメータも表示されるので作業効率を向上させることができるものである。なお、図６６（ｃ）では連続する１０コードを表示するようになされているが、いくつのコードを表示するかは必要に応じて決定できるものである。
　【０３２１】
　また、図６６（ｃ）において初期値を表示するのは、ＮＶＲＡＭの値を調整する際には初期値が目安になるからである。従来は現在の設定値だけが表示されていたが、上記の表示では初期値をも表示しているので、初期値を知るためにコード表を参照する必要はなく、この点でも作業効率を向上できるものである。
　【０３２２】
　図６６（ｃ）の状態でコードＮｏ．５００の設定値を１２８から１０５に変更しようとしてテンキーで１０５を入力すると、画面は図６６（ｄ）に示すように、コードＮｏ．５００の行の表示が白黒反転され、カレント値が１０５に変わる。この状態でスタートキーが押されると画面は図６６（ｅ）に示すように白黒反転表示から通常の表示状態に戻ると共にＮＶＭには１０５が書き込まれる。このように設定値を書き換える箇所の表示を白黒反転表示することによって作業者は容易に作業内容を確認することができ、結果として作業効率を向上させることができるものである。
　【０３２３】
　図６６（ｅ）の状態から次にコードＮｏ．５０２の設定値を更新しようとする場合には、カスケードキーでカーソルを上下させるか、または画面をスクロールさせて５０２の位置にカーソルを合わせ、上記の操作を行えばよい。従来、設定値を変更する場合にはコードＮｏ．を一つ一つ入力しなければならなかったが、カスケードキーで所望の位置にカーソルを移動させるだけでパラメータ設定を行うことができるので、パラメータ設定の作業をスピードアップさせることができる。
　【０３２４】
　なお、図６６（ｂ）の状態でクリアキーを押せば入力されたコードＮｏ．をクリアして図６６（ａ）のＰ６モードの初期画面に戻り、図６６（ｃ）の状態、および図６６（ｅ）の状態でストップキーを押せば図６６（ｂ）の画面に復帰し、また、どの画面の状態においてもＰキーを押すことによりダイアグモードの初期画面（図５６（ａ））に戻ることができる。
　【０３２５】
　以上の説明において、テンキーで設定された設定値が設定範囲の上限より大きい場合には設定範囲上限値に自動的に補正され、設定範囲下限より小さい場合には設定範囲下限値に自動的に補正されるようになされている。
　【０３２６】
（７）Ｐ８モード
　Ｐ８は優先トレイの変更、オートクリア有無の指定、ＡＰＳ（自動用紙選択）／ＡＴＳ（自動トレイ選択）の有無の設定等、マシンの機能をユーザの希望するモードに変更するものである。図６７にモード設定の種類とそのコードＮｏ．の一部を示すが、ユーザの種々の要求に対応できるように多くのモード設定を行うことができるようになされている。
　【０３２７】
　以下、図６８のフローチャートと図６９の表示画面の例を参照してＰ８のモード設定を行う際の手順を説明する。
　【０３２８】
　先ず、所定のキー操作により図５６（ａ）のダイアグモードの初期画面を呼び出し、テンキーで８を入力すると図６９（ａ）に示すＰ８モードの初期画面が表示される。この状態で、いま、ソータの１ビンに収納する枚数を設定するためにコードＮｏ．３１をテンキーで入力すると、画面は図６９（ｂ）に示すように変わり、スタートキーが押されると、図６９（ｃ）に示すように入力されたコードＮｏ．３１を先頭に１０コード分のコードＮｏ．と、そのコードＮｏ．に該当するモードの現在の設定値（ＣＵＲＲＥＮＴ）および初期値（ＩＮＩＴＩＡＬ）が表示される。コードＮｏ．３４〜４０は使用されていないのでＮＧ（Ｎｏ　Ｇｏｏｄ）という表示がなされている。このときスタートキーボードが押されたので、始めてマシンは動作し、コードＮｏ．３１のカレント値である５０をＮＶＭから読み出す。ここでコードＮｏ．３１のモードのカレント値を５０から２５に変更しようとしてテンキーで２５を入力すると、画面は図６９（ｄ）に示すように、コードＮｏ．３１の行の表示が白黒反転され、カレント値が２５に変わる。この状態でスタートキーが押されると画面は図６９（ｅ）に示すように通常の表示状態に戻ると共にＮＶＭには２５が書き込まれる。この場合、カーソルがコードＮｏ．３１の箇所にあるのでテンキーで所望のカレント値を入力すれば足りるが、もし図６９（ｃ）の状態でコードＮｏ．３４のモードの設定を変更しようとする場合には、カーソルをカスケードキーによりコードＮｏ．３４の箇所に移動させて上述した操作を行わなければならない。なお、図６９（ｂ）の状態でクリアキーを押せば入力されたコードＮｏ．をクリアして図６９（ａ）のＰ８モードの初期画面に戻り、図６９（ｃ）の状態、および図６９（ｅ）の状態でストップキーを押せば図６９（ｂ）の画面に復帰し、また、どの画面の状態においてもＰキーを押すことによりダイアグモードの初期画面（図５６（ａ））に戻ることができる。
　【０３２９】
　以上述べた操作によりコードＮｏ．が付されたモードに付いてはユーザが所望の状態に設定できるのであるが、次に、本複写機におけるモード設定の特徴であるＡＰＳ／ＡＴＳ機能の切り換えについて説明する。
　【０３３０】
　本複写機のようにＡＰＳ（自動用紙選択）およびＡＴＳ（自動トレイ選択）機能を有する複写機において、ＡＴＳモードに設定されていれば、コピーの最中に現在使用されているトレイに用紙がなくなった場合には各トレイの用紙サイズを検索し、同一サイズの用紙が入っているトレイがあれば、自動的にトレイを切り換えてコピー動作が続行されるようになされている。しかし、その一方、トレイによっては色紙、ＯＨＰ用紙等の特殊用紙が入れられるものもあり、その場合に用紙サイズが同じだからといってＡＴＳ機能により特殊用紙が入ったトレイが選択されると、色紙、ＯＨＰ用紙等の特別な用紙にコピーされてしまうという不都合が生じることになる。
　そこで、本複写機のダイアグモードのＰ８ではＡＰＳ／ＡＴＳ機能の有無の設定を行えるようにしたのである。
　【０３３１】
　さて、図６７に示されているように当該モードはコードＮｏ．７３が付されているので、上段トレイをＡＰＳ／ＡＴＳの対象から外す場合には、図６９（ａ）の状態でテンキーから７３を入力してスタートキーを押し、７３〜８２のコードＮｏ．、およびそのカレント値と初期値が表示された状態でテンキーで１を入力しスタートキーを押せばよい。なお、ＡＰＳ／ＡＴＳモードの有無の設定は一般的には全てのトレイに対して行うことができるが、上記の説明で上段トレイに限ったのは、特殊用紙は上段トレイに入れられる場合が多いからである。
　【０３３２】
　図７０に上段トレイがＡＰＳ／ＡＴＳの対象から外された場合のトレイ選択の判定処理のフローチャートを示す。即ち、以下の説明においては上段トレイはＡＰＳ／ＡＴＳの対象から外されているものとする。
　【０３３３】
　選択トレイ判定処理においては、先ずステップＳ１で現在使用中のトレイの用紙の有無が判断される。この判断は図７１に示すトレイステータステーブル、および図３０（ｄ）のコピーモードテーブルを参照することで行うことができる。つまり、トレイステータステーブルは図７１に示すように全部で１２バイト構成のテーブルであり、上段トレイからデュープレックストレイまでの各トレイについてそれぞれ２バイトで用紙の有無、用紙サイズ等のトレイの状態を示すものであり、更に図３０（ｄ）のテーブルのＴＲＡＹの項で現在使用しているトレイが分かるから、これらの情報を参照することによりステップＳ１の判断を行うことができるのである。なお、図７１において、Ｃ３とあるのはトレイが本体にセットされていないことを示すコードである。
　【０３３４】
　さて、図７０のステップＳ１でまだ用紙が有ると判断されると当該トレイを使用し続け、用紙が無い場合にはステップＳ２で現在ＡＰＳモードが選択されているのかどうかが判断される。この処理は図３０（ｄ）のコピーモードテーブルのＡＰＭＳ　ＳＴＡＴＥの項を参照することにより行うことができる。本複写機のＰ８においては、ＡＰＳモードの場合に限ってＡＰＳ／ＡＴＳの有無の設定が可能なようになされているから、ステップＳ２でＡＰＳモードでないと判断されるとステップＳ７に分岐して画面状にノーペーパーである旨を表示して処理を終了し、ＡＰＳモードであればステップＳ３において、これまで使用していた用紙と同じサイズの用紙が入ったトレイの有無が判断される。この処理も図７１に示すトレイステータステーブルおよび図３０（ｄ）のコピーモードテーブルを参照することで行うことができる。つまり、トレイステータステーブルのサイズの項目を参照すれば各トレイに収納されている用紙のサイズを知ることができ、またコピーモードテーブルのＴＲＡＹの項から現在使用中のトレイＮｏ．が分かるから、当該トレイの用紙サイズと同じサイズの用紙が収納されているトレイＮｏ．を検索すればよい。
　【０３３５】
　同一サイズの用紙が入ったトレイが見つかればステップＳ４で当該トレイが上段トレイであるかが判断される。この処理はトレイステータステーブルのトレイＮｏ．を参照することにより行うことができる。上段トレイでなければステップＳ６で当該トレイを次に使用するトレイとしてコピーモードテーブル（図３０（ｄ））のＴＲＡＹの項に当該トレイのトレイＮｏ．を書き込み、処理を終了する。ステップＳ４で同一サイズの用紙が入ったトレイが上段トレイと判断されると、ステップＳ５で上段トレイがＡＰＳ／ＡＴＳ禁止モードか否かが判断される。上述したところからＡＰＳ／ＡＴＳモードが禁止されているか否かはＮＶＲＡＭで設定されるから、このステップＳ５の処理はＮＶＲＡＭの値を参照することにより行うことができる。この場合上段トレイはＡＰＳ／ＡＴＳモードが禁止されている状態にあるから、再びステップＳ３に戻ってトレイステータステーブルの次のトレイＮｏ．以下のトレイについて検索を行う。ステップＳ３以下の処理の結果、同一サイズの用紙が入ったトレイがなければステップＳ７に分岐して画面上にノーペーパーである旨を表示して処理を終了する。
　【０３３６】
　以上述べてきたように、本複写機のダイアグモードのＰ８において、所定のトレイをＡＰＳ，ＡＴＳモードの対象から外すことができるようにしたので、特殊用紙を使用する場合に不都合が生じることを防止できるものである。
　【０３３７】
（ＩＩＩ−７）ジャム画面表示
　ジャムが生じたときどのような画面を表示するかは図３６で簡単に説明したが、以下、詳細に説明する。なお、データ構造、データの流れあるいは通信方式等は詳細に説明してあるので重複を避けて必要最小限にとどめることにする。
　【０３３８】
　複写機においては原稿の搬送路およびコピー用紙の搬送路にはジャムを検知するために多くのセンサが配置されている。本複写機においては、特にデュープレックストレイを使用する場合にはコピー用紙の搬送路は数メートルにも及び、それだけジャムの可能性が高くなるので、図７２に示すように本体には１４箇所、ソータおよびＤＡＤＦにはそれぞれ５箇所にセンサが配置されている。これら各センサのセンサ番号と名称を図７３に示す。図７２のセンサに付されているＳ１、Ｓ２、…という番号はそれぞれ図７３のセンサ番号１、２、…に対応している。また、図７２、図７３からセンサ番号１〜１４のセンサは本体に配置されており、センサ番号２１〜２５のセンサはソータに配置されており、センサ番号３１〜３５のセンサはＤＡＤＦに配置されていることが分かる。
　【０３３９】
　ジャムのデータの流れは次のようである。各トレイの制御、コピー用紙のフィード制御等を行うためにＣＨＭサブシステムが設けられていることは（Ｉ−３）項で述べたところであるが、該ＣＨＭサブシステムは上記のセンサをも監視しており、これによりジャムが検知される。ジャムが検知されるとＣＨＭサブシステムはインターフェースコマンドでＳＱＭＧＲサブシステムに通知し、更にＳＱＭＧＲサブシステムはＵ／Ｉサブシステムに通知する。これによりＵ／Ｉサブシステムは所定のジャム画面を表示するのである。
　【０３４０】
　以上のように本複写機内には多くのセンサが配置されているが、通常ジャムの表示を行う際には必ずしもセンサ毎に表示する必要はなく、ゾーン毎に表示すれば足りるから、以下の説明では本体は図３６ａに示すように本体は１０のゾーンに分けられているものとし、ＩＮＰＵＴジャム、即ち原稿ジャム、およびＯＵＴＰＵＴジャム、即ちソータでのジャムも同様にゾーン毎に表示するものとする。
　【０３４１】
　次にジャム画面をどのように構成すればよいかを考えてみる。まず考えられるのは、一目でジャムゾーンを確認できるように、ジャムを生じている全てのゾーンを一つの画面で表示することである。そのためには、ジャムゾーンの全ての組み合わせの画面を用意するか、またはジャムゾーンを示す画面を一つ用意し、ＳＱＭＧＲサブシステムから送られてくるジャムデータからどのゾーンでジャムを生じているかを判断し、ジャムを生じている全てのゾーンに対して白黒反転表示のデータを与えるとか、ブリンクデータを与えるといった処理が必要になる。しかし、前者は膨大なメモリ容量を必要とするので現実的ではなく、後者については、処理が複雑になるので処理速度の点からみても得策でないばかりか、他の表示の際のデータ構造と異なってくるという点でも得策でないのである。従って、本複写機においては、一つのゾーンに対して一つの画面を用意して各画面に優先順位を付けておき、複数のゾーンでジャムが生じている場合には上記優先順位に従って順次所定時間毎に画面を切り換えるようにする。これによれば必要なメモリ容量もそれほどではなく、制御も容易である。
　【０３４２】
　さて、ジャムの分類としては次の二つがある。一つはセンサによる検知方式による分類であって、上述したようにＯＮジャムとＯＦＦジャムがあり、それぞれ、センサがコピー開始から所定時間経過してもＯＮしない場合、センサがＯＮした後所定時間経過してもＯＦＦしない場合に検知されるものである。もう一つは、マシン動作中に生じたジャムか、またはジャムが解消されないまま電源が切られ、次に電源を投入したときに検知されたジャムで、前者をダイナミックジャム、後者をスタティックジャムという。
　【０３４３】
　本複写機ではダイナミックジャムとスタティックジャムの双方に適用できるが、以下はスタティックジャムに適用した場合について説明する。
　【０３４４】
　図７４にスタティックジャムの表示制御のフローチャートを示す。先ず、ステップＳ１１でスタティックジャムが発生しているか否かが判断される。この判断は次のようにして行うことができる。Ｕ／ＩサブシステムはＳＱＭＧＲサブシステムからジャムステータス情報を受け取る。その構造は図７５に示すように、全体で５バイトのテーブルであり、原因ジャムコードＮｏ．に１バイトを使用し、残りの領域には、３３−２，１−４，…というジャムが生じているゾーンを示すコードが１ビットで格納されている。図７３に示されているようにジャムセンサは２４個であるからジャムゾーンコードは最大２４個である。従ってジャムゾーンコードを格納するには３バイトあれば足りるが、ＭＳＢは通常フラグ等の特別な用途に使用されるのでＭＳＢを除くため４バイト構成になされている。そして、このジャムゾーンを示すコードＮｏ．に対応して１枚のジャム画面が用意されている。従って、該ジャムステータステーブルを参照すればスタティックジャムが生じているか否かを判断できることになる。なお、図７５の原因ジャムコードというのは図７６のジャム時のマシン動作およびオペレータの動作の例を示す図のジャムコードの欄に記載されている番号である。例えば一番上の行によれば、センサＮｏ．が１である上段トレイのフィードアウトセンサが用紙を検出しないことによって生じるＯＮジャムのコードＮｏ．は３であることが分かる。また、表示画面の欄から、このジャムの場合には１−３というコードの画面が表示されることが分かる。なお、図７６において「↑」印は上の欄と同じ意味であることを示す。
　【０３４５】
　ステップＳ１１でスタティックジャムが生じていなければ再びステップＳ１１に戻り、スタティックジャムが発生するまで待機する。スタティックジャムが発生していればステップＳ１２で全てのジャムがクリアされているかどうか判断される。この判断もジャムステータステーブルを参照することによって行うことができる。スタティックジャムが発生していてもオペレータがすぐにジャムをクリアしていればジャム画面を表示する必要はないから、ステップＳ１２の判断が必要なのである。従って、ステップＳ１２で全てのジャムが解消されていればステップＳ１６に分岐してジャム画面をクリアして処理は終了するが、ステップＳ１２で未だにジャムが解消されていないと判断されると、ジャム画面の表示を行うためにステップＳ１３以下の処理が行われる。ステップＳ１３ではジャムカウンタの値が発生しうる全てのジャムの数に等しいか否かが判断される。この判断の意味は次の通りである。図７５に示されているようにジャムゾーンコードの領域として２８ビット分が用意されているからどのゾーンでジャムが発生しているかを知るためには、これら２８ビットの領域を全て検索しなければならない。この処理を行うのがステップＳ１３である。つまり、図７５の例ではステップＳ１３の右辺の値は２８である。最初にステップＳ１３の判断処理を行う場合のジャムカウンタの値は０であり、このとき１バイト目のＬＳＢをアクセスしてジャムゾーンコードが書き込まれているかどうか検索する。図７５の例では１−４というジャムゾーンコードが格納されているからステップＳ１４で当該ジャムゾーンコード１−４に対応するジャム画面のコードＮｏ．をスタティックジャムテーブル（図示せず）に登録する。次にステップＳ１５でジャムカウンタの値に１を加えてステップＳ１３に戻る。このときジャムカウンタの値は１になっているが２８に等しくないのでジャムステータステーブルの１バイト目の２ｎｄＬＳＢをアクセスしてジャムゾーンコードが書き込まれているかどうか検索する。図７５の例では１−３というジャムゾーンコードが格納されているからステップＳ１４で当該ジャムゾーンコード１−３に対応するジャム画面のコードＮｏ．をスタティックジャムテーブルに登録し、ステップＳ１５でジャムカウンタをインクリメントしてステップＳ１３に戻る。なお、この処理の過程において、ジャムステータステーブルのジャムゾーンコードが書き込まれていないビットを検索した場合にもジャムカウンタはステップＳ１５でインクリメントされる。この処理を２８回繰り返すと全てのジャムゾーンコードを検索できる。そして、ジャムカウンタの値が２８になるとステップＳ３からステップＳ１７に分岐してスタティックジャム画面の表示を行い、処理は終了となる。
　【０３４６】
　図７４のステップＳ１７のスタティックジャム画面表示のサブルーチンを図７７に示す。
　先ず、ステップＳ２１でジャムキューカウンタ（ＪＡＭ　ＱＵＥ　ＣＯＵＮＴＥＲ）の値が０でないかが判断される。ジャムキューカウンタというのは上記のスタティックジャムテーブルに幾つのジャム画面が登録されているかを示すカウンタで、図７５の例ではジャムゾーンコードは２３個格納されており、１つのジャムゾーンコードに対して１つのスタティックジャム画面が用意されているから、この場合ジャムキューカウンタの値は２３である。ジャムキューカウンタの値が０ということはスタティックジャムカウンタに登録されているスタティックジャム画面が無い、つまりスタティックジャムは生じていないことを意味し、この場合はスタティックジャム画面を表示する必要はないことになる。以上の理由でステップＳ２１の判断が行われるのである。従って、ステップＳ２１の判断がＮＯ、つまりジャムキューカウンタの値が０であれば処理は終了となる。ステップＳ２１でジャムキューカウンタの値が０でなければ、次にステップＳ２２でジャムディスクカウンタ（図示せず）をリセットしてスタティックジャムテーブルからスタティックジャム画面のコードＮｏ．を一つ抽出し、該スタティックジャム画面のコードＮｏ．をジャムディスクカウンタに登録する。ジャムディスクカウンタというのは、どのスタティックジャム画面を表示するのかを示すポインタであり、表示されるべきスタティックジャム画面のコードＮｏ．が一つだけ登録される。そしてステップＳ２３では、ジャムディスクカウンタに登録されたスタティックジャム画面をディスプレイに表示する。次にステップＳ２４でジャムキューカウンタの値が１より大きいかが判断される。ジャムキューカウンタの値が１、即ちスタティックジャムの生じている箇所が１箇所である場合には、ステップＳ２３で表示されている画面を表示し続けることになり、スタティックジャムが複数箇所で生じている場合には順次表示する必要があるのでこの判断が設けられているのである。従って、ステップＳ２４でジャムキューカウンタの値が１であればサブルーチンの処理は終了して当該ジャムが解消されるまで画面表示を続行し、ジャムキューカウンタの値が１より大きい、即ちスタティックジャムが複数箇所で生じている場合には、ステップＳ２５の処理が行われる。ステップＳ２５はジャムディスクカウンタのポインタを更新する処理である。つまり、ステップＳ２２でジャムディスクカウンタに登録されたスタティックジャム画面Ｎｏ．はステップＳ２３で表示されたので、次に表示するスタティックジャム画面のコードＮｏ．をジャムディスクカウンタに登録する必要があるが、ステップＳ２５ではそのため処理を行っているのである。ステップＳ２５でジャムディスクカウンタがインクリメントされると、所定の時間、例えば５秒間のタイマーをセットする。この処理によりステップＳ２３で表示されたスタティックジャム画面は５秒間だけ表示されることになる。５秒を経過すると再びステップＳ２１以下の処理が行われる。このようにして全てのジャムが解消されるまで、スタティックジャムテーブルに登録されたスタティックジャム画面が５秒間づつ繰り返し表示されることになる。
　【０３４７】
　なお、ジャム画面が順次表示されているときにある箇所のジャムが解消された場合には、当該ジャムゾーンのコードＮｏ．はジャムステータステーブルから削除され、従ってスタティックジャムテーブルからも削除されるので、以後表示されることはない。
　【０３４８】
　図７７のステップＳ２３で表示される順序は予め定められた優先順位に従うようになされる。そのためには、ジャムステータステーブルにジャムゾーンのコードＮｏ．を登録する際に優先順位に従って登録してもよいし、スタティックジャムテーブルに登録されたスタティックジャム画面Ｎｏ．を優先順位でソートしてもよいものである。
　【０３４９】
　優先順位は任意に定めてよいが、例えばＩＮＰＵＴ　ＵＮＩＴ（原稿廻りのジャム）、本体、ＯＵＴＰＵＴ　ＵＮＩＴ（ソータ廻りのジャム）の順とすることができる。更に、本体では例えば図３６ａに示すゾーンＮｏ．順に優先させるようにすることができる。ＩＮＰＵＴ　ＵＮＩＴ、ＯＵＴＰＵＴ　ＵＮＩＴについても同様に適宜優先順位を定めることができる。
　【０３５０】
　図７８にスタティックジャム画面の例を示す。図７８ａは表示位置を示す図で、領域Ａは図３２ａのメッセージ領域Ａと同じであり、ここにはメッセージが表示されると共に図の斜線の部分にはジャムの発生原因がコード番号で表示される。このコード番号は図７６のジャムコードの欄に記載されている番号である。ユーザは当該コードＮｏ．の意味は理解できないにしても、例えば電話で問い合わせをする場合には、ジャムコードＮｏ．を知らせることによって速やかな対応が可能である。また、図７８ａの領域Ｂは図３２ａの設定状態表示領域Ｂと選択領域Ｃを含むものであり、この領域にはジャム画面が表示される。
　【０３５１】
　図７８ｂに示すのは下段トレイで生じたジャムの画面の例である。この図において、下段トレイは黒く塗りつぶされているが、ブリンクを行わせてもよいものである。このときには図７８ａの領域Ａには例えば「紙づまりです使用中の用紙トレイを引き出し一番上の用紙を取り除いてください。」というメッセージが表示される。この図に示す画面が下段トレイのＯＮジャムのジャム画面であるとすると、図７６を参照すれば、当該ジャムはジャムＮｏ．は７で、当該表示画面は１−１というコードＮｏ．であることが分かる。また、このときモータ１、２およびベルトクラッチは直ちに停止されるのではなく、ジャム紙より先行している用紙は排出し、ビリングしてから停止される。これがコンポーネントの欄のＳ（ソフトダウン）の意味である。フューザはＮ／Ａ（Ｎｏ　Ａｃｔｉｏｎ）、即ちそのまま動作し続けるようになされている。マシン動作の停止後、ユーザが使用中のトレイを引き抜いてジャム紙を除去し、トレイを元に戻すことでセンサＮｏ．３のセンサがＯＦＦになればジャムがクリアされることになる。
　【０３５２】
　図７８ｃは本体のゾーン１で生じたジャムの画面の例である。この図において、本体のゾーン１の部分は黒く塗りつぶされているが、ブリンクを行わせてもよいものである。このとき所定のメッセージが表示されることはいうまでもない。この図に示す画面が上段トレイのＯＦＦジャムのジャム画面であるとすると、図７６を参照すれば、当該ジャムはジャムＮｏ．は４で、当該表示画面は２−１というコードＮｏ．であることが分かる。また、このときモータ１、２およびベルトクラッチはソフトダウンされ、フューザはそのまま動作し続ける。そして、ジャムクリア方法の欄に記載されている手順でジャム紙を取り除いてセンサＮｏ．が１，２，３，５のセンサがＯＦＦになればジャムがクリアされることになる。
　【０３５３】
　以上のジャム画面を表示するについては図７８ｂ，ｃに示すようなパターンをそのときの画面に上書きするようにしてジャムが生じる直前の画面を少し残しておくようにする。これは、ユーザが直前の画面の情報、即ちどのようなコピーをしていたのかという情報を必要とすることがあるからである。
　【０３５４】
　以上、スタティックジャム時のジャム画面の表示について説明してきたが、ダイナミックジャム時にも同様にできることは明かである。
　【０３５５】
（ＩＩＩ−８）ベースモード決定方式
　ここではベースモード決定方式について説明する。
　【０３５６】
　本複写機は徹底した多機能化、自動化が図られているが、これら各機能の組合せによってはコピー実行条件が決定されない場合があり、通常、このような矛盾を含む機能の組合せが設定され、コピー実行条件が決定されない場合にはＪコードメッセージを表示してユーザに対して注意を喚起するようになされる。例をあげると次のようである。
　【０３５７】
　▲１▼ＡＭＳモードでＡＰＳモードが選択された場合には用紙サイズもコピー倍率も決定できないことは上述したところである。このときは例えば「自動用紙選択モードで自動倍率モードは行えません」というＪコードメッセージが表示される。
　【０３５８】
　▲２▼コピー枚数は自然数をもって設定しなければならないので、コピー枚数が０でスタートキーが押されたときは複写機は動作しない。このときは例えば「コピー枚数をセットしてください」というＪコードメッセージが表示される。
　【０３５９】
　▲３▼ＬＤＣモードでＡＰＳモードが選択された場合、ＬＤＣは第１走査系（キャリッジ）を固定した状態でＡＤＦ等の原稿送り装置により原稿を送ることで大きな原稿をコピーするモードであり、従って、原稿サイズは決定されないのに対して、ＡＭＳモードは原稿サイズが決定されないと機能しないから、この組合せが指示された場合にはコピー実行条件が矛盾しているとして、例えば「特殊原稿Ａ２／Ｂ３で自動用紙選択は使えません」というＪコードメッセージが表示される。
　【０３６０】
　以上のように種々のＪコードメッセージを表示することにより、ユーザに対して矛盾を含むコピー実行条件の回避を要求するのであるが、しかし一方、ユーザ側にしてみれば複写機の機能あるいは動作を熟知している訳ではなく、コピーする場合にいちいちその機能あるいは動作を考慮してコピー実行条件を設定するわけでもないから、日常的にある程度の頻度で併用できない機能を選択してしまうケースが発生することは避けられない。このように、多機能化された装置であっても操作が複雑で誤操作する機会が頻繁に生じると、いわゆる使い勝手が悪く便利な装置とは思われず、高機能化、全自動化を目的として開発された複写機にとっては好ましくないものとなる。
　【０３６１】
　これに対して、互いに矛盾する機能の組合せが設定された場合に自動的にカスケードを移動させるようにすることによりＪコードメッセージを表示しないようにすることが考えられ、ＡＭＳモードとＡＴＳモードが選択された場合には当該処理を行うことは既に述べた（ＩＩＩ−５のＤ項参照）。
　【０３６２】
　この項で述べるのも同様な処理であるが、モードの組合せが異なっている。
　さて、いまＬＤＣモードとＣＦＦモードについて考えてみると次のようである。ＬＤＣは第１走査系（キャリッジ）を固定させた状態とし、ＡＤＦ等の原稿送り装置により原稿を送ることで大きな原稿をコピーするモードである。従って、原稿サイズは決定されないのでＡＭＳモードとすることはできない。なぜなら、ＡＭＳモードは原稿サイズが決定されないと機能しないからである。従って、通常この組合せが指示された場合にはコピー実行条件が矛盾しているとしてＪコードメッセージが表示されることになる。また、ＡＰＳモードは原稿サイズが決定できないと機能しないから、ＬＤＣとＡＰＳの組合せに対しても通常はＪコードメッセージが表示される。
　ＣＦＦモードにおいても第１走査系は固定されるので、同様の事情によりＡＰＳモードとの組合せは禁止されている。
　【０３６３】
　しかし、上記の３つの組合せの場合には、よく使われる標準的なコピー実行条件を見い出すことができるので、その実行条件を最適な組み合わせ、即ちベースモードとして予め定めておき、ユーザによってＬＤＣモード、ＣＦＦモードが指示された場合には自動的に上記予め定められた組み合わせに設定すればＪコードメッセージを表示する必要はなく使い勝手のよいユーザインターフェースを構築することができる。
　【０３６４】
　先ず、ＬＤＣモードが指示された場合の処理を図２８および図７９のフローチャートを参照して説明する。
　先ず、ステップＳ３１でモードインプットを指示するキーが押下されるまで待機し、モード入力が行われるとステップＳ３２で入力されたモードがＬＤＣモードか否かが判断され、ＹＥＳであればステップＳ３３において、ステップＳ３１で指示される前のモードがＬＤＣモードであったかどうかが判断される。
　【０３６５】
　ここまでの処理は実際には次のようにして行われる。いま、ユーザがキー操作によりＬＤＣモードを選択したとすると、操作された物理キーデータはキー変換部３６３で論理キーデータに変換され、ステートテーブル３７１でキー受付が可能であればキー管理部３７４で入力されたモードデータがＬＤＣモードであると確定される。このことによりＳ３２の処理を行うことができる。なお、このときキー管理部３７４でＬＤＣモードであるという判断がなされなかった場合には、図７９ａの処理は終了し、通常の処理が続行される。キー管理部３７４でＬＤＣモードが確定されると、キーコントロール部３７５は図３０ｄのコピーモードテーブル３７８を検索する。コピーモードテーブル３７８には直前のコピー実行条件が格納されているから、コピーモードテーブル３７８のＬＤＣの項目を参照することによりステップＳ３３の処理を行うことができる。ステップＳ３３でＹＥＳの場合には、直前のコピーはＬＤＣモードではないから、キーコントロール部３７５は当該ＬＤＣモードのデータをコピーモードテーブル３７８の所定の位置に格納し、モードの更新を行うと共に、ステップＳ３４によりベースモードが決定される。なお、コピーモードテーブル３７８を検索した結果、直前のモードがＬＤＣモードであった場合、ステップＳ３３の判断はＮＯであるから処理は終了し、コピーモードテーブル３７８を更新することなくコピーが実行される。つまり、以前にＬＤＣモードが指示されていればそのとき既にベースモードに設定されているから、次にまたＬＤＣモードが指示されたからといって再度ベースモードを設定する処理を行う必要はないからである。
　【０３６６】
　ステップＳ３４の処理は、具体的には図７９ｂに示すように行われる。先ず、ステップＳ３５において、予め定められているＬＤＣベースコードテーブルに基づいてコピーモードを作成する。
　【０３６７】
　ＬＤＣベースモードテーブルの例を図８０に示す。図８０によれば、ＬＤＣモードが指示されたときには倍率は１００％に固定される。上述したようにＬＤＣモードのときには倍率を自動選択にすることはできないからである。従って、等倍微調整は無しとされる。また、トレイは、手差しトレイ（ＭＳＩ）が付いているものでは手差しトレイが設定され、手差しトレイが付いていない場合には下段トレイが設定される。ＬＤＣモードでのコピーは基本的にはＡ２サイズあるいはＢ３サイズという大きい原稿に対して大きい用紙でコピーを行うため、ＭＳＩ以外のトレイにはセットできないのでＭＳＩをベースモードとし、ＭＳＩが付いていない場合には、強制的に下段トレイを設定する。編集／合成は無しとされ、両面コピーはＳ／Ｓモード、即ち原稿、コピー共に片面に設定される。編集／合成および両面コピーは基本的に両面トレイ（ＤＵＰＬＥＸ　ＴＲＡＹ）を使用するモードであり、ＬＤＣモードを使用しなければならない大きい用紙は両面トレイには収納できないので上記のように設定している。また、アウトプットはコピー受付が設定される。これは通常のアウトプットは大型原稿を搬出できないためである。とじしろは選択可能であるがあまり意味のないことなので無しに、枠消しは標準枠消しに設定され、更に排出面は、大きい原稿を面を指定して排出することはできないので自動に、それぞれ設定される。
　以上の条件はＬＤＣモードの場合によく使用されている条件であるのでベースモードとしたが、勿論、この条件に限定されるものではない。
　【０３６８】
　以上のベースモード設定の処理は、キーコントロール部３７５がベースモードテーブルのデータをコピーモードテーブル３７８の該当する項目を更新することで行われる。
　【０３６９】
　ステップＳ３５の処理が終了するとステップＳ３６でカスケードの表示位置を移動させる処理を行う。つまり、カスケードの表示位置をベースモードで設定された通りの位置に移動させるのである。この処理は次のように行われる。キーコントロール部３７５がコピーモードテーブル３７８の内容を把握し、表示管理部３７７に表示制御情報（インターフェースコマンド）を渡すと、表示制御部３６９は当該インターフェースコマンドを解析し、表示制御データ３６７を更新する。するとダイアログ編集部３６６は表示制御データ３６７の画面番号、表示変数等のデータに基づいて、画面の基本フレーム、表示データをダイアログデータ３７０から読み出し、更に変数データについては表示制御データ３６７の表示変数情報に従って表示データを決定して画面を編集し、Ｖ−ＲＡＭ３６５に表示する画面を書き込む。
　【０３７０】
　以上のようにして表示される画面の例を図３３を参照して説明する。ＬＤＣモードは応用コピーであるので、先ず図２５の応用コピーキー３０９を押して図３３ａの応用コピーの画面を表示し、当該画面でその設定を行う。カスケードは全ての項目が最下段、即ちデフォルトの状態にあり、特殊原稿はなし、とじしろなし、単色カラーは黒、ＯＨＰ合紙はなし、排出面は自動にそれぞれなされている。従って、カスケードキーを操作して特殊原稿の欄のカスケードを「Ａ２／Ｂ３（ＬＤＣ）」の箇所に移動させることによりＬＤＣモードを設定することができる。この操作により図７９の処理が行われて図８０のベースモードが決定されると、カスケードはベースモードで決定される位置に表示されることになるが、ベースモードにおいても、とじしろはなし、排出面は自動に設定されるから、図３３ａの画面ではカスケードは移動しない。また、ＬＤＣモードを指定するとポップアップが開いて図３３ｃのポップアップ画面が表示され、用紙トレイの欄のカスケードは「手差し」の箇所に自動的に移動される。
　この状態でスタートキーが押されるとベースモードで決定された実行条件でコピーが行われる。
　【０３７１】
　以上がＬＤＣモードが指定された場合の処理であり、次にＣＦＦモードが指定された場合の処理について図８１のフローチャートを参照して説明する。
　処理の内容およびデータの流れは、ベースモードの内容を除いて図７９のＬＤＣモードの場合と同様である。ＣＦＦモードの場合のベースモードテーブルは図８２に示すようであり、トレイは下段トレイが設定され、ＣＦＦサイズは１１インチ、両面コピーはＳ／Ｓにそれぞれ設定される。これは次の理由による。ＣＦＦモードでは原稿サイズが決定されないので自動用紙選択を行うことはできず、従ってトレイを指定しなければならないので、強制的に下段トレイに設定している。また、コンピュータ用紙は１１インチのものが最もよく使用されるのでＣＦＦサイズは１１インチとし、両面コピーについては、当該サイズの用紙はデュープレックストレイに収納できないので、Ｓ／Ｓモードに設定している。
　なお、ベースモードがこれに限られるものではないことはＬＤＣモードの場合と同様である。
　【０３７２】
　ＣＦＦモードは応用コピーであるので、ＬＤＣモードの場合と同様に図３３の画面で、特殊原稿の欄のカスケードを「ＣＦＦ」の箇所に移動させることで行うことができる。ＣＦＦモードが指定されると図３３ｂのポップアップが開く。図から明らかなようにＣＦＦサイズは１１インチが、用紙トレイは下段がデフォルトになっているので、この場合カスケードは移動しない。
　【０３７３】
　以上説明したように、ＬＤＣモードおよびＣＦＦモードが指示された場合にはコピー実行条件は自動的にベースモードテーブルの内容の通りに設定されるのであるが、ベースモードが決定された後に、他のモードを設定することは可能である。例えば、ＬＤＣモードでアウトプットをコピー受付以外に設定してもよいし、とじしろを右とじ、あるいは左とじに設定してもよい。また、ＣＦＦモード時にＣＦＦサイズを１１インチから例えば１０インチに変更してもよいものである。しかし、一旦ベースモードに設定された後に再び矛盾するモードの組合せが選択されてスタートキーが押された場合には、Ｊコードメッセージが表示されることになる。例えば、ＬＤＣモードで自動用紙選択が選択された場合、ＬＤＣモードでは原稿サイズが決定できないので矛盾した機能の組合せと判断されてＪコードメッセージが表示される。また、ＬＤＣモードで両面コピーがＳ／ＤあるいはＤ／Ｄが選択された場合にも、Ｊコードメッセージが表示される。大型原稿および大型用紙をデュープレックストレイに収納することができないからである。
　【０３７４】
　【発明の効果】
　本発明によれば、第１の表示状態の表示中に、操作キーの入力により１つの機能が選択された場合に、表示中である第１の表示状態の一部に第２の表示状態を表示し、表示された下位機能を、複数の操作キーのうちいずれかの操作キーを用いて選択可能とするので、選択可能な機能が多くても、表示画面をスッキリさせることができる。
　また、複数の操作キーのうち、第２の表示状態において表示中の下位機能の選択肢を選択する操作キー以外の操作キーが操作された場合には第２の表示状態の表示を閉じると共に、非使用状態における消費電力の節約と非使用状態から記録動作へと迅速な移行を可能にするための予熱モードに入ったときに、表示中の前記第２の表示状態の表示を閉じるので、第２の表示状態の表示を閉じる際の操作の容易化を図ることができる。
　更に、「表示中である第１の表示状態の一部に第２の表示状態を表示することにより前記複数の上位機能のうち少なくとも１つを不表示状態」とする構成を有するため、表示画面の有効利用ができる。
【図面の簡単な説明】
　【図１】本発明が適用される複写機の全体構成の１例を示す図である。
　【図２】制御系のシステム構成を示す図である。
　【図３】ＣＰＵのハード構成を示す図である。
　【図４】シリアル通信の転送データ構成と伝送タイミングを示す図である。
　【図５】１通信サイクルにおける相互の通信間隔を示すタイムチャートである。
　【図６】プロセッサの状態遷移図である。
　【図７（ａ）】光学系の概略側面図である。
　【図７（ｂ）】光学系の概略平面図である。
　【図７（ｃ）】図７（ｂ）のＸ−Ｘ方向側面図である。
　【図８】レンズ駆動系の構成を示す図である。
　【図９】光学系の制御システム構成を示す図である。
　【図１０】光学系の動作を説明するための図である。
　【図１１】ベルト廻りの概要を示す図である。
　【図１２】感材ベルト上のパネル分割を説明するための図である。
　【図１３】マーキング系の機能の概略を示すブロック構成図である。
　【図１４】マーキング系制御シーケンスのタイミングチャートを示す図である。
　【図１５】用紙搬送系を説明するための側面図である。
　【図１６】用紙トレイの側面図である。
　【図１７】デュープレックストレイの平面図である。
　【図１８】原稿自動送り装置の側面図である。
　【図１９】センサの配置例を示す平面図である。
　【図２０】原稿自動送りの作用を説明するための図である。
　【図２１】ソータの構成を示す側面図である。
　【図２２】ソータの駆動系を説明するための図である。
　【図２３】ソータの作用を説明するための図である。
　【図２４（ａ）】ディスプレイを用いたユーザインターフェースの取り付け状態を示す図である。
　【図２４（ｂ）】ディスプレイを用いたユーザインターフェースの取り付け状態を示す図である。
　【図２４（ｃ）】ディスプレイを用いたユーザインターフェースの取り付け状態を示す図である。
　【図２４（ｄ）】ユーザインターフェースを取り付けた様子を示す正面図である。
　【図２４（ｅ）】ユーザインターフェースを取り付けた様子を示す側面図である。
　【図２４（ｆ）】ユーザインターフェース取り付け構造の例を示す図であり、サポートの下端部の取り付け状態を示す図である。
　【図２４（ｇ）】トップカバーにおけるユーザインターフェース取り付け構造の例を示す図である。
　【図２４（ｈ）】サポート２８６の上端でアンダーカバー２８５を回転可能な構造で固定した例を示す図である。
　【図２５】ディスプレイを用いたユーザインターフェースの外観を示す図である。
　【図２６】Ｕ／Ｉ用ＣＰＵとシリアル通信で接続されたメインＣＰＵとの関係を示す図である。
　【図２７】ユーザインターフェースのハードウエア構成を示す図である。
　【図２８】ユーザインターフェースのソフトウエア構成を示す図である。
　【図２９】インターフェースコマンドの構成例を示す図である。
　【図３０（ａ）】ジョブコントローラに用意されるステートテーブル３７１の例を示す図である。
　【図３０（ｂ）】図３０（ａ）のジョブステートを説明するための図である。
　【図３０（ｃ）】図３０（ａ）のマシンステートを説明するための図である。
　【図３０（ｄ）】コピーモードテーブル３７８の構成を示す図である。
　【図３１（ａ）】画面データの構成例を示す図であり、ダイアログデータのメモリ空間の構成例を示す図である。
　【図３１（ｂ）】基本的なデータ構造例を示す図である。
　【図３１（ｃ）】ダイアログデータの全体のデータ構造例を示す図である。
　【図３１（ｄ）】ダイアログデータが含んでいる種々の性格のデータを基本コピー画面で類別して示す図である。
　【図３１（ｅ）】リファレンスデータの例を示す図である。
　【図３１（ｆ）】変更のない固定カスケードに適用されるデータ構造例を示す図である。
　【図３１（ｇ）】トレイのようなブリンクに適用されるデータ構造の例を示す図である。
　【図３１（ｈ）】予め設定変更が可能なカスケードに適用されるデータ構造例を示す図である。
　【図３１（ｉ）】表示制御データの仕様例を示す図である。
　【図３１（ｊ）】表示制御データの仕様例を示す図である。
　【図３１（ｋ）】表示制御データの仕様例を示す図である。
　【図３１（ｌ）】表示制御データの仕様例を示す図である。
　【図３１（ｍ）】表示制御データの仕様例を示す図である。
　【図３２】基本コピー画面とそのポップアップ画面の例を示す図である。
　【図３３（ａ）】応用コピー画面の例を示す図である。
　【図３３（ｂ）】応用コピー画面のポップアップ画面の例を示す図である。
　【図３３（ｃ）】応用コピー画面のポップアップ画面の例を示す図である。
　【図３３（ｄ）】応用コピー画面のポップアップ画面の例を示す図である。
　【図３３（ｅ）】応用コピー画面のポップアップ画面の例を示す図である。
　【図３４（ａ）】専門コピー画面の例を示す図である。
　【図３４（ｂ）】ジョブメモリーのポップアップ画面の例を示す図である。
　【図３４（ｃ）】ジョブメモリーのポップアップ画面の例を示す図である。
　【図３４（ｄ）】「編集／合成」機能のポップアップ画面の例を示す図である。
　【図３４（ｅ）】「編集／合成」機能のポップアップ画面の例を示す図である。
　【図３４（ｆ）】「編集／合成」機能のポップアップ画面の例を示す図である。
　【図３４（ｇ）】「編集／合成」機能のポップアップ画面の例を示す図である。
　【図３４（ｈ）】「編集／合成」機能のポップアップ画面の例を示す図である。
　【図３４（ｉ）】「編集／合成」機能のポップアップ画面の例を示す図である。
　【図３４（ｊ）】「編集／合成」機能のポップアップ画面の例を示す図である。
　【図３４（ｋ）】「編集／合成」機能のポップアップ画面の例を示す図である。
　【図３４（ｌ）】合成機能のポップアップ画面の例を示す図である。
　【図３４（ｍ）】「等倍微調整」のためのポップアップ画面の例を示す図である。
　【図３５（ａ）】インフォメーション画面の例を示す図である。
　【図３５（ｂ）】インフォメーション画面におけるポップアップ画面の例を示す図である。
　【図３５（ｃ）】インフォメーション画面におけるポップアップ画面の例を示す図である。
　【図３６】ジャム画面の例を示す図である。
　【図３７】レビュー画面と全自動画面の例を示す図である。
　【図３８】画面の切り換え制御を説明するための図である。
　【図３９】画面レイアウトの類別例を示す図である。
　【図４０】（ａ）はキーボードスキャンの設定マップの例を示す図、（ｂ）はＬＥＤスキャンの設定マップの例を示す図である。
　【図４１】表示タイミングを示す図である。
　【図４２】Ｖ−ＲＡＭのアドレス対応例を示す図である。
　【図４３】第１のＶ−ＲＡＭの番地とＣＲＴ表示位置との対応を示す図である。
　【図４４】キャラクタジェネレータの読み出し回路を説明するための図である。
　【図４５】ドットパターンとデータ及びスキャンアドレスの対応例を示す図である。
　【図４６】属性データに従ったビデオ信号の制御回路の構成例を示す図である。
　【図４７】電源オンからコピー動作が開始するまでの全体の処理の流れを説明するための図である。
　【図４８（ａ）】画面編集処理の流れを示す図である。
　【図４８（ｂ）】画面編集処理のためのモジュール構成の例を示す図である。
　【図４９】設定状態表示領域の変更処理の流れを説明するための図である。
　【図５０（ａ）】モード整合チェックのアルゴリズムを説明するための図である。
　【図５０（ｂ）】モード整合チェックのアルゴリズムを説明するための図である。
　【図５０（ｃ）】モード整合チェックのアルゴリズムを説明するための図である。
　【図５１（ａ）】使用可能な付加機能に伴う選択肢制御の処理を説明するための図である。
　【図５１（ｂ）】使用可能な付加機能に伴う選択肢制御の処理を説明するための図である。
　【図５１（ｃ）】使用可能な付加機能に伴う選択肢制御の処理を説明するための図である。
　【図５１（ｄ）】使用可能な付加機能に伴う選択肢制御の処理を説明するための図である。
　【図５２】付加装置と機能との関係を説明するための図である。
　【図５３（ａ）】全自動モードのチェックコントロールの流れを説明するための図である。
　【図５３（ｂ）】インプット決定処理の流れを説明するための図である。
　【図５３（ｃ）】設定枚数入力チェック処理の流れを説明するための図である。
　【図５４（ａ）】待機状態の焼付防止画面による表示処理の例を説明するための図である。
　【図５４（ｂ）】待機状態の焼付防止画面による表示処理の例を説明するための図である。
　【図５４（ｃ）】待機状態の焼付防止画面による表示処理の例を説明するための図である。
　【図５４（ｄ）】待機状態の焼付防止画面による表示処理の例を説明するための図である。
　【図５５】Ｐ０モード時の操作手順のフローチャートを示す図である。
　【図５６】Ｐ０モード時の画面表示の例を示す図である。
　【図５７】Ｐ１モード時の画面表示の例を示す図である。
　【図５８】Ｐ２モード時の操作手順のフローチャートを示す図である。
　【図５９（ａ）】Ｐ２モード時の画面表示の例を示す図である。
　【図５９（ｂ）】Ｐ２モード時の画面表示の例を示す図である。
　【図５９（ｃ）】Ｐ２モード時の画面表示の例を示す図である。
　【図５９（ｄ）】Ｐ２モード時の画面表示の例を示す図である。
　【図５９（ｅ）】Ｐ２モード時の画面表示の例を示す図である。
　【図５９（ｆ）】Ｐ２モード時の画面表示の例を示す図である。
　【図５９（ｇ）】Ｐ２モード時の画面表示の例を示す図である。
　【図５９（ｈ）】Ｐ２モード時の画面表示の例を示す図である。
　【図６０】ヒストリーファイルの内容の例を示す図である。
　【図６１】ＨＦＳＩの種類の例を示す図である。
　【図６２（ａ）】Ｐ３モード時の画面表示の例を示す図である。
　【図６２（ｂ）】Ｐ３モード時の画面表示の例を示す図である。
　【図６２（ｃ）】Ｐ３モード時の画面表示の例を示す図である。
　【図６２（ｄ）】Ｐ３モード時の画面表示の例を示す図である。
　【図６２（ｅ）】Ｐ３モード時の画面表示の例を示す図である。
　【図６３】Ｐ５の各モードの例を示す図である。
　【図６４】Ｐ５モード時の画面表示の例を示す図である。
　【図６５】Ｐ６モード時の操作手順のフローチャートを示す図である。
　【図６６（ａ）】Ｐ６モード時の画面表示の例を示す図である。
　【図６６（ｂ）】Ｐ６モード時の画面表示の例を示す図である。
　【図６６（ｃ）】Ｐ６モード時の画面表示の例を示す図である。
　【図６６（ｄ）】Ｐ６モード時の画面表示の例を示す図である。
　【図６６（ｅ）】Ｐ６モード時の画面表示の例を示す図である。
　【図６７】Ｐ８モードで設定が可能なモードの例を示す図である。
　【図６８】Ｐ８モード時の操作手順のフローチャートを示す図である。
　【図６９（ａ）】Ｐ８モード時の画面表示の例を示す図である。
　【図６９（ｂ）】Ｐ８モード時の画面表示の例を示す図である。
　【図６９（ｃ）】Ｐ８モード時の画面表示の例を示す図である。
　【図６９（ｄ）】Ｐ８モード時の画面表示の例を示す図である。
　【図６９（ｅ）】Ｐ８モード時の画面表示の例を示す図である。
　【図７０】選択トレイ判定処理のフローチャートを示す図である。
　【図７１】トレイステータステーブルの構成例を示す図である。
　【図７２】ジャムセンサの配置例を示す図である。
　【図７３】センサＮｏ．とその名称を示す図である。
　【図７４】ジャム画面表示のメインフローを示す図である。
　【図７５】ジャムステータステーブルの構成例を示す図である。
　【図７６】ジャム時のマシン動作およびオペレータの動作を示す図である。
　【図７７】ジャム画面表示処理のサブルーチンを示す図である。
　【図７８（ａ）】スタティックジャム画面の例を示す図である。
　【図７８（ｂ）】スタティックジャム画面の例を示す図である。
　【図７８（ｃ）】スタティックジャム画面の例を示す図である。
　【図７９】ＬＤＣモード時のベースモード決定処理のフローチャートを示す図である。
　【図８０】ＬＤＣモードのベースモードテーブルを示す図である。
　【図８１】ＣＦＦモード時のベースモード決定処理のフローチャートを示す図である。
　【図８２】ＣＦＦモードのベースモードテーブルを示す図である。
　【符号の説明】
　１…ベースマシン、２…プラテンガラス、３…光学系３、４…感材ベルト、５…マーキング系、６…トレイ、７…用紙搬送系、９、１０…インバータ、１１…デュープレックストレイ、１２…ユーザインターフェース、１３…自動両面原稿送り装置（ＤＡＤＦ）、１５…リサイクルドキュメントハンドラー（ＲＤＨ）、１６…マルチシートインサータ（ＭＳＩ）、１７…大容量トレイ（ＨＣＦ）、１９…ソータ、２０…シンプルキャッチトレイ、２１…オフセットキャッチトレイ、２２…フィニッシャ、２３…フォールダ。